(57)【要約】【課題】  ＣＤＭＡ通信システムの共通パケットチャンネルの割当て方法を開示する。【解決手段】  この方法は、基地局をアクセスするために使用されるチャンネル情報を有するアクセスプリアンブル信号を伝送するステップと、アクセスプリアンブル信号に応じて基地局から受信したアクセスプリアンブル補足表示信号を受信するステップと、受信されたアクセスプリアンブル補足表示信号に応じて衝突を検出する衝突検出プリアンブルを伝送するステップと、基地局が衝突検出プリアンブルに応じて伝送した衝突検出プリアンブルの補足を示す第１信号及びチャンネル割当てを示す第２信号を受信するステップと、第１信号の受信のとき、第２信号が指定した情報によって共通パケットチャンネルを割り当てるステップとからなる。【選択図】  図３
2004312771.tif 000002
【特許請求の範囲】
【請求項１】
ＣＤＭＡ通信システムにおけるチャンネル割当て方法において、
ＵＥが基地局をアクセスするために使用するチャンネル特性を有するアクセスプリアンブル信号を受信するステップと、
前記アクセスプリアンブル信号の受信のとき、前記受信されたアクセスプリアンブル信号に応答してアクセスプリアンブル補足表示信号を生成するステップと、
前記生成されたアクセスプリアンブル補足表示信号を伝送するステップと、
前記アクセスプリアンブル補足表示信号に応答して、前記ＵＥから衝突検出プリアンブル信号を受信するステップと、
前記衝突検出プリアンブルに応答して、前記衝突検出プリアンブルの補足を示す第１表示信号と前記チャンネルの割当てを示す第２表示信号とを生成するステップと、
前記生成された第１及び第２表示信号を伝送するステップと
からなることを特徴とするＣＤＭＡ通信システムにおけるチャンネル割当て方法。
【請求項２】
前記衝突検出プリアンブル信号は、所定個数のシグネチャーのうち、前記使用者端末により無作為に選択された一つのシグネチャー(Randomly Selected a Signature)を含むことを特徴とする請求項１記載のチャネル割当て方法。
【請求項３】
前記アクセスプリアンブル信号によるチャンネル情報と前記第２表示信号内の情報との組合せによって決定されるチャンネルを通じてアップリンクチャンネルデータを受信するステップをさらに備えることを特徴とする請求項１記載のチャンネル割当て方法。
【請求項４】
ＣＤＭＡ通信システムのメッセージを伝送する方法において、
前記メッセージの伝送のために使用されるチャンネル特性に対応するシグネチャーを選択するステップと、
前記チャンネル特性に対応する前記選択されたシグネチャーを有するアクセスプリアンブルを生成するステップと、
前記生成されたアクセスプリアンブルを伝送するステップと、
前記アクセスプリアンブルに対する応答信号を受信するステップと、
前記応答信号の受信のとき、衝突検出プリアンブルに使用するシグネチャーを選択するステップと、
前記選択されたシグネチャーを含む衝突検出プリアンブルを生成するステップと、
前記生成された衝突検出プリアンブルを伝送するステップと、
前記衝突検出プリアンブルに対する応答信号を受信するステップと、
共通パケットチャンネルに対する前記メッセージの伝送に使用されるチャンネル情報を有するチャンネル割当て信号を受信するステップと、
前記割り当てられた共通パケットチャンネルを通じて前記メッセージを伝送するステップと
からなることを特徴とするメッセージ伝送方法。
【請求項５】
前記シグネチャーは所定個数のシグネチャーのうち、無作為に選択された一つのシグネチャーであることを特徴とする請求項４記載のメッセージ伝送方法。
【請求項６】
前記メッセージ伝送ステップは、
前記メッセージに対する適切な電力レベルを調整するために電力制御プリアンブルを伝送するステップと、
前記メッセージを伝送するステップと
からなることを特徴とする請求項４記載のメッセージ伝送方法。
【請求項７】
ＣＤＭＡ通信システムにおけるチャンネル割当て方法において、
使用しようとするチャンネルの伝送率に対応するシグネチャーを含むアクセスプリアンブルを受信するステップと、
前記アクセスプリアンブルに含まれたシグネチャーを利用して応答信号を生成するステップと、
前記生成された応答信号を伝送するステップと、
衝突検出プリアンブルを受信するステップと、
前記衝突検出プリアンブルに対応するシグネチャーを利用して応答信号を生成するステップと、
前記伝送率を有する利用可能のチャンネルを割り当てるためのシグネチャーを含むチャンネル割当て信号を生成するステップと、
前記生成された応答信号及び前記生成されたチャンネル割当て信号を伝送するステップと、
前記チャンネル割当て信号に対応するシグネチャーと前記アクセスプリアンブルに含まれたシグネチャーとの組合せを利用して前記チャンネルを割り当てるステップと、
前記割り当てられたチャンネルを通じてメッセージを受信するステップと
からなることを特徴とするチャンネル割当て方法。
【請求項８】
ＣＤＭＡ通信システムにおけるチャンネルを通じたメッセージ伝送方法において、
伝送されるメッセージが生成される場合、サービス可能な最大伝送率を確認するステップと、
使用しようとする伝送率に対するシグネチャーを選択するステップと、
使用しようとする伝送率に対する前記選択されたシグネチャーを含むアクセスプリアンブルを生成するステップと、
前記生成されたアクセスプリアンブルを伝送するステップと、
前記アクセスプリアンブルに対応するアクセスプリアンブル補足表示信号を受信するステップと、
衝突検出シグネチャーのうち１つのシグネチャーを選択するステップと、
前記選択されたシグネチャーを含む衝突検出プリアンブルを生成するステップと、
前記生成された衝突検出プリアンブルを伝送するステップと、
前記衝突検出プリアンブルに対応する衝突検出表示信号及びチャンネル割当てを指定するためのシグネチャーを含むチャンネル割当て表示信号を受信するステップと、
前記チャンネル割当て表示信号と前記アクセスプリアンブルシグネチャーとの組合せでチャンネルを確認するステップと、
前記確認されたチャンネルを通じてメッセージを伝送するステップと
からなることを特徴とするメッセージ伝送方法。
【請求項９】
前記シグネチャーは所定個数のシグネチャーのうち、無作為に選択された一つのシグネチャーであることを特徴とする請求項８記載のメッセージ伝送方法。
【請求項１０】
前記衝突検出プリアンブルを伝送するステップは、前記アクセスプリアンブルに対するスクランブリングコードとは異なるスクランブリングコードを利用して、前記生成された衝突検出プリアンブルを伝送するステップを備えることを特徴とする請求項８記載の方法。
【請求項１１】
前記チャンネルを確認するステップは、前記アクセスプリアンブル信号に含まれたシグネチャーに対応する伝送率を有するチャンネルのうち、前記チャンネル割当て表示信号に含まれたシグネチャーによって指定されたチャンネルを確認するステップを備えることを特徴とする請求項８記載のメッセージ伝送方法。
【請求項１２】
ＣＤＭＡ通信システムにおけるチャンネル割当て方法において、
移動局が使用しようとする伝送率に対応するシグネチャーを含むアクセスプリアンブルを受信するステップと、
前記アクセスプリアンブルの受信のとき、前記アクセスプリアンブル内のシグネチャーに対応するシグネチャーを含むアクセスプリアンブル補足表示信号を伝送するステップと、
前記アクセスプリアンブル補足表示信号の伝送の後、衝突検出プリアンブルを受信するステップと、
前記衝突検出プリアンブルの受信のとき、衝突検出表示信号及びチャンネル割当てを指定するシグネチャーを含むチャンネル割当て表示信号を伝送するステップと、
前記アクセスプリアンブル内のシグネチャーによって決定された前記指定されたチャンネル及び前記チャンネル割当て表示信号を通じてメッセージを受信するステップと
からなることを特徴とするチャンネル割当て方法。
【請求項１３】
前記アクセスプリアンブル補足表示信号は、共通パケットチャンネルがサービス可能な伝送率に関する情報を含むことを特徴とする請求項１２記載の方法。
【請求項１４】
前記アクセスプリアンブル補足表示信号は、伝送率に関する情報及び利用可能な多重符号に関する情報を含むことを特徴とする請求項１２記載の方法。
【請求項１５】
ＣＤＭＡ通信システムにおけるチャンネル割当て方法において、
前記チャンネルを通じて伝送されるメッセージが発生する場合、使用しようとする伝送率に対するシグネチャーを選択するステップと、
前記選択されたシグネチャーを含むアクセスプリアンブルを生成するステップと、
前記生成されたアクセスプリアンブルを伝送するステップと、
チャンネル割当て表示信号の受信のとき、前記チャンネル割当て表示信号に含まれたシグネチャーを検査するステップと、
前記アクセスプリアンブルが示したシグネチャーに対応するチャンネルのグループから、前記チャンネル割当て表示信号に含まれたシグネチャーに対応するチャンネルを選択するステップと
からなることを特徴とするチャンネル割当て方法。
【請求項１６】
ＣＤＭＡ通信システムにおけるチャンネル割当て方法において、
移動局が使用しようとする伝送率に対するシグネチャーを含むアクセスプリアンブルを受信するステップと、
前記アクセスプリアンブルに含まれたシグネチャーに対応する伝送率を有するチャンネルのうち、利用可能なチャンネルがあるとき、前記利用可能なチャンネルの番号に対応するシグネチャーを選択するステップと、
前記選択されたシグネチャーを含むチャンネル割当て表示信号を生成するステップと、
前記生成されたチャンネル割当て表示信号を伝送するステップと
からなることを特徴とするチャンネル割当て方法。
【請求項１７】
ＣＤＭＡ通信システムにおけるメッセージ伝送装置において、
前記メッセージの伝送に使用される伝送率に対応するシグネチャーを選択し、前記伝送率に対応する前記選択されたシグネチャーを含むアクセスプリアンブルを生成して伝送するアクセスチャンネル送信器と、
前記アクセスプリアンブルに対する応答信号を受信するアクセスプリアンブル補足表示チャンネル受信器と、
前記応答信号の受信のとき、衝突検出プリアンブルに使用するシグネチャーを選択した後、前記衝突検出プリアンブルに使用する前記選択されたシグネチャーを含む前記衝突検出プリアンブルを生成して伝送する衝突検出チャンネル送信器と、
前記衝突検出プリアンブルに対する応答信号と前記メッセージの伝送に使用される伝送率を有するチャンネルのチャンネル割当て信号とを受信する表示チャンネル受信器と、
前記受信されたチャンネル割当て信号に含まれたシグネチャー及び前記アクセスプリアンブルに使用するシグネチャーを決定して、前記割り当てられたチャンネルを通じてメッセージを伝送するチャンネル送信器と
からなることを特徴とするメッセージ伝送装置。
【請求項１８】
前記衝突検出プリアンブルに使用するシグネチャーは、所定個数のシグネチャーのうち、無作為に選択された一つのシグネチャーであることを特徴とする請求項１７記載のメッセージ伝送方法。
【請求項１９】
ＣＤＭＡ通信システムにおけるチャンネル割当て装置において、
移動局が使用しようとするチャンネルの伝送率に対応するシグネチャーを含むアクセスプリアンブルを受信するアクセスチャンネル受信器と、
前記アクセスプリアンブルに含まれたシグネチャーを利用して補足表示信号を生成し、前記生成された補足表示信号を伝送するアクセスプリアンブル補足表示チャンネル送信器と、
衝突検出プリアンブルを受信する衝突検出プリアンブルチャンネル受信器と、
前記衝突検出プリアンブルに含まれたシグネチャーに対応するシグネチャーを利用して表示信号を生成し、メッセージの伝送に使用される伝送率を有する利用可能なチャンネルを割り当てるためのシグネチャーを含むチャンネル割当て表示信号を生成し、前記生成された表示信号及び前記チャンネル割当て表示信号を伝送する表示チャンネル送信器と、
前記伝送されたチャンネル割当て表示信号に含まれたシグネチャー及び前記アクセスプリアンブルに使用するシグネチャーによって示された前記チャンネルを割り当て、前記割り当てられたチャンネルを通じてメッセージを受信するチャンネル受信器と
からなることを特徴とするチャンネル割当て装置。
【請求項２０】
前記衝突検出プリアンブルに含まれたシグネチャーは、所定個数のシグネチャーのうち、無作為に選択された一つのシグネチャーであることを特徴とする請求項１９記載のメッセージ伝送方法。
【請求項２１】
ＣＤＭＡ通信システムにおけるチャンネル割当て装置において、
前記チャンネルを通じて伝送されるメッセージの生成のとき、使用しようとする伝送率に対するシグネチャーを選択し、前記選択されたシグネチャーを含むアクセスプリアンブルを生成して伝送するアクセスプリアンブルチャンネル送信器と、
前記チャンネル割当て表示信号を受信するチャンネル割当て表示チャンネル受信器と、
前記チャンネル割当て表示信号に含まれたシグネチャーを検査した後、前記アクセスプリアンブルに含まれたシグネチャーに対応する複数のチャンネルのうち、前記チャンネル割当て表示信号に含まれたシグネチャーに対応するチャンネルを選択するチャンネル送信器と
からなることを特徴とするチャンネル割当て装置。
【請求項２２】
ＣＤＭＡ通信システムにおけるチャンネル割当て装置において、
移動局が使用しようとする伝送率に対するシグネチャーを含むアクセスプリアンブルを受信するアクセスチャンネル受信器と、
前記アクセスプリアンブルに含まれたシグネチャーに対応する伝送率を有するチャンネルのうち、使用可能なチャンネルがあるとき、前記使用可能なチャンネルのチャンネル番号に対応するシグネチャーを選択し、前記選択されたシグネチャーを含むチャンネル割当て表示信号を生成して伝送するチャンネル割当て表示チャンネル送信器と、
前記アクセスプリアンブルのシグネチャーに対応する伝送率を有するチャンネルのうち、前記チャンネル割当て表示信号に対応するチャンネルを受信するチャンネル受信器と
からなることを特徴とするチャンネル割当て装置。
【発明の詳細な説明】
【技術分野】
【０００１】
本発明は、符号分割多重接続（Code Division Multiple Access；以下、ＣＤＭＡと略称する。）通信システムの共通チャンネル通信装置及び方法に関し、特に、広帯域ＣＤＭＡ移動通信システムにおける共通パケットチャンネルのチャンネル割当て装置及び方法に関する。
【背景技術】
【０００２】
次世代移動通信システムであるＵＭＴＳ(Universal Mobile Telecommunications System)Ｗ-ＣＤＭＡ(Wideband Code Division Multiple Access)通信システムのような広帯域ＣＤＭＡ通信システムでは、アップリンク（または逆方向（reverse））共通チャンネル（Uplink Common Channel）として、ランダムアクセスチャンネル（Random Access Channel；以下、“ＲＡＣＨ”と略称する。）及び共通パケットチャンネル（Common Packet Channel；以下、“ＣＰＣＨ”と略称する。）が使用される。
【０００３】
図１は、Ｗ−ＣＤＭＡ通信システムでアップリンク共通チャンネルのうちの１つであるＲＡＣＨを通じてメッセージを送受信する方法を示す図である。
【０００４】
図１において、参照番号１５１は、アップリンクチャンネルの信号伝送手順を示し、このとき使用されるチャンネルは、ＲＡＣＨになることができる。前記ＲＡＣＨは、前記加入者装置(ＵＥまたは移動局)がＵＭＴＳテレストリアルラジオアクセスネットワーク(Terrestrial Radio Access Network)(ＵＴＲＡＮまたは基地局)に信号を伝送する共通チャンネルのうちの１つである。そして、参照番号１１１は、ダウンリンクチャンネル(またはフォーワード(forward))の信号伝送手順を示し、このとき、使用されるチャンネルは、アクセスプリアンブル補足表示チャンネル（Access preamble-Acquisition Indicator Channel；以下、“ＡＩＣＨ”と略称する。）になることができる。前記ＡＩＣＨは、前記ＲＡＣＨを通じて伝送されたプリアンブル信号をＵＴＲＡＮが受信し、前記受信されたプリアンブル信号に応答するチャンネルである。前記ＲＡＣＨを通じて伝送されるプリアンブルは、アクセスプリアンブル（Access Preamble；以下、“ＡＰ”と略称する。）であり、多数のＲＡＣＨ用シグネチャーのうちの１つを任意に選択して作られる。
【０００５】
前記ＲＡＣＨは、プリアンブルパート(preamble part)及びメッセージパート(message part)で構成される。前記ＲＡＣＨを通じてメッセージを伝送するためには、伝送データのタイプによって、アクセスサービスクラス（Access Service Class；以下、“ＡＳＣ”と略称する。）を選択し、前記ＡＳＣ案に定義されているＲＡＣＨ下位チャンネルグループ(ＲＡＣＨ sub-channel group)を選択し、前記選択されたＲＡＣＨ下位チャンネルでＡＰをＵＴＲＡＮに伝送する。その後、前記ＡＰ信号は、ＵＴＲＡＮから獲得するチャンネルである。ＵＴＲＡＮは、ＡＩＣＨを通じてＡＰ信号に応答する。ＵＥがＵＴＲＡＮからアクノリッジメントＡＩＣＨ信号を受信する場合、ＲＡＣＨメッセージ部の信号をＵＴＲＡＮへ伝送する。
【０００６】
図１を参照すると、ＵＥは、１６２のようにシグネチャー(signature)を使用して一定の長さのＡＰを伝送した後、ＵＴＲＡＮからの応答を一定の時間τP-P待機する。ＵＴＲＡＮから一定の時間τP-P応答がなければ、ＵＥは、図１の参照番号１６４に示すように、送信電力を特定のレベルに増加させて前記ＡＰを再伝送する。ＵＴＲＡＮは、前記ＲＡＣＨを通じて伝送されるＡＰを検出すると、１２２のように、一定の時間τP-AP-AIの後前記検出されたＡＰのシグネチャーをダウンリンク(downlink)ＡＩＣＨを通じて伝送する。ＡＰを伝送した後、ＵＥは、ＡＰに使用されるシグネチャーを検出するためにＡＩＣＨを検査する。この場合、前記ＲＡＣＨを通じて伝送されたＡＰに使用されるシグネチャーが検出されると、ＵＥは、ＵＴＲＡＮがＡＰを検出したものと判断し、前記ＲＡＣＨを通じて１７０のように一定の時間τAP-AI-MSGの後ＲＡＣＨメッセージ及び制御部を伝送する。
【０００７】
しかし、ＡＰ１６２を伝送した後、設定された時間(τP-P)内にＵＴＲＡＮが伝送したＡＩＣＨ信号を受信できないか、または受信されたＡＩＣＨ信号から自分の伝送したシグネチャーを検出できないと、ＵＥは、ＵＴＲＡＮが前記ＡＰを検出できなかったものと判断し、予め設定された時間(τP-P)が経過した後前記ＡＰを再伝送する。このとき、参照番号１６４に示すように、ＡＰは、以前伝送されたＡＰの送信電力より△Ｐ(ｄＢ)だけ増加させた送信電力で再伝送される。このとき再伝送されるＡＰは、ＵＥが選択したＡＳＣ案に定義されている複数のシグネチャーから任意に選択されたシグネチャーを使用することができる。ＵＥは、ＡＰを伝送した後、ＵＴＲＡＮから伝送されたシグネチャーを利用するＡＩＣＨ信号を受信できなかったら、設定された時間(τP-P)が経過した後、ＡＰの送信電力及びシグネチャーを変化させて前記のような動作を反復して遂行する。ＵＥは、前記ＡＰを伝送し、ＡＩＣＨ信号を受信する過程において、自分の伝送したシグネチャーが受信されると、予め設定された時間(τP-AP-AI)が経過した後、ＲＡＣＨメッセージ１７０を前記シグネチャーで使用するスクランブリングコードで拡散し、予め設定されたチャンネル区分コード(Channelization code)を使用して、ＡＰ送信電力を考慮して決定された送信電力で前記拡散されたＲＡＣＨメッセージを伝送する。
【０００８】
前述したように、ＲＡＣＨを利用してＡＰを伝送すると、ＵＴＲＡＮがＡＰを効率的に検出でき、アップリンク共通チャンネルメッセージに対する初期電力を容易に設定することができる。しかし、前記ＲＡＣＨのような逆方向共通チャンネルは電力を制御できないので、伝送データの伝送率が高いか、または伝送データの量が多いので、ＵＥは、伝送時間が長いパケットデータを伝送し難い。また、ただ１度のＡＰ_ＡＩＣＨ（Access Preamble Acqusition Indicator Channel）を通じてチャンネルを割り当てるので、同一のシグネチャーを利用してＡＰを伝送したＵＥは、同一のチャンネルを割り当てることができる。この場合、相互異なるＵＥが伝送したデータが相互衝突してＵＴＲＡＮがデータを受信できないこともある。
【０００９】
このような問題を解決するために、Ｗ-ＣＤＭＡ方式にてアップリンク共通チャンネルを電力制御し、ＵＥ間の衝突を減少させることができる方式が提案されてきた。このような方式を共通パケットチャンネル（Common Packet Channel；ＣＰＣＨ）に適用している。前記ＣＰＣＨは、アップリンク共通チャンネルの電力制御を可能にし、相互異なるＵＥにチャンネルを割り当てる方法において、ＲＡＣＨより高信頼性の方法を使用する。そして、前記ＣＰＣＨは、ＵＥが高い伝送率のデータを一定の時間の間(数十乃至数百ｍｓ程度)伝送できる共通チャンネルである。前記ＣＰＣＨを使用する目的は、ＵＥが専用チャンネル（Dedicated Channel）を使用せず、特定の値より小さいアップリンク伝送メッセージを迅速にＵＴＲＡＮへ伝送できるようにするためである。
【００１０】
すなわち、前記専用チャンネルを設定するためには、関連した複数の制御メッセージがＵＥとＵＴＲＡＮとの間に送受信されなければならなく、また、制御メッセージの送受信に長時間が要求される。従って、小さいサイズのデータ(例えば、数十または数百ｍｓの比較的少ない量のデータ)を伝送するために専用チャンネルを割り当てるようになると、前記専用チャンネルが割り当てられる間多い制御メッセージの交換は、大きいオーバーヘッド(overhead)となる。その結果、小さいサイズのデータを伝送する場合は、ＣＰＣＨを利用することがさらに効果的である。
【００１１】
しかし、前記ＣＰＣＨは、多数のＵＥが前記ＣＰＣＨの使用権を獲得するために、幾つかのシグネチャーを使用してプリアンブルを伝送するので、ＵＥのＣＰＣＨ信号間の衝突が発生することができ、このような現象を避けるために、ＵＥにＣＰＣＨの使用権を割り当てることができる方法を使用すべきである。
【００１２】
Ｗ−ＣＤＭＡ通信システムは、ＵＴＲＡＮ間を区別するためにダウンリンクスクランブリングコードを使用し、ＵＥ間を区別するためにアップリンクスクランブリングコードを使用する。また、ＵＴＲＡＮから伝送したチャンネルは、直交（Orthogonal Variable Spreading Factor；以下、ＯＶＳＦと略称する。）符号を使用して区別され、ＵＥが伝送するチャンネルも、ＯＶＳＦコードを使用して区別される。
【００１３】
従って、ＣＰＣＨを使用するためにＵＥが要求する情報は、アップリンク（または逆方向）ＣＰＣＨチャンネルのメッセージ部に使用されるスクランブリングコード、アップリンクＣＰＣＨメッセージ部（ＵＬ_ＤＰＣＣＨ）で使用するＯＶＳＦコード、データ部(ＵＬ_ＤＰＤＣＨ)で使用するＯＶＳＦコード、アップリンクＣＰＣＨの最大伝送速度、及びＣＰＣＨの電力制御のために使用されるダウンリンク(または順方向)専用物理制御チャンネル(ＤＬ_ＤＰＣＣＨ)のチャンネル区分コードを含む。前記情報は、ＵＴＲＡＮとＵＥとの間の専用チャンネルが設定される場合も通常に必要な情報である。また、専用チャンネルが設定される前、多数のシグナリング信号の伝送を通じて前記のような情報(オーバーヘッド)がＵＥに伝送される。しかし、ＣＰＣＨは、専用チャンネルではない共通チャンネルであるので、前記情報をＵＥに割り当てるために、従来技術では、ＡＰで使用されるシグネチャーとＲＡＣＨで使用される下位チャンネル（sub-channel）の概念を導入したＣＰＣＨ下位チャンネルとの組合せで前記情報を表示する。
【００１４】
図２は、従来技術によるダウンリンク及びアップリンクチャンネル信号の信号伝送手順を示す。図２において、ＲＡＣＨで使用されるＡＰを伝送する方式に加えて、相互異なるＵＥからＣＰＣＨ信号間の衝突を防止するために、衝突検出プリアンブル（Collision Detection Preamble；以下、“ＣＤ_Ｐ”と略称する。）を使用する。
【００１５】
図２において、参照番号２１１は、ＵＥがＣＰＣＨの割当てを要求する場合遂行されるアップリンクチャンネルの動作手順を示す。そして、参照番号２０１は、ＣＰＣＨをＵＥに割り当てるためのＵＴＲＡＮの動作手順を示す。図２において、ＵＥは、ＡＰ２１３を伝送する。前記ＡＰ２１３を構成するシグネチャーは、前記ＲＡＣＨで使用されるシグネチャーグループまたは同一のシグネチャーから選択されることができる。ＣＰＣＨのシグネチャーがＲＡＣＨシグネチャーと同一である場合、ＣＰＣＨのシグネチャーは、異なるスクランブリングコードを利用してＲＡＣＨのシグネチャーと区分されることができる。前記ＡＰを構成するシグネチャーは、ＲＡＣＨが任意にシグネチャーを選択する方式とは異なり、前述したような情報に基づきＵＥによって選択される。すなわち、それぞれのシグネチャーは、ＵＬ_ＤＰＣＣＨに使用されるＯＶＳＦコード、ＵＬ_ＤＰＤＣＨに使用されるＯＶＳＦコード、ＵＬスクランブリングコード及びＤＬ_ＤＰＣＣＨに使用するＯＶＳＦコード、最大フレーム数、及び伝送率がマッピングされている。従って、ＵＥで１個のシグネチャーを選択することは、該当シグネチャーにマッピングされた６種類の情報を選択するものと同一である。また、ＵＥは、前記ＡＰを伝送する前にＡＰ_ＡＩＣＨの末尾部を利用して伝送されるＣＰＣＨ状態表示チャンネル（ＣＰＣＨ Status Indicator Channel；以下、“ＣＳＩＣＨ”と略称する。）を通じて、ＵＥの属したＵＴＲＡＮ内で現在使用できるＣＰＣＨチャンネルの状態を確認する。その後、ＵＥが現在使用できるＣＰＣＨチャンネルのうち自分の使用しようとするチャンネルのシグネチャーを選択して前記ＣＳＩＣＨを通じてＡＰを伝送する。前記ＡＰ２１３は、ＵＥが設定した初期送信電力を使用してＵＴＲＡＮへ伝送される。図２において、時間２１２内にＵＴＲＡＮからの応答がなければ、ＵＥは、ＡＰ２１５によって示されたＡＰをさらに高い送信電力で再伝送する。前記ＡＰの再伝送回数及び待機時間２１２は、ＣＰＣＨチャンネルを獲得する過程を開始する前に設定される。そして、前記再伝送回数が設定値を超過するようになると、ＵＥは、ＣＰＣＨチャンネルの獲得過程を中止する。
【００１６】
ＡＰ２１５の受信のとき、ＵＴＲＡＮは、前記受信されたＡＰを他のＵＥから受信されたＡＰと比較する。ＡＰ２１５を選択する場合、ＵＴＲＡＮは、時間２０２が経過した後ＡＰ_ＡＩＣＨ２０３をＡＣＫとして伝送する。ＵＴＲＡＮが前記受信されたＡＰと比較してＡＰ２１５を選択する幾つかの基準がある。例えば、ＵＥがＡＰを通じてＵＴＲＡＮに要請したＣＰＣＨの使用が可能であるか、または、ＵＴＲＡＮが受信したＡＰの受信電力がＵＴＲＡＮの要求した最小受信電力値を満足する場合がその基準になることができる。ＡＰ_ＡＩＣＨ２０３は、ＵＴＲＡＮが選択したＡＰ２１５を構成するシグネチャー値を含む。
【００１７】
ＵＥの自分が伝送したシグネチャ−が前記ＡＰ２１５を伝送した後受信されたＡＰ_ＡＩＣＨ２０３に含まれていると、ＵＥは、時間２１４が経過した後、衝突検出プリアンブル(ＣＤ_Ｐ)２１７を伝送する。前記ＣＤ_Ｐ２１７を伝送する理由は、様々のＵＥから伝送チャンネル間の衝突を防止するためである。すなわち、ＵＴＲＡＮに属した複数のＵＥは、同一のＡＰをＵＴＲＡＮに同時に伝送して同一のＣＰＣＨに対する使用権を要求することができ、その結果、同一のＡＰ_ＡＩＣＨを受信するＵＥは、同一のＣＰＣＨを使用することができ、これにより、衝突を発生させる。このような衝突を防止するために、ＵＥは、ＣＤ_Ｐを伝送し、ＵＴＲＡＮは、同一のＡＰ及び異なるＣＤ_Ｐを伝送した複数のＵＥから１つのＵＥを選択する。ＵＥ及びＵＴＲＡＮの詳細な動作は次のようである。衝突を防止するために、同一のＡＰを同時に伝送したＵＥのそれぞれがＣＤ_Ｐに使用するシグネチャーを選択してＣＤ_Ｐを伝送する。前記多数のＣＤ_Ｐを受信するとき、ＵＴＲＡＮは、受信されたＣＤ_Ｐのうちの１つを選択して応答できる。例えば、前記ＣＤ_Ｐを選択する基準は、ＵＴＲＡＮから受信されたＣＤ_Ｐの受信電力レベルになることができる。前記ＣＤ_Ｐ２１７を構成するシグネチャーは、ＡＰに使用されるシグネチャーのうちの１つを使用することができ、前記ＲＡＣＨと同一の方式にて選択されることができる。すなわち、ＣＤ_Ｐに使用するシグネチャーのうちの１つを任意に選択して伝送できる。また、１つのシグネチャーのみがＣＤ_Ｐに使用されることができる。１つのシグネチャーのみがＣＤ_Ｐに使用される場合、ＵＥは、一定の時間の間、任意の時点でＣＤ_Ｐを伝送する。このような方法は、異なる伝送時点を使用するが、ＣＤ_Ｐに１つのシグネチャーのみを使用する複数のＵＥを区別することができる。
【００１８】
ＣＤ_Ｐ２１７の受信のとき、ＵＴＲＡＮは、前記受信されたＣＤ_Ｐを他のＵＥから受信されたＣＤ_Ｐと比較してＣＰＣＨを使用することができるＵＥを選択するようになる。このとき、ＣＤ_Ｐ２１７を選択する場合、ＵＴＲＡＮは、衝突検出表示チャンネル（Collision Detection Indicator Channel； 以下、“ＣＤ_ＩＣＨ”と略称する。）２０５を時間２０６が経過した後にＵＥへ伝送する。ＣＤ_ＩＣＨは、ＲＡＣＨ伝送のときＡＰ_ＡＩＣＨと同一の構造及び機能を有する。しかし、ＣＤ_ＩＣＨは、１つのＡＣＫのみを伝送する。前記ＵＴＲＡＮから伝送されたＣＤ_ＩＣＨ２０５を受信すると、ＵＥは、それらの自分(すなわち、ＣＤ_ＡＣＫ)が伝送したＣＤ_Ｐに使用されたシグネチャー値がＣＤ_ＩＣＨ２０５に含まれているか否かを確認する。もしも、含まれていると、時間２１６が経過した後に電力制御プリアンブル（Power Control Preamble； 以下、“ＰＣ_Ｐ”と略称する。）２１９を伝送する。前記ＰＣ_Ｐ２１９は、ＵＥがＡＰに使用するシグネチャーを決定しつつ定められたアップリンクスクランブリングコードと、ＣＰＣＨが伝送される間、制御部（ＵＬ_ＤＰＣＣＨ）２２１として同一のチャンネル区分コード（ＯＶＳＦ）とを使用する。前記ＰＣ_Ｐ２１９は、パイロットビット、電力制御命令語ビット、及びフィードバック情報ビットからなる。前記ＰＣ_Ｐ２１９は、０または８スロットの長さを有する。前記スロットは、ＵＭＴＳシステムが物理チャンネルを通じて伝送する場合に使用される基本的な伝送単位であり、ＵＭＴＳシステムが３，８４Ｍｃｐｓのチップレートを使用する場合、２，５６０チップの長さを有する。前記ＰＣ_Ｐ２１９の長さが０スロットの場合は、ＵＴＲＡＮとＵＥとの間の現在の無線環境がよいので、ＣＰＣＨメッセージ部の送信電力を調節する必要がなく、ＣＤ_Ｐの送信電力を考慮してＵＥが決定した送信電力で伝送されることができる。ＰＣ_Ｐ２１９の長さが８スロットである場合、ＣＰＣＨメッセージ部の送信電力を調節する必要がある。
【００１９】
ＡＰ２１５及びＣＤ_Ｐ２１７は、同一の初期値を有するスクランブリングコードを使用することができる。しかし、異なる開始ポイントを有する。例えば、ＡＰは、４，０９６の長さを有する０番目〜４，０９５番目のスクランブリングコードを使用することができ、ＣＤ_Ｐは、４，０９６の長さを有する４，０９６番目〜８，１９１番目のスクランブリングコードを使用することができる。前記ＡＰ及びＣＤ_Ｐは、同一の初期値を有するスクランブリングコードの同一の部分を使用することができ、このような方法は、Ｗ-ＣＤＭＡシステムがアップリンク共通チャンネルに使用するシグネチャーをＲＡＣＨ用及びＣＰＣＨ用シグネチャーに区分する場合に利用可能である。ＰＣ_Ｐ２１９に使用されるスクランブリングコードの場合、ＡＰ２１５及びＣＤ_Ｐ２１７に使用されるスクランブリングコードと同一の初期値を有する０番目〜２１，４２９番目値のスクランブリングコードを使用することができる。また、前記ＡＰ２１５及びＣＤ_Ｐ２１７に使用されるスクランブリングコードと１：１にマッピングされる異なるスクランブリングコードを使用することもできる。
【００２０】
参照番号２０７及び２０９は、ダウンリンク専用物理チャンネル（DownlinkDedicated Physical Channel；以下、“ＤＬ_ＤＰＣＨ”と略称する。）の一部分である専用物理制御チャンネル（Dedicated Physical Control Channel；以下、“ＤＬ_ＤＰＣＣＨ”と略称する。）のパイロットフィールド及び電力制御命令語フィールドをそれぞれ示す。前記ＤＬ_ＤＰＣＣＨは、ＵＴＲＡＮを区別するためのダウンリンク一次的スクランブリングコード(Primary Downlink Scrambling Code)を使用することができ、ＵＴＲＡＮの容量を拡張するための二次的スクランブリングコード(Secondary Scrambling Code)を使用することもできる。前記ＤＬ_ＤＰＣＣＨに使用されるチャンネル区分コードＯＶＳＦは、ＡＰに対するシグネチャーを選択するＵＥが使用される場合チャンネル区分コードを決定する。前記ＤＬ_ＤＰＣＣＨは、ＵＴＲＡＮがＵＥから伝送されたＰＣ_ＰまたはＣＰＣＨメッセージに対する電力制御を遂行する場合使用される。ＵＴＲＡＮは、前記ＰＣ_Ｐ２１９の受信のとき、ＰＣ_Ｐ２１９のパイロットフィールドの受信電力を測定する。そして、電力制御命令語２０９を利用して、ＵＥが伝送したアップリンク伝送チャンネルの送信電力を制御する。ＵＥは、ＵＴＲＡＮから受信したＤＬ_ＤＰＣＣＨ信号の電力を測定し、そして、ＰＣ_Ｐ２１９の電力制御フィールドに電力制御命令語を入力してＵＴＲＡＮに伝送し、ＵＴＲＡＮから来るダウンリンクチャンネルの送信電力を制御する。
【００２１】
参照番号２２１及び２２３は、ＣＰＣＨメッセージの制御部ＵＬ_ＤＰＣＣＨ及びデータ部ＵＬ_ＤＰＤＣＨをそれぞれ示す。図２のＣＰＣＨメッセージを拡散するために使用されるスクランブリングコードは、ＰＣ_Ｐ２１９で使用するスクランブリングコードと同一のスクランブリングコードを使用し、１０ｍｓ単位で３８，４００の長さを有する０番目〜３８，３９９番目スクランブリングコードを使用する。図２のメッセージで使用するスクランブリングコードは、ＡＰ２１５及びＣＤ_Ｐ２１７で使用するスクランブリングコードと同一であることもでき、または、１：１にマッピングされる他のスクランブリングコードになることもできる。
【００２２】
ＣＰＣＨメッセージのデータ部２２３が使用するチャンネルコードＯＶＳＦは、ＵＴＲＡＮとＵＥとが予め約束した方式によって決定される。すなわち、ＡＰに使用されるシグネチャーとＵＬ_ＤＰＤＣＨに使用されるＯＶＳＦコードはマッピングされているので、使用されるＡＰシグネチャーを決定すると、前記ＵＬ_ＤＰＤＣＨに使用されるＯＶＳＦコードが決定される。制御部(ＵＬ_ＤＰＤＣＨ)２２１が使用するチャンネル区分コードは、ＰＣ_Ｐが使用するＯＶＳＦコードと同一のチャンネル区分コードを使用する。前記制御部(ＵＬ_ＤＰＤＣＨ)２２１が使用するチャンネル区分コードは、前記ＵＬ_ＤＰＤＣＨに使用されるＯＶＳＦコードが決定されると、ＯＶＳＦコードツリー構造によって決定される。
【００２３】
図２を参照すると、従来技術は、ＣＰＣＨの効率を高めるために、チャンネルの電力制御を可能にし、ＣＤ_Ｐ及びＣＤ_ＩＣＨを使用して、相互異なるＵＥからのアップリンク信号間の衝突の可能性を減少させる。しかし、従来技術において、ＵＥは、ＵＴＲＡＮでＣＰＣＨの現在の状態を伝送するＣＳＩＣＨを分析することによって、あるＣＰＣＨチャンネルの割当てを要求し、ＣＰＣＨを通じて伝送したデータを考慮して前記情報を予め決定する。すなわち、ＣＰＣＨの割当ては、ＵＥによって行われ、ＵＴＲＡＮによらない。従って、ＵＴＲＡＮは、ＵＥが要求した同一の特性を有するＣＰＣＨを有するとしても、ＵＥが特定のＣＰＣＨを要求する場合、ＵＴＲＡＮは、ＵＥにＣＰＣＨを割り当てることができない。そこで、ＣＰＣＨチャンネルの割当てに対する制約及びＣＰＣＨチャンネルの獲得にかかる時間の遅延が発生する。
【００２４】
前記ＣＰＣＨチャンネルの割当てに対する制約は、次のようである。ＵＴＲＡＮで使用可能のＣＰＣＨ数が多数存在するとしても、ＵＴＲＡＮ内のＵＥが同一のＣＰＣＨを要求する場合、同一のＡＰを選択するようになる。同一のＡＰ_ＡＩＣＨを受信し、ＣＤ_Ｐを再伝送するとしても、非選択されたＣＤ_Ｐを伝送したＵＥは、最初からＣＰＣＨを割り当てるための過程を開始しなければならない。また、ＣＤ_Ｐの選択過程を遂行しても、やはり、多数のＵＥが同一のＣＤ_ＩＣＨを受信してＣＰＣＨのアップリンクの伝送が行われる間、衝突が発生する確率を増加させる。また、ＣＳＩＣＨを確認し、ＵＥがＣＳＩＣＨを通じて伝送した現在のＣＰＣＨ状態を考慮してＣＰＣＨの割当てを要求しても、ＣＰＣＨを利用しようとするＵＴＲＡＮ内のすべてのＵＥは同一のＣＳＩＣＨを受信する。従って、ＣＰＣＨのうちで使用可能のチャンネルの割当てを要求するとしても、多数のＵＥが特定のＣＰＣＨのチャンネル割当てを同時に要求する場合がある。前記のような場合、ＵＴＲＡＮは、割当て可能の他のＣＰＣＨがあるとしても、１つのＵＥにのみ多数のＵＥが要求したＣＰＣＨを割り当てるほかない。これは、ＵＥが決定したチャンネル割当てによる。
【００２５】
前記チャンネルの獲得にかかる時間遅延について、前記ＣＰＣＨチャンネルの割当ての制約を参照して説明された場合が発生すると、ＵＥは、所望のＣＰＣＨチャンネルの割当てのためにＣＰＣＨの割当て要求を繰り返して遂行しなければならない。従来技術において、システムの複雑度を減少させるために導入した１つのＣＤ_Ｐに１つのシグネチャーのみを使用して、一定の時間、任意の時点でＣＤ_Ｐを伝送する方法を使用する場合、１つのＵＥのＣＤ_ＩＣＨを伝送して処理する間、他のＵＥのＣＤ_ＩＣＨを処理することができない。
【００２６】
また、従来技術は、ＡＰに使用される１つのシグネチャーに関連して１つのアップリンクスクランブリングコードを使用する。従って、ＵＴＲＡＮで使用するＣＰＣＨの数が増加するときごとに、アップリンクスクランブリングコードの数が増加する。これは、資源浪費を発生させる。
【発明の開示】
【発明が解決しようとする課題】
【００２７】
従って、本発明の目的は、一番目、ＣＤＭＡ通信システムで、共通チャンネルを通じてメッセージを伝送する装置及び方法を提供することにある。
【００２８】
二番目、移動局の受信器が低い複雑度で補足表示チャンネルを通じて受信できるダウンリンク補足表示チャンネル(ＡＩＣＨ)を提供することにある。
【００２９】
三番目、移動局がダウンリンク補足表示チャンネルを通じて伝送される複数のシグネチャーを簡単に検出できるＵＴＲＡＮの受信方法を提供することにある。
【００３０】
四番目、ＣＤＭＡ通信システムで、共通チャンネルを通じてメッセージを伝送するアップリンク共通チャンネルの効率的な電力制御を遂行するチャンネル割当て方法を提供することにある。
【００３１】
五番目、ＣＤＭＡ通信システムで、共通チャンネルを通じてメッセージを伝送するアップリンク共通チャンネルを迅速に割り当てるためのチャンネル割当て方法を提供することにある。
【００３２】
六番目、ＣＤＭＡ通信システムで、共通チャンネルを通じてメッセージを伝送するアップリンク共通チャンネルを割り当てるための信頼性あるチャンネル割当て方法を提供することにある。
【００３３】
七番目、ＣＤＭＡ通信システムで、共通チャンネルを通じてメッセージを伝送するアップリンク共通チャンネル割当て方法で発生したエラーを訂正するための方法を提供することにある。
【００３４】
八番目、ＣＤＭＡ通信システムで、共通チャンネルを通じてメッセージを伝送するアップリンク共通チャンネル通信方法でＵＥ間のアップリンクの衝突を検出して管理するための方法を提供することにある。
九番目、Ｗ-ＣＤＭＡ通信システムで、アップリンク共通チャンネルを通じてメッセージを伝送できるようにチャンネルを割り当てるための装置及び方法を提供することにある。
【００３５】
十番目、ＣＤＭＡ通信システムで、 共通チャンネルを通じてメッセージを伝送するアップリンク共通チャンネル通信方法でチャンネル割当てメッセージまたはチャンネル使用要求メッセージで発生したエラーを検出できる装置及び方法を提供することにある。
【００３６】
十一番目、ＣＤＭＡ通信システムで、共通チャンネルを通じてメッセージを伝送するアップリンク共通チャンネル通信方法でチャンネル割当てメッセージまたはチャンネル使用要求メッセージで発生したエラーを訂正するための方法を提供することにある。
【００３７】
十二番目、ＣＤＭＡ通信システムで、共通チャンネルを通じてメッセージを伝送するアップリンク共通チャンネル通信方法でチャンネル割当てメッセージまたはチャンネル使用要求メッセージで発生したエラーを検出するために、電力制御プリアンブルを使用するための装置及び方法を提供することにある。
【００３８】
十三番目、アップリンク共通チャンネルを多数のグループに分割して各グループを効率的に管理するための方法を提供することにある。
【００３９】
十四番目、アップリンク共通チャンネルに割り当てられた無線資源を動的に管理するための方法を提供することにある。
【００４０】
十五番目、アップリンク共通チャンネルに割り当てられたアップリンクスクランブリングコードを効率的に管理するための方法を提供することにある。
【００４１】
十六番目、アップリンク共通チャンネルの現在状態をＵＴＲＡＮがＵＥに通報するための方法を提供することにある。
十七番目、アップリンク共通チャンネルの現在状態をＵＴＲＡＮがＵＥに通報するとき使用された情報を高信頼度で伝送するための装置及び方法を提供することにある。
【００４２】
十八番目、アップリンク共通チャンネルの現在状態をＵＴＲＡＮがＵＥに通報するとき使用された情報を高信頼度で伝送するための符号化装置及び方法を提供することにある。
【００４３】
十九番目、ＵＴＲＡＮから伝送したアップリンク共通チャンネルの現在状態をＵＥが迅速に認識できるようにする装置及び方法を提供することにある。
【００４４】
二十番目、ＵＴＲＡＮが伝送したアップリンク共通チャンネルの状態を考慮して、ＵＥがアップリンク共通チャンネルを利用するか否かを決定する方法を提供することにある。
【課題を解決するための手段】
【００４５】
前記のような目的を達成するために、本発明は、ＣＤＭＡ通信システムの共通パケットチャンネルの割当て方法を提供する。このような方法は、基地局をアクセスするために使用するチャンネル情報を有するアクセスプリアンブル信号を伝送するステップと、前記アクセスプリアンブル信号に応じて前記基地局から受信したアクセスプリアンブル補足表示信号を受信するステップと、前記受信されたアクセスプリアンブル補足表示信号に応じて衝突を検出する衝突検出プリアンブルを伝送するステップと、前記衝突検出プリアンブルに応じて、前記衝突検出プリアンブルの補足を示す第１信号とチャンネル割当てを示す第２信号とを受信するステップと、前記第１信号の受信のとき、前記第２信号が指定した情報によって共通パケットチャンネルを割り当てるステップとからなる。
【発明の効果】
【００４６】
以上から述べてきたように、本発明によると、ＵＴＲＡＮは、ＵＥが要求したＣＰＣＨを能動的に割り当てることができ、ＣＰＣＨの設定に要求される時間を短縮させることができる。また、多数のＵＥがＣＰＣＨを要求するとき発生可能な衝突の確率を減少させることができ、無線資源の浪費を防止することができる。さらに、ＵＥとＵＴＲＡＮとの間にＰＣ_Ｐを通じて安定した共通パケットチャンネルを割り当てることができ、共通パケットチャンネルの使用においても安定性を提供することができる。
【発明を実施するための最良の形態】
【００４７】
以下、本発明による好適な実施形態を添付図面を参照しつつ詳細に説明する。下記説明において、本発明の要旨のみを明瞭にするために公知の機能及び構成に対する詳細な説明は省略する。
本発明の好適な実施形態によるＣＤＭＡ通信システムにおいて、アップリンク共通チャンネルを通じてＵＴＲＡＮにメッセージを伝送するために、ＵＥは、ＣＳＩＣＨを通じてアップリンク共通チャンネルの状態を確認した後、自分が所望するＡＰをＵＴＲＡＮに伝送する。その後、ＵＴＲＡＮは、前記伝送されたＡＰを捕捉してアクセスプリアンブル捕捉表示チャンネル(ＡＰ_ＡＩＣＨ)を通じてＵＥに伝送した応答信号(または、アクセスプリアンブル捕捉表示信号)を伝送する。ＵＥは、前記アクセスプリアンブル捕捉表示信号を受信した後、前記受信されたアクセスプリアンブル捕捉表示信号が許可(ＡＣＫ)信号であると、衝突検出プリアンブル(ＣＤ_Ｐ)をＵＴＲＡＮに伝送する。
【００４８】
ＵＴＲＡＮは前記衝突検出プリアンブルＣＤ_Ｐを受信した後、前記受信された衝突検出信号に対する応答信号(または、衝突検出表示チャンネル(ＣＤ_ＩＣＨ)信号及びアップリンク共通チャンネルに対するチャンネル割り当て(ＣＡ)信号をＵＥに伝送する。この場合、ＵＥは、ＵＴＲＡＮから伝送された前記ＣＤ_ＩＣＨ信号及びチャンネル割り当て信号を受信した後、ＣＤ_ＩＣＨ信号がＡＣＫ信号である場合、ＵＴＲＡＮが割り当てたアップリンク共通チャンネルを通じてアップリンク共通チャンネルメッセージを伝送する。前記メッセージの伝送の前、電力制御プリアンブル(ＰＣ_Ｐ)を伝送することもできる。また、ＵＴＲＡＮは、前記電力制御プリアンブル及び前記アップリンク共通チャンネルメッセージに対する電力制御信号を伝送し、ＵＥは、ダウンリンクチャンネルを通じて受信された電力制御命令によって前記電力制御プリアンブル及び前記アップリンク共通チャンネルメッセージの送信電力を制御する。
【００４９】
前記説明において、もし、ＵＥが伝送することができる多数のＡＰを有すると、ＵＥが伝送したプリアンブルはその中の一つのＡＰになることができ、ＵＴＲＡＮは前記ＡＰに応答してＡＰ_ＡＩＣＨを発生させ、前記ＡＰ_ＡＩＣＨを伝送した後、前記のようなチャンネルを割り当てるためのＣＡ_ＩＣＨを伝送することもできる。
【００５０】
図３は、本発明の実施形態による逆方向共通パケットチャンネル(ＣＰＣＨ)、またはアップリンク共通チャンネルを設定するためのＵＥとＵＴＲＡＮとの間の信号フローを示す。本発明の実施形態において、前記アップリンク共通チャンネルに逆方向共通パケットチャンネルを使用すると仮定する。しかし、前記アップリンク共通チャンネルは、前記共通パケットチャンネル以外の他の共通チャンネルにも使用されることができる。
【００５１】
図３を参照すると、ＵＥは、アップリンク放送チャンネル(Downlink Broadcasting Channel)を通じてダウンリンクのタイム同期を遂行した後、前記アップリンク共通チャンネルまたはＣＰＣＨに関連した情報を獲得する。前記アップリンク共通チャンネルに関連した情報は、ＡＰに使用されるスクランブリングコード及びシグネチャーの数、及びダウンリンクのＡＩＣＨタイミングなどに関する情報を含む。参照番号３０１は、ＵＴＲＡＮからＵＥに伝送されるダウンリンク信号を示し、参照番号３３１は、ＵＥからＵＴＲＡＮに伝送されるアップリンク信号を示す。前記ＵＥがＣＰＣＨを通じて信号を伝送しようとする場合、先ずＣＰＣＨ状態表示チャンネル（ＣＰＣＨ Status Indicator Channel：以下、ＣＳＩＣＨと略称する。）を通じてＵＴＲＡＮ内のＣＰＣＨの状態に関する情報を受信する。従来技術において、前記ＣＰＣＨの状態に関する情報とは、ＵＴＲＡＮ内のＣＰＣＨに関する情報、すなわち、ＣＰＣＨの数と使用可能性などに関する情報を意味する。しかし、本発明の好適な実施形態では、各ＣＰＣＨに使用可能な最大データ伝送速度と、ＵＥが一つのＣＰＣＨを通じた多重符号の伝送を遂行する場合、いくつかの多重符号を伝送することができるかに関する情報を意味する。本発明は、従来技術のように、各ＣＰＣＨチャンネルの使用可能性に関する情報を伝送する場合でさえ、本発明によるチャンネル割当て方法を使用することができる。前述したような使用可能なデータ伝送速度は、次世代非同期移動通信システム(Ｗ-ＣＤＭＡ、すなわち、非同期移動通信の第三世代移動通信システム)でチャンネルの当たり最小１５Ｋsps(symbols per second)から最大９６０Ｋspsであり、多重符号の数は１個から６個までである。
【００５２】
ＣＰＣＨ状態表示チャンネル(ＣＳＩＣＨ)
図４Ａ及び図４Ｂは、本発明の実施形態によるＣＳＩＣＨのチャンネル構造及び生成構造を示す。前記ＣＳＩＣＨは、Ｗ-ＣＤＭＡ方式で、アップリンク共通チャンネルのチャンネル獲得に対するＡＣＫまたはＮＡＫを伝送するために使用されるＡＰ補足表示チャンネル(ＡＩＣＨ)のうち、使用されていない後部分の８ビットを使用してＵＴＲＡＮ内のＣＰＣＨの状態に関する情報を伝送するチャンネルである。
【００５３】
図４Ａは、使用されないＡＩＣＨ部を使用するＣＳＩＣＨのチャンネル構造を示す。ＡＩＣＨの長さは、Ｗ-ＣＤＭＡ方式で４０ビットである。前記ＡＰ_ＡＩＣＨは、ＡＩＣＨの３２ビットを使用し、ＣＳＩＣＨは、使用されないＡＩＣＨ部を使用する。これらは、ＡＰの伝送及びＡＰ_ＡＩＣＨの受信の基準になる１つのアクセススロットで伝送される。前記アクセススロットは、５,１２０チップの長さを有し、１５個のアクセススロットは、２０ｍｓフレームである。
【００５４】
図４Ｂは、ＣＳＩＣＨの生成構造を示す。図４Ｂにおいて、参照番号４０３は、ＡＰ_ＡＩＣＨ及びＣＳＩＣＨが１つのアクセススロットに伝送される構造を示す。前記ＡＰ_ＡＩＣＨ部に伝送するデータがないと、ＡＰ_ＡＩＣＨ部は伝送されない。前記ＡＰ_ＡＩＣＨ及びＣＳＩＣＨは、乗算器４０２によってチャンネル区分コードで拡散される。前記チャンネル区分コード４０５は、ＵＴＲＡＮで指定するチャンネル区分コードであり、前記ＡＰ_ＡＩＣＨ及びＣＳＩＣＨは、同一のチャンネル区分コードを使用する。前記チャンネル区分コードは、ＵＴＲＡＮによって割り当てられ、本発明の実施形態において、チャンネル区分コードの拡散率(Spreading Factor；ＳＦ)を２５６であると仮定する。前記拡散率とは、一つのシンボルごとに拡散率の長さを有するＯＶＳＦコードにＡＰ_ＡＩＣＨ及びＣＳＩＣＨが乗算されることを意味する。Ｗ-ＣＤＭＡ方式で、ＡＰ_ＡＩＣＨ及びＣＳＩＣＨの１つのシンボルは２ビットで構成される。参照番号４０７は、ＡＰ_ＡＩＣＨ及びＣＳＩＣＨのフレーム構造を示し、７６,８００チップの長さを有する２０ｍｓフレームを示し、１５個のアクセススロットで構成される。フレーム４０７は、毎アクセススロットごとＡＰ_ＡＩＣＨ及びＣＳＩＣＨを通じて異なる情報を伝送することができ、２０ｍｓフレームごとに伝送されるＣＳＩＣＨに関する情報は１２０ビットになる(８ビット＊１５スロット／フレーム=１２０ビット／フレーム)。前記説明において、ＣＳＩＣＨを通じてＣＰＣＨチャンネル状態情報を伝送するとき、ＡＰ_ＡＩＣＨのうちの使用されない後部分の８ビットを利用する。しかし、ＣＤ_ＩＣＨの構造は前記ＡＰ_ＡＩＣＨの構造と同一であるので、前記ＣＳＩＣＨを通じて伝送されるＣＰＣＨチャンネル状態情報を、前記ＣＤ_ＩＣＨを通じて伝送することもできる。
【００５５】
本発明の実施形態において、ＣＳＩＣＨに伝送した情報は、ＣＰＣＨの最大使用可能な伝送速度の７種類(ＳＦ４〜ＳＦ２５６)に関する情報と、多重符号の伝送が１つのＣＰＣＨで使用される場合、使用された多重符号の数に関する情報とを含む。下記＜表１＞は、このような方法の応用例を示す。
【００５６】
＜表１＞で、多重符号は拡散率４を有し、Ｗ−ＣＤＭＡシステムでは、ＵＥが多重符号の伝送を遂行すると、ＵＥのチャンネル区分コードのために拡散率４のみを使用することができるように規定している。＜表１＞に示すように、本発明の実施形態において、ＣＳＩＣＨを通じて伝送されたＣＰＣＨの最大データ伝送速度情報は４ビットで表現されることができる。ＣＳＩＣＨを通じてＣＰＣＨを使用しようとするＵＥに伝送する方法として、ＣＳＩＣＨに割り当てられた１個の８ビットアクセススロット内に２回反復して前記４ビットを伝送することができ、または(８，４)符号化方法を使用して伝送することもできる。
【００５７】
【表１】
2004312771.tif 000003
前記説明で、ＵＥがＣＰＣＨの最大使用可能な伝送速度を通報するのに４ビットを使用し、多重符号の数を使用する。しかし、多重符号が使用されない場合、(８,３)コーディングを使用して１つのスロットに８シンボルを伝送するか、または３ビットを２回反復し、前記３ビットのうち１シンボルをもう一回反復することもできる。
【００５８】
前述した符号化を使用する伝送方法は、ＣＰＩＣＨを通じて伝送される状態表示（Status Indicator：以下、ＳＩと略称する。）情報の信頼度を高めるためにエラー訂正符号で符号化し、アクセスフレームのアクセススロットに８個の符号化シンボルを入力した後、アクセスフレームごとに総１２０個の符号化シンボルを伝送する。このとき、ＳＩ情報ビットの数、各状態情報の意味、及び伝送方法に対しては、ＵＴＲＡＮ及びＵＥが予め設定する。そして、放送チャンネル(Broadcasting channel：ＢＣＨ)を通じてシステムパラメータとして伝送されることもできる。このような場合、ＵＥも前記ＳＩ情報ビットの数及び伝送方法を予め知っており、ＵＴＲＡＮから受信されたＣＳＩＣＨ信号を復号化する。
【００５９】
図５は、ＳＩ情報ビットを伝送するためのＣＳＩＣＨ符号器の構造を示す。
図５を参照すると、ＵＴＲＡＮは、アップリンクＣＰＣＨの現在の使用状態、すなわち、現在のアップリンクチャンネルのデータ伝送速度及びチャンネル状態を確認した後、ＣＳＩＣＨチャンネルの最大データ伝送速度を決定する。その後、前記＜表２＞に示すような該当情報ビットをＣＳＩＣＨを通じてＣＰＣＨの最大データ伝送速度で伝送する。前記情報ビットは、下記＜表３＞に示す入力ビットである。前記入力ビットを符号化する方法は、伝送方法によって多様であることができる。すなわち、符号化方法は、チャンネル状態情報をフレーム単位またはスロット単位に提供するか否かによって変わることができる。
【００６０】
まず、チャンネル状態情報をフレーム単位で伝送する場合を説明する。前記入力情報(ＳＩビット)及び前記ＳＩビット数に対する制御情報は、反復器５０１に同時に入力される。このとき、入力情報ビットの数をＵＴＲＡＮ及びＵＥが予め知っている場合、前記ＳＩビット数に対する制御情報は不要である。その後、前記反復器５０１は、前記ＳＩビットを前記ＳＩビット数に対する制御情報によって反復する。図５のＣＳＩＣＨ符号器の動作について説明する。３個のＳＩビットＳ０、Ｓ１、及びＳ２を受信すると、前記反復器５０１は、ＳＩのビット数が３個であることを示す制御情報によって前記受信されたＳＩビットを反復し、Ｓ０、Ｓ１、Ｓ２、Ｓ０、Ｓ１、Ｓ２、．．．、Ｓ０、Ｓ１、Ｓ２のような形態の６０個の反復されたビット列を出力する。前記反復された６０個のビット列が４ビット単位で符号器５０３に入力されると、前記符号器５０３は、前記４ビット単位で入力されるビット列のビットを(８，４)両直交符号(Bi-orthogonal code)で符号化し、８個ずつの符号化シンボルを出力する。このような方式において、前記６０個の入力ビット列を符号化すると、前記符号器５０３から１２０個のシンボルが出力される。従って、一つのＣＳＩＣＨのスロットごとに８個のシンボルを伝送すると、一つのＣＳＩＣＨフレームで１２０個のシンボルを伝送することができる。例えば、入力情報が４ビットである場合、入力４ビットは反復器５０１によって１５回反復され、６０個のビットとして出力される。前記出力された６０個のビットは、(８，４)両直交符号器５０３によって４ビット単位で両直交符号に符号化され、出力シンボルは８シンボルである。従って、入力ＳＩビット及び出力ＳＩシンボルの数を考慮すると、１つのフレーム内の各スロットに入力情報を伝送することもできる。このような方法は、反復器を除去し、入力４ビットを８シンボルの両直交符号で出力してスロットごとに(または１５個のスロット)同一の両直交符号を伝送することと同一である。
【００６１】
入力が３ビットであり、(８，３)符号器を使用する場合でも、前記反復器５０１は意味がない。従って、具現の時、反復器５０１を除去することができ、入力３ビットに対する８個のシンボルを出力することにより、スロットごとに(１５個のスロット)同一の符号化シンボルを伝送することができる。前述したように、スロットごとに同一のシンボルを伝送することができれば、ＵＴＲＡＮは、スロット単位でＵＥにＰＣＰＣＨチャンネル状態情報を伝送することができる。すなわち、ＵＴＲＡＮは、スロット単位でＵＥにデータを伝送する最大データ伝送速度を決定することができ、前記決定された最大データ伝送速度に該当する入力ビットをスロット単位で決定することができる。そして、前記決定された入力ビットをスロット単位で伝送する。この場合、ＵＴＲＡＮは、スロット単位でアップリンクチャンネルのデータ伝送速度及び状態を検査しなければならない。これは、ＵＴＲＡＮの複雑度を増加させることができる。そこで、ＵＴＲＡＮの複雑度を減少させるために、幾つのスロット単位で最大データ伝送速度を伝送することもできる。
【００６２】
このとき、符号化に使用される(８，４)両直交エラー訂正符号は、下記＜表２＞に示すような４入力ビットと８出力シンボルとの間の関係を有する。
【００６３】
【表２】
2004312771.tif 000004
図６は、図５のＣＳＩＣＨ符号器に対応するＣＳＩＣＨ復号器の構造を示すもので、図５の符号器を説明する順序で復号器の動作を説明する。
【００６４】
一番目の例として、まず、入力が３ビットであり、前記入力３ビットを２０回反復して６０ビットを生成する反復器を有する(８，４)両直交符号器に対応する復号器の動作を説明する。前記復号器は、前記反復された６０ビットを４ビット単位で受信する。受信信号が８シンボルずつ入力されると、相関度計算器６０１は、前記受信信号と(８，４)両直交符号との相関度を計算し、＜表２＞に示す前記受信信号と１６個の値との１６個の相関値を出力する。前記出力相関値がＬＬＲ(Likelihood Ratio)値計算器６０３に入力されると、確率Ｐ０と確率Ｐ１との比を計算して４ビットＬＬＲ値を出力する。ここで、確率Ｐ０とは、ＳＩビット数によって決定された制御情報に従って、ＵＴＲＡＮから伝送した４個の情報ビットに対する復号化された各ビットが０になる確率を意味し、確率Ｐ１とは、前記復号化ビットが１になる確率を意味する。すると、前記ＬＬＲ値は、ＬＬＲ値累算器６０５に入力される。次のスロットで８個のシンボルが受信されると、復号器は、前述したような過程を反復してＬＬＲ計算器６０３から出力される４ビットを既存値に加算する。１５個のスロットのＬＬＲ値を受信してすべて計算した後、前記復号器は、ＬＬＲ値累算器６０５に貯蔵された１６個の相関値のうち一番大きい相関値を選択して状態情報を判断する。
【００６５】
二番目に、入力が４または３ビットであり、(８，４)または(８，３)符号器を使用し、反復器を使用しない場合について説明する。受信信号が相関度計算器６０１に８個のシンボル単位で入力されると、前記相関度計算器６０１は、前記受信された信号と(８，４)または(８，３)両直交符号との相関度を計算する。このとき、スロット単位でＵＴＲＡＮから状態情報が常に受信されると、前記復号器は、前記相関度によって最大相関値を利用してＵＴＲＡＮから伝送した状態情報を判断する。
【００６６】
三番目に、ＵＴＲＡＮが１５個のスロット(一つのフレーム)単位で同一の状態情報を反復して伝送する場合について説明する。受信信号が相関度計算器６０１に８個のシンボルずつ入力されると、前記相関度計算器６０１は、前記受信された信号と(８，４)または(８，３)両直交符号との相関度を計算し、前記計算された相関値をＬＬＲ値計算器６０３に出力する。その後、前記ＬＬＲ値計算器６０３は、確率Ｐ０と確率Ｐ１との比を計算して４ビットのＬＬＲ値を出力する。ここで、確率Ｐ０は、ＳＩビット数に基づき決定される制御情報によってＵＴＲＡＮから伝送した４情報ビットの復号化されたビットが０になる確率を示し、確率Ｐ１は、前記復号化されたビットが１になる確率を示す。すると、前記ＬＬＲ値は、ＬＬＲ値累算器６０５に累算される。次のスロットで受信された８個のシンボルの場合、前記復号器は、前記過程を反復して前記計算された値を既存のＬＬＲ値に累算する。このような方式で、前記復号器は、前記ＬＬＲ値累算器６０５に累算された値を利用してＵＴＲＡＮから伝送した前記状態情報を判断する。
【００６７】
ＣＳＩＣＨを通じて伝送される情報ビットを符号化する従来技術の方法に比べて、より向上した性能を提供する他の実施形態について説明する。本発明の理解を助けるために、ＣＳＩＣＨに伝送すべき情報ビットが４個であると仮定する。前記情報ビットは、Ｓ０、Ｓ１、Ｓ２、及びＳ３の順に表れる。従来技術において、前記情報ビットは単純に反復されて伝送される。すなわち、一つのフレーム内に１２０個のビットが伝送されると、Ｓ０、Ｓ１、及びＳ２のそれぞれは３０回反復され、Ｓ３も３０回反復される。従来技術での問題点は、ＵＥが一つのフレームを完全に受信した後にのみ、必要なＣＰＣＨ情報を受信することができるということにある。従って、ＣＳＩＣＨ情報ビットを伝送する本発明の他の実施形態では、前記情報ビットを伝送する手順を変えてタイムダイバーシティを獲得し、一つのフレームのＣＰＣＨが完全に受信されないとしても、ＵＥは、ＣＰＣＨ状態を分かる。前記情報ビットの伝送手順をＳ０、Ｓ１、Ｓ２、Ｓ３、Ｓ０、Ｓ１、Ｓ２、Ｓ３、Ｓ０、Ｓ１、Ｓ２、Ｓ３、．．．、Ｓ０、Ｓ１、Ｓ２、及びＳ３とすると、加算性白色ガウス雑音（Additive White Gaussian Noise：以下、ＡＷＧＮと略称する。）環境では、同一の符号の利得を有する。しかし、移動通信システムで必ず発生するフェーディング環境では、タイムダイバーシティの利得を有するので、本発明は、従来技術に比べてさらに向上した符号利得を有する。また、ＣＳＩＣＨの一つのスロット(情報ビットの数が４個以下である場合)のみを受信しても、ＵＥは、ＵＴＲＡＮ内のＣＰＣＨ状態を分かる。一方、ＣＳＩＣＨに伝送される情報ビットが多い場合でも、従来技術よりはもっと迅速にＵＴＲＡＮ内のＣＰＣＨに関する情報を分かる。
【００６８】
従来技術では、ＵＴＲＡＮで使用した各ＣＰＣＨの状態に関する情報がＣＳＩＣＨを通じて伝送されるので、ＵＴＲＡＮは、ＣＰＣＨの数に対応するＳＩビットを必要とし、一つのＣＳＩＣＨスロット内に前記情報を伝送することができない。しかし、前記情報を一つのフレームの全体スロットに区分して伝送する。従って、ＣＰＣＨを使用しようとするＵＥは、ＵＴＲＡＮ内のＣＰＣＨ状態を知るために、このような実施形態よりずっと長い時間ＣＳＩＣＨを受信すべきである。また、ＵＥがＣＳＩＣＨ情報を認識するためには、各ＣＳＩＣＨ情報が開始するスロットに関する情報及び各ＣＳＩＣＨ情報が終了するスロットに関する情報をかならず必要とする。しかし、本発明の実施形態では、ＣＰＣＨが支援する最大データ伝送速度、そして、多重符号を使用する場合、ＣＰＣＨごとに使用されることができる多重符号の数が伝送されるので、前記ＣＰＣＨの状態情報は、ＵＴＲＡＮが使用するＣＰＣＨの数に関わらず、単純に４ビットで表現されることができる。図５及び図６において、最大使用可能なデータ伝送速度がＣＳＩＣＨ情報に使用される場合、ＣＰＣＨデータ伝送速度の種類が７個であるので、ＣＳＩＣＨ情報を３ビットで表現することができる。多重符号が使用され、多重符号の数がＣＳＩＣＨ情報に加えられる場合、ＣＳＩＣＨ情報の種類が１２個であるので、従来の情報を４ビットで表現することができる。
【００６９】
従って、十進数で表現された１３、１４、１５、及び１６である使用されないＳＩ情報ビットが他の情報に割り当てられることもできる(例えば、ＣＰＣＨメッセージ部の伝送に使用される最大使用可能のフレーム数を示すことができるＮＦＭ(Number of Frame Max))。ＵＴＲＡＮは、前述したように、ＣＰＣＨごとに１つのＮＦＭを設定することができる。また、前記ＮＦＭは、ＣＡに対応することができ、またはダウンリンクＤＰＣＣＨに対応することができる。前記ＮＦＭを選択するために、ＵＥは、ＡＰに対応することができ、またはＡＰ下位チャンネルに対応することができる。他の方法において、ＮＦＭを使用せずスーパービジョン(supervision)を利用することもできる。すなわち、伝送するデータがない場合、ＵＥは伝送を中断し、ＵＴＲＡＮは、これを感知した後チャンネルを解除する。なお他の方法において、前記ＮＦＭは、ダウンリンクＤＰＤＣＨを利用してＵＥに伝送されることもできる。
【００７０】
ＡＰ／ＡＰ_ＡＩＣＨ
図４のＣＳＩＣＨを通じてＵＴＲＡＮ内のＣＰＣＨに関する情報を受信すると、ＵＥは、ＣＰＣＨチャンネル使用権及びＣＰＣＨチャンネル使用に関する情報を獲得するために、図３のＡＰ３３３を伝送するように準備する。
【００７１】
ＡＰ３３３を伝送するために、ＵＥは、ＡＰ用シグネチャーを選択すべきであり、本発明の好適な実施形態では、シグネチャーの選択の前にＣＳＩＣＨを通じて獲得したＵＴＲＡＮ内のＣＰＣＨに関する情報と、ＵＥがＣＰＣＨを通じて伝送するデータの特性に基づいて適切なＡＳＣを選択することもできる。例えば、前記ＡＳＣは、ＵＥの等級に従って区別されることができ、ＵＥが要求したデータ伝送速度、または、ＵＥが選択したサービスの種類に従って区別されることもできる。前記ＡＳＣに関する情報は、放送チャンネルを通じてＵＴＲＡＮによってＵＥに伝送され、ＵＥは、ＣＳＩＣＨ及びＣＰＣＨを通じて伝送されるデータの特性に従って適切なＡＳＣを選択する。前記ＡＳＣを選択した後、ＵＥは、ＡＳＣ案で定義されているＡＰ下位チャンネルグループのうちの一つを任意に選択する。また、ＵＥは、下記＜表３＞を利用して、使用可能のアクセススロット及び現在のダウンリンクフレームがＵＴＲＡＮから伝送したｎ番目フレームであることを示すシステムフレーム番号（System Frame Number：以下、ＳＦＮと略称する。）を誘導し、前記誘導されたアクセススロットの１つを任意に選択する。ＵＴＲＡＮから伝送したフレームに使用されるＳＦＮをＫとして定義すると、ＵＥは、(Ｋ＋１)及び(Ｋ＋２)番目フレームで使用可能なアクセススロットを誘導する。その後、ＵＥは、前記選択されたアクセススロットでＡＰ３３３を伝送する。前記“ＡＰ下位チャンネルグループ”とは、下記＜表３＞に示すような１２個の下位チャンネルグループを意味する。
【００７２】
【表３】
2004312771.tif 000005
図３のＡＰ３３１を伝送するために使用したアクセススロットの構造は、図７に示されている。参照番号７０１はアクセススロットを示し、５，１２０チップの長さを有する。前記アクセススロットは、２０ｍｓフレーム、すなわち２つの無線フレーム(radio frame)の間１５回伝送される。Ｗ-ＣＤＭＡ方式で、１つの無線フレームは１０ｍｓの長さを有し、基本伝送単位であり、２，５６０チップのスロット長さを１５回反復して構成する。前記アクセススロット番号は、０番から１４番まで反復される構造を有する。参照番号７０３は、０番目〜１４番目のアクセススロットを通じて伝送される２つの無線フレームを示す。
【００７３】
図７を参照すると、０番目アクセススロットの開始は、ＳＦＮが１０ｍｓの単位を有するので、ＳＦＮが偶数であるフレームの開始と同一であり、１４番目アクセススロットの終了は、ＳＦＮが奇数であるフレームの終了と同一である。
【００７４】
前述したような方式にて、ＵＥは、有効なシグネチャーまたはＣＰＣＨ用下位チャンネルグループで定義されているシグネチャーのうちの１つを任意に選択する。前記下位チャンネルグループは、ＵＴＲＡＮが割り当てたＡＳＣ案に定義されている。ＵＥは、前記選択されたシグネチャーを利用してＡＰ３３１を構成した後、ＵＴＲＡＮのタイミングと同期してＵＴＲＡＮに伝送する。シグネチャーの選択及びＡＰの生成方法は、前述したようである。
【００７５】
前記ＡＰ３３１は、ＡＰに使用するＡＰシグネチャーによって区分される。各シグネチャーは、最大データ伝送速度にのみマッピングされることができ、または、最大データ伝送速度及びＮＦＭにマッピングされることもできる。従って、ＡＰが示す情報は、ＵＥが使用しようとするＣＰＣＨの最大データ伝送速度、またはＣＰＣＨメッセージ部の伝送に使用されるフレーム数、または前記２種類の情報の組合せを意味する。例えば、ＡＰ３３１を伝送した後、ＵＥは、一定の時間(すなわち、３または４スロットに該当する時間)３３２の間、ＵＴＲＡＮからＡＰ_ＡＩＣＨ信号の受信を待機する。前記ＡＰ_ＡＩＣＨ信号を受信すると、前記ＡＰ_ＡＩＣＨ信号は、ＵＥが伝送したＡＰシグネチャーに対する応答を含んでいるか否かを確認する。ＡＰ_ＡＩＣＨ信号が時間３３２内で受信されず、またはＡＰ_ＡＩＣＨ信号がＮＡＫ信号である場合、前記ＡＰ３３５の送信電力を増加させ、前記増加された送信電力でＡＰ３３５をＵＴＲＡＮに伝送する。ＵＴＲＡＮがＡＰ３３５を受信し、ＵＥが要求した伝送速度を有するＣＰＣＨを割り当てることができる場合、ＵＴＲＡＮは、受信されたＡＰ３３５の応答として、予め約束された時間３０２が経過した後ＡＰ_ＡＩＣＨ３０３をＵＥに伝送する。この場合、ＵＴＲＡＮの全体アップリンク容量が所定値を超過するか、またはこれ以上の復調がない場合、ＵＴＲＡＮは、ＮＡＫ信号を伝送してアップリンク共通チャンネルを通じたＵＥの伝送を一時中断させる。また、ＵＴＲＡＮがＡＰの検出に失敗した場合、ＵＴＲＡＮは、前記ＡＰ_ＡＩＣＨ３０３のようなＡＩＣＨにＡＣＫ信号またはＮＡＫ信号を伝送することができない。従って、本発明の実施形態では、何も伝送されないと仮定する。
【００７６】
ＣＤ  前記ＡＰ_ＡＩＣＨ３０３を通じてＡＣＫ信号を受信すると、ＵＥは、ＣＤ_Ｐ３３７を伝送する。前記ＣＤ_Ｐの構造はＡＰの構造と同一であり、ＣＤ_Ｐの構成に使用したシグネチャーは、ＡＰに使用したシグネチャーグループと同一のシグネチャーグループから選択されることもできる。ＡＰと同一のシグネチャーグループのうちでＣＤ_Ｐに使用するシグネチャーを使用する場合、ＡＰとＣＤ_Ｐとを区別するために、ＡＰとＣＤ_Ｐに異なるスクランブリングコードを使用する。前記スクランブリングコードは、ＡＰとＣＤ_Ｐとを区別するために、同一の初期値を有するが、異なるスタート点を有する。また、ＡＰ及びＣＤ_Ｐのスクランブリングコードは、異なる初期値を有することができる。前記のように、任意に選択されたシグネチャーを利用してＣＤ_Ｐを伝送する理由は、二つまたはそれ以上のＵＥが同時に同一のＡＰを伝送し、ＡＰ_ＡＩＣＨを通じてＡＣＫを受信した場合、同一のＣＤ_Ｐを選択する確率を減少させるためである。従来技術では、所定の伝送時点で伝送された一つのＣＤ_Ｐが異なるＵＥ間のアップリンク衝突の確率を減少させるために使用される。しかし、前記方法で、他のユーザーが予め伝送したユーザーと同一のＣＤ_Ｐを使用してＵＴＲＡＮにＣＰＣＨの使用権を要求し、ＵＴＲＡＮが予め伝送したＣＤ_Ｐに対する応答を伝送する時間がないと、ＵＴＲＡＮは、後にＣＤ_Ｐを伝送したＵＥに応答することができない。ＵＴＲＡＮが後にＣＤ_Ｐを伝送した他のＵＥに応答するとしても、先ず、ＣＤ_Ｐを伝送したＵＥ間のアップリンク衝突の確率、及び後にＣＤ_Ｐを伝送した他のＵＥが増加することができる。
【００７７】
図３において、ＵＴＲＡＮは、ＵＥが伝送したＣＤ_Ｐ３３７に対する応答としてＣＤ/ＣＡ_ＩＣＨ３０５を伝送する。まず、前記ＣＤ/ＣＡ_ＩＣＨのうちのＣＤ_ＩＣＨについて説明する。前記ＣＤ_ＩＣＨは、ＣＤ_Ｐの生成に使用されるシグネチャーを利用して、ＵＥにＡＣＫ信号を伝送するダウンリンクチャンネルである。前記ＣＤ_ＩＣＨは、ＡＰ_ＡＩＣＨと異なる直交チャンネル区分コードを利用して拡散されることができる。従って、前記ＣＤ_ＩＣＨ及びＡＰ_ＡＩＣＨは、異なる物理チャンネルを通じて伝送されることができ、または、一つの直交チャンネルを時分割して同一の物理チャンネルを通じて伝送されることもできる。本発明の好適な実施形態において、前記ＣＤ_ＩＣＨをＡＰ_ＡＩＣＨと異なる物理チャンネルを通じて伝送すると仮定する。すなわち、前記ＣＤ_ＩＣＨ及びＡＰ_ＡＩＣＨのそれぞれは、長さ２５６の異なる直交拡散符号で拡散され、独立した物理チャンネルを通じて伝送される。
【００７８】
ＣＡ  図３において、ＣＡ_ＩＣＨは、ＵＴＲＡＮがＵＥに割り当てるＣＰＣＨのチャンネル情報とＣＰＣＨの電力制御を割り当てるダウンリンクチャンネルの割当て情報を含む。アップリンク送信電力を制御するために、ダウンリンクチャンネルを割り当てる方法では、利用可能の方法が多数ある。
【００７９】
ＣＰＣＨの送信電力を制御する第１方法でダウンリンク共通電力制御チャンネル(downlink shared power control channel)を使用する。前記共通電力制御チャンネルを利用してチャンネルの送信電力を制御する方法は、本願出願人により先出願された韓国特許出願第１９９８−１０３９４号に詳細に開示されている。また、前記共通電力制御チャンネルを利用して前記ＣＰＣＨに対する電力制御命令を伝送することができる。前記ダウンリンク共通電力制御チャンネルの割当て方法は、電力制御に使用するダウンリンク共通電力制御のチャンネル番号及びタイムスロットに関する情報を含むことができる。
【００８０】
ＣＰＣＨの送信電力を制御する第２方法で、メッセージ及び電力制御命令に時分割されたダウンリンク制御チャンネルを使用することができる。Ｗ-ＣＤＭＡシステムでは、ダウンリンク共通チャンネルの制御のために前記チャンネルを定義している。このようにデータ及び電力制御命令を時分割して伝送する場合でも、チャンネル情報は、ダウンリンク制御チャンネルのチャンネル番号及びタイムスロットに関する情報を含む。
【００８１】
ＣＰＣＨの送信電力を制御する第３方法で、一つのダウンリンクチャンネルをＣＰＣＨの制御のために割り当てることができる。このようなチャンネルを通じて電力制御命令及び制御命令が共に伝送されることができる。この場合、チャンネル情報は、ダウンリンクチャンネルのチャンネル番号になる。
【００８２】
本発明の好適な実施形態において、ＣＤ/ＣＡ_ＩＣＨが同時に伝送されると仮定する。しかし、ＣＤ_ＩＣＨを伝送した後ＣＡ_ＩＣＨを伝送することができる。ＣＤ_ＩＣＨ/ＣＡ_ＩＣＨを同時に伝送するとしても、これらを異なるチャンネル区分コードまたは同一のチャンネル区分コードで伝送することもできる。また、上位階層からのメッセージの処理による遅延を短縮させるために、ＣＡ_ＩＣＨを通じて伝送されたチャンネル割当て命令は、ＣＤ_ＩＣＨと同一な形態で伝送されると仮定する。このような場合、１６個のシグネチャー及び１６個のＣＰＣＨが存在すると、それぞれのＣＰＣＨは、シグネチャーのうちの１つに該当する。例えば、ＵＴＲＡＮがＵＥにメッセージを伝送するために５番目のＣＰＣＨを割り当てようとする場合、ＵＴＲＡＮは、チャンネル割当て命令で５番目のＣＰＣＨに該当する５番目のシグネチャーを伝送する。
【００８３】
チャンネル割当て命令を通じて伝送されるＣＡ_ＩＣＨのフレームが２０ｍｓの長さを有し、１５個のスロットを含むと仮定すると、この構造は、ＡＰ_ＡＩＣＨ及びＣＤ_ＩＣＨの構造と同一である。前記ＡＰ_ＡＩＣＨとＣＤ_ＩＣＨを伝送するフレームは１５個のスロットで構成され、各スロットは２０個のシンボルで構成されることができる。一つのシンボル周期(または区間)が２５６チップの長さを有し、ＡＰ、ＣＤ、及びＣＡに応答する部分が１６個のシンボル区間でのみ伝送されると仮定する。
【００８４】
従って、図３に示すように伝送されたチャンネル割当て命令は、１６個のシンボルで構成されることができ、各シンボルは、２５６個のチップの長さを有する。また、前記シンボルごとに１ビットのシグネチャー及び拡散符号が乗じられ、その後、ダウンリンクを通じて伝送され、前記各シグネチャー間には、直交性(orthogonal property)が保証される。
【００８５】
本発明の好適な実施形態において、１つのＣＡメッセージに対してＣＡ_ＩＣＨを通じて１個のシグネチャーを伝送することができ、または、１つのＣＡメッセージに対してＣＡ_ＩＣＨを通じて２個または４個のシグネチャーを伝送することもできる。すなわち、チャンネル割当て命令に使用される複数のシグネチャーは、ＣＡ_ＩＣＨを通じて伝送されることができる。
【００８６】
図３において、ＵＴＲＡＮから伝送されたＣＤ/ＣＡ_ＩＣＨ３０５を受信すると、ＵＥは、ＣＤ_ＩＣＨがＡＣＫ信号を含むか否かを確認し、ＣＡ_ＩＣＨを通じて伝送されたＣＰＣＨチャンネルの使用に関する情報を分析する。前記２種類の情報は、順次的にまたは同時に分析されることができる。図３に示すように、前記受信されたＣＤ/ＣＡ_ＩＣＨ３０５の中でＣＤ_ＩＣＨを通じてＡＣＫ信号を受信すると、ＵＥは、ＵＴＲＡＮが割り当てたＣＰＣＨのチャンネル情報によってＣＰＣＨのデータ部３４３及び制御部３４１を構成する。また、前記ＣＰＣＨのデータ部３４３及び制御部３４１を伝送する前、前記ＣＤ/ＣＡ_ＩＣＨが受信される時点から一定の時間が経過した後、ＵＥは、電力制御プリアンブル(ＰＣ_Ｐ)３３９をＵＴＲＡＮに伝送する。
【００８７】
ＰＣ_Ｐ
Ｗ-ＣＤＭＡ方式において、前記電力制御プリアンブルＰＣ_Ｐが０または８スロットの長さを有するとしても、本発明の好適な実施形態で、前記電力制御プリアンブルＰＣ_Ｐ３３９が８個のスロットを伝送すると仮定する。前記電力制御プリアンブルＰＣ_Ｐの第１目的は、前記電力制御プリアンブルのパイロットフィールドを利用して、ＵＴＲＡＮがＵＥのＣＰＣＨの初期送信電力を設定できるようにする。しかし、本発明の実施形態では、他の用度として、前記電力制御プリアンブルは、ＵＥで受信したチャンネル割当てメッセージの再確認のために使用することができる。前記チャンネル割当てメッセージを再確認する理由は、ＵＥで受信したＣＡ_ＩＣＨにエラーがあるので、ＵＥがＣＰＣＨを不適に設定して他のＵＥが使用したＣＰＣＨと衝突することを防止するためである。前記チャンネル割当てメッセージを再確認する目的で電力制御プリアンブルを使用する場合、電力制御プリアンブルは、８個のスロットの長さを有しなければならない。
【００８８】
前記再確認方法は、幾つの方法にて区分されることができる。(１) ＵＥが受信したＣＡ_ＩＣＨのシグネチャーを電力制御プリアンブルのパイロットビットに１：１に対応させて伝送する方法、(２) 受信されたＣＡシグネチャーをチップレベルで電力制御プリアンブルに乗算して伝送する方法、(３) 前記ＣＡシグネチャー及びＰＣ_Ｐに使用されるチャンネル区分コードを１：１に対応させ、前記受信されたＣＡシグネチャーに対応するチャンネル区分コードで電力制御プリアンブルをチャンネル拡散して伝送する方法、(４) 前記ＣＡシグネチャー及びＰＣ_Ｐに使用されるアップリンクスクランブリングコードを１：１に対応させて前記受信されたＣＡシグネチャーに対応するアップリンクスクランブリングコードで電力制御プリアンブルを拡散して伝送する方法などがある。前記ＣＡメッセージの再確認方法が電力制御プリアンブルに使用されるとしても、ＵＴＲＡＮは、電力制御プリアンブルに使用されるパイロットビットのパターンをすでに知っているので、電力測定及びＣＡメッセージに対する確認に難しさがない。
【００８９】
前記電力制御プリアンブル３３９が伝送される時期と類似な時期に、ＵＴＲＡＮは、該当ＵＥに対するＣＰＣＨのアップリンク電力制御のためのダウンリンク専用チャンネルを伝送し始める。前記ダウンリンク専用チャンネルに対するチャンネル区分コードはＣＡメッセージを通じてＵＥに伝送され、前記ダウンリンク専用チャンネルは、パイロットフィールド、電力制御命令語フィールド、及びメッセージフィールドで構成される。前記メッセージフィールドは、ＵＴＲＡＮがＵＥに伝送すべきデータがある場合にのみ伝送される。図３の参照番号３０７は、アップリンク電力制御命令語フィールドを示し、参照番号３０９はパイロットフィールドを示す。
【００９０】
図３の電力制御プリアンブル３３９が電力制御だけではなく、ＣＡ(Channel Allocation)メッセージを再確認するのに使用される場合、ＵＴＲＡＮがＰＣ_Ｐを通じて受信したＣＡ再確認メッセージが、ＵＴＲＡＮがＣＤ／ＣＡ_ＩＣＨ３０５を通じて伝送したＣＡメッセージと異なると、ＵＴＲＡＮは、設定されたダウンリンク専用チャンネルの電力制御フィールドを利用して、送信電力ダウン命令語（transmission power-decreasing command）をＵＥに継続的に伝送し、順方向アクセスチャンネル（Forward Access Channel：以下、ＦＡＣＨと略称する。）または設定されたダウンリンク専用チャンネルを通じて伝送したＣＰＣＨ伝送中断メッセージをＵＥに伝送する。
【００９１】
図３の電力制御プリアンブル３３９を伝送した後、すぐにＣＰＣＨメッセージ部３４３を伝送する。ＣＰＣＨメッセージ部が伝送される間、ＵＥは、ＵＴＲＡＮからＣＰＣＨ伝送中断命令が受信されると、直ちにＣＰＣＨの伝送を中断する。ＣＰＣＨの伝送の間ＣＰＣＨ伝送中断命令が受信されないと、ＵＥは、ＣＰＣＨの伝送を完了した後、ＵＴＲＡＮからＣＰＣＨに対するＡＣＫまたはＮＡＫを受信する。
【００９２】
スクランブリングコードの構造
図８Ａは、従来技術で使用したアップリンクスクランブリングコードの構造を示し、図８Ｂは、本発明の実施形態で使用するアップリンクスクランブリングコードの構造を示す。
【００９３】
さらに具体的に言うと、図８Ａは、従来技術でＣＰＣＨを初期に設定して伝送する過程で使用したアップリンクスクランブリングコードの構造を示す。参照番号８０１は、ＡＰに使用されるアップリンクスクランブリングコードを示し、参照番号８０３は、ＣＤ_Ｐに使用されるアップリンクスクランブリングコードを示す。前記ＡＰに使用されるアップリンクスクランブリングコード及びＣＤ_Ｐに使用されるアップリンクスクランブリングコードは、同一の初期値、すなわち、同一のシード値(seed value)から生成されるアップリンクスクランブリングコードになることができる。例えば、ＡＰ部分には０番目〜４，０９５番目の値が使用されることができ、ＣＤ_Ｐ部分には４，０９６番目の値〜８，１９１番目の値が使用されることができる。ＵＥは、ＵＴＲＡＮがブロードキャストした前記ＡＰ及びＣＤ_Ｐに使用されるアップリンクスクランブリングコード、またはＵＴＲＡＮが予め設定したアップリンクスクランブリングコードを使用することができる。また、前記アップリンクスクランブリングコードは、長さ２５６のショートシーケンスを使用することができ、前記ＡＰまたはＣＤ_Ｐの区間の間、反復されないロングコードを使用することもできる。図８ＡのＡＰ及びＣＤ_Ｐで、同一のアップリンクスクランブリングコードが使用されることができる。すなわち、同一の初期値から生成したアップリンクスクランブリングコードの特定の部分を使用してＡＰ及びＣＤ_Ｐを同一に使用することができる。このような場合、ＡＰに使用されるシグネチャー及びＣＤ_Ｐに使用されるシグネチャーは、異なるシグネチャーグループから選択される。このような例で、所定のアクセスチャンネルに使用される１６個のシグネチャーのうちで８個がＡＰに割り当てられ、残りの８個のシグネチャーは、ＣＤ_Ｐに割り当てられる。
【００９４】
図８Ａの参照番号８０５及び８０７は、それぞれ電力制御プリアンブルＰＣ_Ｐ及びＣＰＣＨのメッセージ部に使用されるアップリンクスクランブリングコードを示す。同一の初期値を有するアップリンクスクランブリングコードで使用する部分を異なるようにしてＰＣ_Ｐ及びＣＰＣＨメッセージ部に使用する。前記ＰＣ_Ｐ部分及びＣＰＣＨメッセージ部分に使用されるアップリンクスクランブリングコードは、ＡＰ及びＣＤ_Ｐに使用されるアップリンクスクランブリングコードと同一のスクランブリングコードになることができ、または、ＵＥが伝送するＡＰに対するシグネチャーと一対一に対応するアップリンクスクランブリングコードになることもできる。図８ＡのＰＣ_Ｐスクランブリングコード８０５は、アップリンクスクランブリングコード＃ｂの０番目〜２０，４７９番目の値を使用し、メッセージスクランブリングコード８０７は、アップリンクスクランブリングコードのＰＣ_Ｐに使用されるスクランブリングコードの終了点で始める３８，４００の長さを有するスクランブリングコードを使用する。また、前記ＰＣ_Ｐ及びＣＰＣＨメッセージ部に使用されるスクランブリングコードの場合も、長さ２５６を有するスクランブリングコードを使用することができる。
【００９５】
図８Ｂは、本発明の実施形態で使用されるアップリンクスクランブリングコードの構造を示す。参照番号８１１及び８１３は、それぞれＡＰ及びＣＤ_Ｐで使用されるアップリンクスクランブリングコードを示す。前記ＵＬ_スクランブリングコード８１１及び８１３は、従来技術と同一の方式を使用する。前記アップリンクスクランブリングコードは、ＵＴＲＡＮによってＵＥに知られるか、または、システム内で予め約束される。
【００９６】
図８Ｂの参照番号８１５は、ＰＣ_Ｐ部分に使用されるＵＬ_スクランブリングコードを示す。前記ＰＣ_Ｐ部分に使用されるＵＬ_スクランブリングコードは、前記ＡＰ及びＣＤ_Ｐに使用されるＵＬ_スクランブリングコードと同一のスクランブリングコードになることができ、または、前記ＡＰに使用されるシグネチャーと一対一に対応するスクランブリングコードになることもできる。図８Ｂの参照番号８１５は、ＰＣ_Ｐ部分に使用される０番目〜２０，４７９番目の値を有するスクランブリングコードを示す。図８Ｂの参照番号８１７は、ＣＰＣＨメッセージ部に使用されるＵＬ_スクランブリングコードを示す。前記スクランブリングコードは、ＰＣ_Ｐに使用されるスクランブリングコードと同一の符号を使用することができ、または、前記ＰＣ_Ｐに使用されるスクランブリングコードと一対一に対応するか、前記ＡＰに使用されるシグネチャーと一対一に対応するスクランブリングコードを使用することもできる。前記ＣＰＣＨメッセージ部は、３８，４００の長さを有するスクランブリングコードを使用する。
【００９７】
図８Ａ及び図８Ｂについての説明を要約すると、従来技術で、１個のスクランブリングコードは、ＡＰ、ＣＤ_Ｐ、ＰＣ_Ｐ、及びＣＰＣＨのメッセージ部に使用されることができ、または２個のスクランブリングコードは、ＡＰ、ＣＤ_Ｐ、ＰＣ_Ｐ、及びＣＰＣＨのメッセージ部に使用されることもできる。言い換えれば、１つは、ＡＰ及びＣＤ_Ｐに使用され、他の１つは、ＰＣ_Ｐ及びＣＰＣＨのメッセージ部に使用される。本発明において、ＡＰ及びＣＤ_Ｐに使用されるスクランブリングコード、ＰＣ_Ｐに使用されるスクランブリングコード、及びＣＰＣＨのメッセージ部に使用されるスクランブリングコードは異なることができ、柔軟に使用されることができる。例えば、ＡＰ及びＣＤ_Ｐに使用されるスクランブリングコードは、ＵＥの複雑度を減少させる目的でＵＴＲＡＮによって予め決定されることができる。ＰＣ_Ｐに使用されるスクランブリングコードは、ＡＰの生成に使用されるシグネチャーにマッピングされることができ、ＣＰＣＨのメッセージ部に使用されるスクランブリングコードは、ＰＣ_Ｐに使用されるスクランブリングコードまたはＡＰに使用されるシグネチャーにマッピングされることができる。もちろん、ＰＣ_Ｐに使用されるスクランブリングコード及びＣＰＣＨのメッセージ部に使用されるスクランブリングコードは、ＣＡメッセージにマッピングされることができる。
【００９８】
本発明の実施形態によるスクランブリングコードの構造を説明するのに使用されたすべてのスクランブリングコードの場合、ＡＰ、ＣＤ_Ｐ、ＰＣ_Ｐ、及びＣＰＣＨメッセージ部の区間の間、反復されない長いスクランブリングコードが使用される。しかし、２５６の長さを有する短いスクランブリングコードを使用することもできる。
【００９９】
ＡＰの詳細な説明
図９Ａ及び図９Ｂは、本発明の実施形態によるＣＰＣＨアクセスプリアンブルのチャンネル構造及び生成構造を示す。さらに具体的に言うと、図９Ａは、ＡＰのチャンネル構造を示し、図９Ｂは、一つのＡＰスロットを生成する構造を示す。
【０１００】
図９Ａの参照番号９０１は、アクセスプリアンブルＡＰの長さを示し、前記ＡＰのサイズは、ＡＰ用シグネチャー９０３の長さを一つのスロット内で２５６回反復したものと同一である。前記ＡＰ用シグネチャー９０３は、長さ１６を有する直交符号である。図９Ａのシグネチャー９０３で示した変数‘Ｋ’は、０〜１５になることができる。すなわち、本発明の実施形態では、１６種類のシグネチャーが提供される。一例として、下記＜表４＞はＡＰ用シグネチャーを示す。ＵＥでシグネチャー９０３を選択する方法は次のようである。ＵＴＲＡＮが伝送するＣＳＩＣＨを通じてＵＴＲＡＮ内のＣＰＣＨが支援することができる最大データ伝送速度、及び、一つのＣＰＣＨ内で使用することができる多重符号の数を確認した後、ＣＰＣＨを通じて伝送されるデータの特性、伝送速度、及び伝送長さなどを考慮して、適切なＡＳＣを選択する。その後、選択されたＡＳＣで定義されたシグネチャーのうちで、ＵＥのデータトラヒックに対する適切なシグネチャーを選択する。
【０１０１】
【表４】
2004312771.tif 000006
図９Ｂのアクセスプリアンブル９０５は、９０１と同一のサイズを有する。前記アクセスプリアンブル９０５は、乗算器９０６によってダウンリンクスクランブリングコード９０７で拡散されてＵＴＲＡＮに伝送される。前記ＡＰが伝送される時点は、図７及び＜表３＞を参照して説明され、前記スクランブリングコード９０７は、図８Ｂを参照して説明される。
【０１０２】
図９ＢのＡＰを通じてＵＥがＵＴＲＡＮに伝送する情報は、ＵＥが要求するＣＰＣＨの伝送速度、またはＵＥが伝送するフレーム数を含むか、または前記２種類の情報の結合をシグネチャーと一対一に対応させて生成した情報である。従来技術で、ＵＥがＡＰを通じてＵＴＲＡＮに伝送する情報は、ＣＰＣＨの使用に必要なアップリンクスクランブリングコード及びデータ伝送速度、ＣＰＣＨ電力制御のためのダウンリンク専用チャンネルのチャンネル区分コード及びデータ伝送速度、及び伝送されるデータフレームの数である。ＵＥは、前記情報を考慮して該当シグネチャーを選択してＡＰを通じてＵＴＲＡＮに伝送する。前記のような方法にて、ＡＰを通じて伝送する情報を決定すると、ＵＴＲＡＮは、ＵＥが要求したチャンネルに対する使用許可または使用禁止の機能のみを有する。従って、使用可能なＣＰＣＨがＵＴＲＡＮ内に存在するとしても、従来技術は、ＵＥにＣＰＣＨを割り当てることができない。同一の条件を有するＣＰＣＨを要求するＵＥが多い場合、異なるＵＥ間にＣＰＣＨ獲得のための衝突が発生し、これにより、ＵＥがチャンネル獲得に必要な時間を増加させる。しかし、本発明の実施形態において、ＵＥは、ＵＴＲＡＮにＣＰＣＨの伝送可能な最大データ伝送速度、または前記最大データ伝送速度及び伝送するデータフレームの数のみを伝送し、その後、ＵＴＲＡＮは、ＣＡを通じてアップリンクスクランブリングコード、ダウンリンク専用チャンネルのチャンネル区分コードなどのＣＰＣＨを利用するための他の情報を決定する。従って、本発明の実施形態において、ＵＥにＣＰＣＨ使用権を付加することができるので、ＵＴＲＡＮ内のＣＰＣＨを柔軟でありかつ効率的に割り当てることができる。ＵＴＲＡＮが一つのＰＣＰＣＨ(物理ＣＰＣＨ)内に多数のチャンネル区分コードを使用する多重チャンネルコードの伝送を支援する場合、前記ＡＰの伝送に使用されるＡＰシグネチャーは、多重符号の伝送に使用されるスクランブリングコードを示すことができ、または、ＵＥがＰＣＰＣＨ内に使用される多重符号の数を選択することができると、ＵＥが所望する多重符号の数を示すこともできる。前記ＡＰシグネチャーが多重符号用アップリンクスクランブリングコードを示す場合、ＵＴＲＡＮがＵＥに伝送するチャンネル割当てメッセージは、ＵＥが使用する多重符号の数を示すことができ、ＡＰシグネチャーがＵＥの使用しようとする多重符号の数を示す場合、チャンネル割当てメッセージは、ＵＥが多重符号の伝送に使用するアップリンクスクランブリングコードを示すこともできる。
【０１０３】
ＣＤ_Ｐの詳細な説明
図１０Ａ及び図１０Ｂは、本発明の実施形態による衝突検出プリアンブルＣＤ_Ｐのチャンネル構造及び生成構造をそれぞれ示す。前記ＣＤ_Ｐのチャンネル構造及び生成構造は、図９Ａ及び図９ＢのＡＰのチャンネル構造及び生成構造と同一である。図１０Ｂのアップリンクスクランブリングコードは、図８Ｂに示したＡＰスクランブリングコードとは異なることができる。
【０１０４】
図１０Ａの参照番号１００１は、ＣＰ_Ｐの長さを示し、＜表４＞に示すＡＰに対してシグネチャー１００３を２５６回反復したものである。前記シグネチャー１００３の変数‘ｊ’は０〜１５になることができる。すなわち、ＣＤ_Ｐに対して１６個のシグネチャーが提供される。図１０Ａのシグネチャー１００３は、１６個のシグネチャー中で任意に選択される。前記シグネチャーを任意に選択する１つの理由は、同一のＡＰをＵＴＲＡＮに伝送した後、ＡＣＫ信号を受信したＵＥ間の衝突を防止するためのものであり、これにより、もう一度ＵＴＲＡＮから確認過程を遂行するためである。図１０Ａのシグネチャー１００３を使用するとき、従来技術は、ＣＤ_Ｐに使用する１つのシグネチャーのみを規定するか、または所定のアクセスチャンネルでＡＰを伝送する場合に使用される方法を利用する。一つのシグネチャーのみを使用してＣＤ_Ｐを伝送する従来方法は、同一のシグネチャーを使用する代わり、ＣＤ_Ｐの伝送時点を任意にしてＵＥ間の衝突を防止する目的がある。
【０１０５】
しかし、従来方法は、ＵＴＲＡＮが一つのＵＥから受信した以前のＣＤ_Ｐに対するＡＣＫを伝送しない時点で他のＵＥがＵＴＲＡＮにＣＤ_Ｐを伝送すると、ＵＴＲＡＮは、先ず受信されたＣＤ_Ｐに対するＡＣＫを処理する以前には、他のＵＥが伝送したＣＤ_Ｐに対して適切な動作を行うことができない。すなわち、ＵＴＲＡＮは、一つのＵＥからＣＤ_Ｐを処理する間、他のＵＥからＣＤ_Ｐを処理することができない。ＵＴＲＡＮにＣＤ_Ｐを伝送するまた他の従来方法では、ランダムアクセスチャンネルでＡＰを伝送する構造と同一のものを使用する。前述したように、ＵＥがＲＡＣＨ伝送でＡＰをＵＴＲＡＮに伝送する場合、ＵＥは、ＡＰが伝送される適切な位置を待機しなければならない。従って、このような方法は、ＵＥがＣＤ_Ｐを伝送するためのアクセススロットを検出するまで長い時間を要求し、これにより、ＣＤ_Ｐの伝送のとき多い遅延時間が発生するという点で不利である。
【０１０６】
本発明の実施形態において、ＡＰ_ＡＩＣＨを受信した後、ＵＥは、一定の時間が経過した後、所定のシグネチャーを選択してＵＴＲＡＮに伝送する。
【０１０７】
図１０ＢのＣＤ_Ｐ１００５は、図１０Ａの１００１と同一のサイズを有する。前記ＣＤ_Ｐ１００５は、乗算器１００６によってＵＬ_スクランブリングコード１００７で拡散され、その後、前記ＡＰ_ＡＩＣＨが受信された時点から所定の時間が経過した後にＵＴＲＡＮに伝送される。前記スクランブリングコード１００７は、図８Ｂを参照して説明されている。
【０１０８】
ＣＤ/ＣＡ_ＩＣＨ
図１１Ａは、表示チャンネルのチャンネル構造を示す。表示チャンネルの種類は３個である。ＵＴＲＡＮが受信されたＡＰに応じてＡＣＫまたはＮＡＫを伝送することができるアクセスプリアンブル捕捉表示チャンネル(ＡＰ_ＡＩＣＨ)、受信されたＣＤ_Ｐに応じてＡＣＫまたはＮＡＫを伝送することができる衝突検出表示チャンネル(ＣＤ_ＩＣＨ)、またはＵＴＲＡＮがＵＥにＣＰＣＨチャンネル割当て命令を伝送するチャンネル割当て表示チャンネル(ＣＡ_ＩＣＨ)がある。図１１Ｂは生成構造を示す。
【０１０９】
図１１Ａの参照番号１１０１は、ＵＴＲＡＮが捕捉したＡＰ、ＣＤ_Ｐ及びＣＡ関連命令語に対するＡＣＫ及びＮＡＫを伝送するための表示部分を示す。参照番号１００３は、ＣＰＣＨ状態表示チャンネル(ＣＳＩＣＨ)部を示す。前記ＣＳＩＣＨのチャンネル構造及び生成構造は、図４Ａ及び図４Ｂを参照して説明されている。図１１Ｂの参照番号１１１１は、表示チャンネル(ＩＣＨ)のフレーム構造を示す。示すように、一つのＩＣＨフレームは２０ｍｓの長さを有し、１６個のスロットで構成される。また、前記各スロットは、前記＜表４＞に示した１６個のシグネチャー中の０個または一つ以上のシグネチャーを伝送することができる。図１１ＢのＣＰＣＨ状態表示チャンネル(ＣＳＩＣＨ)１１０７のサイズは図１１Ａの１１０３のそれと同一であり、図１１Ｂの参照番号１１０９はチャンネル区分コードを示し、ＡＰ_ＡＩＣＨ、ＣＤ_ＩＣＨ、及びＣＡ_ＩＣＨは、それぞれ異なるチャンネル区分コードを使用することができ、ＣＤ_ＩＣＨ及びＣＡ_ＩＣＨは、同一のチャンネル区分コードを使用することができる。前記ＣＰＣＨ状態表示チャンネル１１０７の信号は、乗算器１１０８によってチャンネル区分コード１１０９で拡散され、１つのＩＣＨフレームを構成する前記拡散された１６個のスロットは、乗算器１１１２によってダウンリンクスクランブリングコード１１１３で拡散されて伝送される。
【０１１０】
図１２は、ＣＤ_ＩＣＨ及びＣＡ_ＩＣＨ命令語を生成するためのＡＩＣＨ生成器を示す。前述したように、ＡＩＣＨフレームの各スロットに１６個のシグネチャーのうち対応するシグネチャーを割り当てる。
【０１１１】
図１２を参照すると、乗算器１２０１〜１２１６は、対応する直交符号Ｗ1〜Ｗ16を第１入力として受信し、また、それぞれ対応する捕捉表示ＡＩ1〜ＡＩ16を第２入力として受信する。前記各ＡＩは、１、０、または−１の値を有し、ＡＩが１である場合はＡＣＫを意味し、ＡＩが−１である場合はＮＡＫを意味し、ＡＩが０である場合は、ＵＥから伝送された該当シグネチャーの捕捉に失敗したことを意味する。従って、前記乗算器１２０１〜１２１６は、対応する直交符号を対応する捕捉表示ＡＩにそれぞれ乗じ、加算器１２２０は、前記乗算器１２０１〜１２１６の出力を加算して、その結果値をＡＩＣＨ信号として出力する。
【０１１２】
下記に例として挙げられる幾つの方法にて、ＵＴＲＡＮは、図１２の前記ＡＩＣＨ生成器を通じてチャンネル割当て命令を伝送することができる。
【０１１３】
１．第１チャンネル割当て方法
このような方法では、一つのダウンリンクチャンネルを割り当てて前記割り当てられたチャンネルを通じてチャンネル割当て命令を伝送する。図１３Ａ及び１３Ｂは、前記第１方法にて具現されるＣＤ_ＩＣＨ及びＣＡ_ＩＣＨの構造を示す。図１３Ａは、ＣＤ_ＩＣＨ及びＣＡ_ＩＣＨのスロット構造を、図１３Ｂは、ＣＤ_ＩＣＨ及びＣＡ_ＩＣＨを伝送する方法を示す。図１３Ａの参照番号１３０１は、ＣＤ_Ｐに対する応答信号を伝送するＣＤ_ＩＣＨの伝送スロット構造を示す。参照番号１３１１は、チャンネル割当て命令を伝送するＣＡ_ＩＣＨの伝送スロット構造を示す。参照番号１３３１は、ＣＤ_Ｐに対する応答信号を伝送するＣＤ_ＩＣＨの伝送フレーム構造を示す。参照番号１３４１は、前記ＣＤ_ＩＣＨフレームを伝送した後、τ時間遅延してＣＡ_ＩＣＨを通じてチャンネル割当て命令を伝送するフレーム構造を示す。参照番号１３０３及び１３１３はＣＳＩＣＨ部分を示す。
【０１１４】
図１３Ａ及び図１３Ｂに示すように、チャンネルを割り当てる方法は、次のような利点を有する。ＣＤ_ＩＣＨ及びＣＡ_ＩＣＨは、それぞれダウンリンクチャンネルが異なるので物理的に分離される。従って、ＡＩＣＨが１６個のシグネチャーを有すると、前記第１チャンネル割当て方法は、ＣＤ_ＩＣＨに１６個のシグネチャーを使用することができ、ＣＡ_ＩＣＨにも１６個のシグネチャーを使用することができる。この場合、シグネチャーの符号を使用して伝送することができる情報の種類は２倍になることができる。従って、ＣＡ_ＩＣＨの‘＋１’、または‘−１’の符号を使用することにより、３２個のシグネチャーをＣＡ_ＩＣＨに使用することができる。この場合、同種のチャンネルを同時に要求した多数の使用者に異なるチャンネルを次のような手順にて割り当てることができる。先ず、ＵＴＲＡＮ内のＵＥ＃１、ＵＥ＃２、及びＵＥ＃３がＡＰ＃３をＵＴＲＡＮに同時に伝送してＡＰ＃３に該当するチャンネルを要求し、ＵＥ＃４がＵＴＲＡＮにＡＰ＃５を伝送してＡＰ＃５に該当するチャンネルを要求すると仮定する。この仮定は、下記＜表５＞の第１コラムに該当する。このような場合、ＵＴＲＡＮはＡＰ＃３及びＡＰ＃５を認識する。このとき、予め定義された基準により、ＵＴＲＡＮは、受信されたＡＰに対する応答としてＡＰ_ＡＩＣＨを生成する。予め定義された基準の一例として、ＵＴＲＡＮは、前記ＡＰの受信電力比によって受信されたＡＰに応答することができる。ここで、ＵＴＲＡＮが前記ＡＰ＃３を選択すると仮定する。すると、ＵＴＲＡＮはＡＰ＃３にＡＣＫを伝送し、ＡＰ＃５にはＮＡＫを伝送する。これは、＜表５＞の第２コラムに該当する。
【０１１５】
その後、ＵＴＲＡＮが伝送したＡＣＫを受信したＵＥ＃１、＃２、＃３は、それぞれランダムにＣＤ_Ｐを生成する。３個のＵＥがＣＤ_Ｐを生成した場合(少なくとも２個のＵＥが一つのＡＰ_ＡＩＣＨに対してＣＤ_Ｐを生成する場合)、各ＵＥは、所定のシグネチャーを使用して前記ＣＤ_Ｐを生成し、ＵＴＲＡＮに伝送した前記ＣＤ_Ｐは異なるシグネチャーを有する。ここで、ＵＥ＃１はＣＤ_Ｐ＃６、ＵＥ＃２はＣＤ_Ｐ＃２、そしてＵＥ＃３はＣＤ_Ｐ＃９をそれぞれ生成すると仮定する。このようにそれぞれのＵＥが伝送したＣＤ_Ｐが受信されると、ＵＴＲＡＮは、３個のＣＤ_Ｐが受信されることを認知し、ＵＥが要求したＣＰＣＨが使用可能であるか否かを検査する。ＵＴＲＡＮ内にＵＥの要求に対応する３個以上のＣＰＣＨがある場合、ＣＤ_ＩＣＨ＃２、ＣＤ_ＩＣＨ＃６、及びＣＤ_ＩＣＨ＃９にＡＣＫを伝送し、ＵＴＲＡＮは、ＣＡ_ＩＣＨを通じて３個のチャンネル割当てメッセージを伝送する。このような場合、ＵＴＲＡＮがＣＡ_ＩＣＨを通じて＃４、＃６、及び＃１０のチャンネルを割り当てるメッセージを伝送すると、ＵＥは、下記のような過程を通じて自分に割り当てられたＣＰＣＨの番号を分かるようになる。ＵＥ＃１は、自分がＵＴＲＡＮに伝送したＣＤ_Ｐのシグネチャーを分かり、そのシグネチャー番号が６であることも分かる。このような方式にて、ＵＴＲＡＮがＣＤ_ＩＣＨに多数のＡＣＫを伝送する場合も、いくつのＡＣＫが伝送されたかを分かる。
【０１１６】
本発明の実施形態では、＜表５＞に示したような場合と仮定して詳細に説明される。まず、ＵＴＲＡＮは、ＣＤ_ＩＣＨを通じて３個のＡＣＫをＵＥに伝送し、ＣＡ_ＩＣＨにも３個のチャンネル割当てメッセージを伝送する。前記伝送されたチャンネル割当てメッセージは、チャンネル番号＃２、＃６、及び＃９に対応する。前記のようなＣＤ_ＩＣＨ及びＣＡ_ＩＣＨをすべて受信すると、ＵＥ＃１は、ＵＴＲＡＮ内の３個のＵＥが同時にＣＰＣＨチャンネルを要求し、ＵＥ＃１のそれ自体は、ＣＤ_ＩＣＨのＡＣＫ手順によって、ＣＡ_ＩＣＨを通じて伝送されたチャンネル割当てメッセージのうち、二番目のメッセージの内容によってＣＰＣＨを使用することができることを分かる。
【０１１７】
【表５】
2004312771.tif 000007
前記のような過程を通じて、ＵＥ＃２はＣＤ_Ｐ＃２を伝送したので、ＣＡ_ＩＣＨが伝送したチャンネル割当てメッセージのうち、ＣＡメッセージ＃４を使用することができる。同一の方式にて、ＵＥ＃３は、ＣＡメッセージ＃１０に対応するチャンネルが割り当てられる。このような方式にて、多数のチャンネルを多数の使用者に同時に割り当てることができる。
【０１１８】
２．第２チャンネル割当て方法
第２チャンネル割当て方法は、前記第１チャンネル割当て方法の修正された形態であって、ＣＤ_ＩＣＨフレーム及びＣＡ_ＩＣＨフレームの伝送時間差τを“０”に設定してＣＤ_ＩＣＨ及びＣＡ_ＩＣＨを同時に伝送する。Ｗ_ＣＤＭＡシステムは、拡散率２５６を使用してＡＰ_ＡＩＣＨの一つのシンボルを拡散させ、ＡＩＣＨの一つのスロットには１６シンボルを伝送する。ＣＤ_ＩＣＨ及びＣＡ_ＩＣＨを同時に伝送する方法は、それぞれ異なる長さのシンボルを使用して実現されることができる。すなわち、拡散率が異なる直交符号をＣＤ_ＩＣＨ及びＣＡ_ＩＣＨにそれぞれ割り当てる方法を使用することができる。前記第２方法の一例として、ＣＤ_Ｐに使用されるシグネチャーの数は全体１６個が可能であり、ＣＰＣＨが最大１６個まで割り当てられる場合、ＣＡ_ＩＣＨ及びＣＤ_ＩＣＨに５１２チップの長さを有するチャンネルをそれぞれ割り当てることができ、それぞれのＣＡ_ＩＣＨ及びＣＤ_ＩＣＨには５１２チップの長さを有するシンボルが８個ずつ伝送されることができる。このとき、互いに直交性のある８個のシグネチャーをＣＡ_ＩＣＨ及びＣＤ_ＩＣＨに割り当て、前記割り当てられた８個のシグネチャーに＋１/−１の符号を乗じることによって、１６個のシグネチャーを利用してＣＡ_ＩＣＨ及びＣＤ_ＩＣＨを伝送することができる。このような方法は、ＣＤ_ＩＣＨに使用した直交符号のみならず、別個の直交符号をＣＡ_ＩＣＨに割り当てる必要がないという点で有利である。
【０１１９】
前述したように、ＣＡ_ＩＣＨ及びＣＤ_ＩＣＨには、５１２チップの長さを有する直交符号を次のような方法にて割り当てることができる。２５６長さの一つの直交符号ＷiをＣＡ_ＩＣＨ及びＣＤ_ＩＣＨに割り当てる。ＣＤ_ＩＣＨに割り当てた５１２長さの直交符号の場合、直交符号Ｗｉを２回反復して５１２長さの直交符号[Ｗi Ｗi]を生成する。また、ＣＡ_ＩＣＨに割り当てた５１２長さの直交符号の場合、反転直交符号−Ｗiは、直交符号Ｗiに連結されて直交符号[Ｗi −Ｗi]を生成する。別個の直交符号を割り当てることなく、前記生成された[Ｗi Ｗi][Ｗi −Ｗi]を利用してＣＤ_ＩＣＨ及びＣＡ_ＩＣＨを同時に伝送することができる。
【０１２０】
図１４は、前記第２方法の他の実施形態を示すもので、同一の拡散率を有する異なるチャンネル区分コードを割り当てることにより、ＣＤ_ＩＣＨ及びＣＡ_ＩＣＨを同時に伝送する。図１４の参照番号１４０１及び１４１１は、それぞれＣＤ_ＩＣＨ部とＣＡ_ＩＣＨ部を示す。参照番号１４０３及び１４１３は、２５６の同一の拡散率を有する異なる直交チャンネル区分コードを示す。参照番号１４０５及び１４１５は、５，１２０チップの長さを有する１５個のアクセススロットでそれぞれ構成されたＣＤ_ＩＣＨフレーム及びＣＡ_ＩＣＨフレームを示す。
【０１２１】
図１４を参照すると、ＣＤ_ＩＣＨ部１４０１は、長さ１６のシグネチャーをシンボル単位で２回反復して得られたシグネチャーに、ＡＣＫ、ＮＡＫ、または捕捉失敗をそれぞれ示す‘１’、‘−１’、または‘０’をシンボル単位で乗じることによって生成される。前記ＣＤ_ＩＣＨ部１４０１は、多数のシグネチャーに対してＡＣＫ及びＮＡＫを同時に伝送することができる。前記ＣＤ_ＩＣＨ部１４０１は、乗算器１４０２を通じてチャンネル区分コード１４０３で拡散され、ＣＤ_ＩＣＨフレーム１４０５の一つのアクセススロットを構成する。前記ＣＤ_ＩＣＨフレーム１４０５は、乗算器１４０６によってダウンリンクスクランブリングコード１４０７で拡散されて伝送される。
【０１２２】
前記ＣＡ_ＩＣＨ部１４１１は、長さ１６のシグネチャーをシンボル単位で２回反復して得られたシグネチャーに、ＡＣＫ、ＮＡＫ、または捕捉失敗をそれぞれ示す‘１’、‘−１’、または‘０’をシンボル単位で乗じることによって生成される。前記ＣＡ_ＩＣＨ部１４１１は、多数のシグネチャーに対してＡＣＫ及びＮＡＫを同時に伝送することができる。前記ＣＡ_ＩＣＨ部１４１１は、乗算器１４１２を通じてチャンネル区分コード１４１３で拡散され、ＣＡ_ＩＣＨフレーム１４１５の一つのアクセススロットを構成する。前記ＣＡ_ＩＣＨフレーム１４１５は、乗算器１４１６によってダウンリンクスクランブリングコード１４１７で拡散されて伝送される。
【０１２３】
図１５は、前記第２方法のまた他の実施形態を示すもので、ＣＤ_ＩＣＨ及びＣＡ_ＩＣＨは、それぞれ異なるシグネチャー集合を生成した同一のチャンネル区分コードで拡散され、異なるシグネチャーグループを利用して同時に伝送される。
【０１２４】
図１５を参照すると、ＣＡ_ＩＣＨ部１５０１は、長さ１６のシグネチャーをシンボル単位で２回反復して得られたシグネチャーに、ＡＣＫ、ＮＡＫ、または捕捉失敗をそれぞれ示す‘１’、‘−１’、または‘０’をシンボル単位で乗じることによって生成される。前記ＣＡ_ＩＣＨ部１５０１は、多数のシグネチャーに対してＡＣＫ及びＮＡＫを同時に伝送することができる。ｋ番目のＣＡ_ＩＣＨ部１５０３は、一つのＣＰＣＨチャンネルに多数のＣＡシグネチャーが対応する場合に使用される。前記多数のＣＡシグネチャーを一つのＣＰＣＨチャンネルに対応させる理由は、ＵＴＲＡＮからＵＥにＣＡ_ＩＣＨが伝送される間発生したエラーのために、ＵＥは、ＵＴＲＡＮが割り当てないＣＰＣＨを使用する確率を減少させるためである。
【０１２５】
図１５の参照番号１５０５はＣＤ_ＩＣＨ部を示す。前記ＣＤ_ＩＣＨ部１５０５の物理的な構造はＣＡ_ＩＣＨと同一である。しかし、前記ＣＤ_ＩＣＨ部１５０５は、ＣＡ_ＩＣＨ部で使用するシグネチャーグループと異なるシグネチャーグループから選択したシグネチャーを使用するので、ＣＡ_ＩＣＨ部１５０１と互いに直交する。従って、ＵＴＲＡＮがＣＤ_ＩＣＨ及びＣＡ_ＩＣＨを同時に伝送しても、ＵＥは、ＣＤ_ＩＣＨをＣＡ_ＩＣＨと混同することがない。ＣＡ_ＩＣＨ部＃１ １５０１及びＣＡ_ＩＣＨ部＃ｋ １５０３は、加算器１５０２によって加算される。前記ＣＤ_ＩＣＨ部１５０５は、加算器１５０４によって前記加算されたＣＡ_ＩＣＨ部に加算され、その後、乗算器１５０６によって直交チャンネル区分コード１５０７で拡散される。その結果、拡散値は、１個のＣＤ/ＣＡ_ＩＣＨスロットの表示部分を構成し、前記ＣＤ/ＣＡ_ＩＣＨは、乗算器１５０８によってダウンリンクスクランブリングコードで拡散されて伝送される。
【０１２６】
前記ＣＤ_ＩＣＨフレームとＣＡ_ＩＣＨフレームとの伝送時間差τを“０”に設定してＣＤ_ＩＣＨ及びＣＡ_ＩＣＨを同時に伝送する方法では、Ｗ-ＣＤＭＡ標準に定義された、＜表４＞に示したＡＩＣＨ用シグネチャーをそのまま使用することができる。ＣＡ_ＩＣＨの場合、ＵＴＲＡＮが多数のＣＰＣＨチャンネル中の一つをＵＥに指定するので、ＵＥの受信器は、多数のシグネチャーの検出を試みるべきである。既存のＡＰ_ＡＩＣＨ及びＣＤ_ＩＣＨで、ＵＥは１個のシグネチャーに対してのみ検出を遂行する。しかし、本発明の実施形態によるＣＡ_ＩＣＨを使用する場合、ＵＥの受信器は、すべての可能なシグネチャーに対して検出を試みるべきである。従って、ＵＥの受信器の複雑さを簡素化するように、ＡＩＣＨのシグネチャーの構造を設計するか、または再配置する方法が要求される。
【０１２７】
前述したように、１６個の可能なシグネチャー中の８個のシグネチャーにＣＤ_ＩＣＨに割り当てられた符号(＋１／−１)を乗じることによって生成された１６個のシグネチャーがＣＤ_ＩＣＨに割り当てられ、前記１６個の可能なシグネチャーのうち、残りの８個のシグネチャーに符号(＋１／−１)を乗じることによって生成された１６個のシグネチャーがＣＰＣＨの割当てのためにＣＡ_ＩＣＨに割り当てられると仮定する。
【０１２８】
前記Ｗ-ＣＤＭＡ標準案で使用するＡＩＣＨのシグネチャーは、アダマール(Hadamard)関数を使用する。前記アダマール関数は、下記のような形態で生成される。
Ｈｎ＝              Ｈｎ−１    Ｈｎ−１
Ｈｎ−１    −Ｈｎ−１
Ｈｌ＝              １          １
１        −１
すると、本発明の実施形態で必要な長さ１６のアダマール関数は、次のようである。前記＜表４＞に示されたアダマール関数によって生成されたシグネチャーは、前記シグネチャーにＡＩＣＨのチャンネル利得Ａを乗じた後の形態であり、下記のシグネチャーは、前記シグネチャーにＡＩＣＨのチャンネル利得Ａを乗じる以前の形態である。
１ １ １ １ １ １ １ １    １ １ １ １ １ １ １ １ =>Ｓ０
１-１ １-１ １-１ １-１    １-１ １-１ １-１ １-１ =>Ｓ１
１ １-１-１ １ １-１-１    １ １-１-１ １ １-１-１ =>Ｓ２
１-１-１ １ １-１-１ １    １-１-１ １ １-１-１ １ =>Ｓ３
１ １ １ １-１-１-１-１    １ １ １ １-１-１-１-１ =>Ｓ４
１-１ １-１-１ １-１ １    １-１ １-１-１ １-１ １ =>Ｓ５
１ １-１-１-１-１ １ １    １ １-１-１-１-１ １ １ =>Ｓ６
１-１-１ １-１ １ １-１    １-１-１ １-１ １ １-１ =>Ｓ７
１ １ １ １ １ １ １ １    -１-１-１-１-１-１-１-１ =>Ｓ８
１-１ １-１ １-１ １-１    -１ １-１ １-１ １-１ １ =>Ｓ９
１ １-１-１ １ １-１-１    -１-１ １ １-１-１ １ １ =>Ｓ１０
１-１-１ １ １-１-１ １    -１ １ １-１-１ １ １-１ =>Ｓ１１
１ １ １ １-１-１-１-１    -１-１-１-１ １ １ １ １ =>Ｓ１２
１-１ １-１-１ １-１ １    -１ １-１ １ １-１ １-１ =>Ｓ１３
１ １-１-１-１-１ １ １    -１-１ １ １ １ １-１-１ =>Ｓ１４
１-１-１ １-１ １ １-１    -１ １ １-１ １-１-１ １ =>Ｓ１５
前記アダマール関数中で８個をＣＤ_ＩＣＨに割り当て、残りの８個のアダマール関数をＣＡ_ＩＣＨに割り当てる。このとき、ＦＨＴ(Fast Hadamard Transform)を簡単に遂行するために、ＣＡ_ＩＣＨのシグネチャーを次のような手順にて割り当てる。
{Ｓ１，Ｓ９，Ｓ５，Ｓ１３，Ｓ３，Ｓ７，Ｓ１１，Ｓ１５}
そして、ＣＤ_ＩＣＨに対するシグネチャーは、次のような手順にて割り当てられる。
{Ｓ２，Ｓ１０，Ｓ６，Ｓ１４，Ｓ４，Ｓ８，Ｓ１２，Ｓ１６}
ここで、ＣＡ_ＩＣＨのシグネチャーは、ＵＥがＦＨＴを遂行できるようにするために、左から右に割り当てられる。これにより、複雑度を最小にする。２個、４個、及び８個のシグネチャーが前記ＣＡ_ＩＣＨのシグネチャーから左から右に選択されると、最終列を除いた各列の１の数が−１の数と同一である。前述した方法で、ＣＤ_ＩＣＨ及びＣＡ_ＩＣＨに対するシグネチャーを割り当てることにより、使用されたシグネチャーの数に比べてＵＥの受信器の構造を簡単にすることができる。
【０１２９】
また、前記シグネチャーをＣＰＣＨまたは他の形態でＣＰＣＨを制御するダウンリンクチャンネルに対応させることができる。例えば、ＣＡ_ＩＣＨに対するシグネチャーは、次のように割り当てられることができる。
[１，９]                              => 最大２個のシグネチャーを使用
[１，５，９，１３]                    => 最大４個のシグネチャーを使用
[１，３，５，７，９，１１，１３，１５]  => 最大８個のシグネチャーを使用
もし、全体ＮＵＭ_ＣＰＣＨ(ここで、１＜ＮＵＭ_ＣＰＣＨ≦１６)のＣＰＣＨを使用すると、ｋ番目(ｋ＝０、．．．．、ＮＵＭ_ＣＰＣＨ-１)ＣＰＣＨ(またはＣＰＣＨの制御のためのダウンリンクチャンネル)に対応するシグネチャーと乗じられる符号(＋１/−１)は、次のように与えられる。
ＣＡ_ｓｉｇｎ_ｓｉｇ[ｋ] = (-１)[ｋ ｍｏｄ ２]
ここで、ＣＡ_ｓｉｇｎ_ｓｉｇ[ｋ]は、ｋ番目のシグネチャーと乗じられる＋１/−１の符号を意味し、[ｋ ｍｏｄ ２]は、‘ｋ’を‘２’に割った余りを意味する。‘ｘ’は、シグネチャーの次元を示す数として定義される。すなわち、次のように表現されることができる。
０＜ＮＵＭ_ＣＰＣＨ≦４の場合、ｘ=２。
４＜ＮＵＭ_ＣＰＣＨ≦８の場合、ｘ=４。
８＜ＮＵＭ_ＣＰＣＨ≦１６の場合、ｘ=８。
【０１３０】
そして、使用されるシグネチャーは次のようである。
【数１】
2004312771.tif 000008
ここで、
【数２】
2004312771.tif 000009
は、ｙを超過しない最大の整数を意味する。例えば、４個のシグネチャーを使用する場合、次のようにシグネチャーを割り当てることができる。
Ｓ１ =>  １ １ １ １ １ １ １ １   １ １ １ １ １ １ １ １
Ｓ５ =>  １ １ １ １-１-１-１-１   １ １ １ １-１-１-１-１
Ｓ９ =>  １ １ １ １ １ １ １ １  -１-１-１-１-１-１-１-１
Ｓ１３ =>１ １ １ １-１-１-１-１  -１-１-１-１ １ １ １ １
前記から分かるように、本発明の実施形態に従ってシグネチャーを割り当てると、長さ４のアダマール符号を各４回反復した形態になる。このため、ＵＥの受信器は、ＣＡ_ＩＣＨを受信するとき、反復された４シンボルずつを加算した後、長さ４のＦＨＴを取る。これにより、ＵＥの複雑度を大いに減少させることができる。
【０１３１】
さらに、前記ＣＡ_ＩＣＨシグネチャーのマッピングで、各ＣＰＣＨに対するシグネチャー番号を一つずつ加算する形態で対応させることもできる。このような場合、連続する２ｉ及び(２ｉ＋１)番目のシンボルは反対符号を有し、ＵＥの受信器は、逆拡散した２個のシンボルのうち、前のシンボルから後のシンボルを引く。そこで、同じ具現として見なされることができる。
【０１３２】
反対に、ＣＤ_ＩＣＨに対するシグネチャーは、次のような手順にて割り当てられることができる。ｋ番目のＣＤ_ＩＣＨのシグネチャーを生成する一番容易な方法は、前記ＣＡ_ＩＣＨのシグネチャーを割り当てる前記方法でシグネチャー番号を一つずつ増加させるものである。他の方法は、次のように表現されることができる。
ＣＤ_ｓｉｇｎ_ｓｉｇ[ｋ]=(-１)[ｋ ｍｏｄ ２]
ＣＤ_ｓｉｇ[ｋ]=２*＋２
すなわち、前述したように、[２，４，６，８，１０，１２，１４，１６]の手順にてＣＡ_ＩＣＨを割り当てる。
【０１３３】
図１６は、前記シグネチャー構造に対するＵＥのＣＡ_ＩＣＨの受信器構造の例を示す。
【０１３４】
図１６を参照すると、乗算器１６１１は、受信された信号にパイロットチャンネルに割り当てた拡散符号ＷPを乗じて、前記受信信号を逆拡散した後、前記逆拡散された信号をチャンネル推定器１６１３に提供する。前記チャンネル推定器１６１３は、前記逆拡散されたパイロットチャンネル信号からダウンリンクチャンネルのサイズと位相を推定する。複素共役器１６１５は、チャンネル推定器１６１３の出力を複素共役する。乗算器１６１７は、受信信号にＡＩＣＨチャンネルに割り当てたウォルシュ拡散符号(Walsh Spreading code)を乗じ、累算器１６１９は、一定のシンボル区間(例えば、２５６チップの区間)の間、前記乗算器１６１７の出力を累算して前記逆拡散されたシンボルを出力する。乗算器１６２１は、累算器１６１９の出力に複素共役器１６１５の出力を乗じて前記入力値を復調する。その後、前記出力結果値をＦＨＴ変換器１６２９に提供する。前記復調されたシンボルを受信すると、前記ＦＨＴ変換器１６２９は、各シグネチャーに対する信号強度を出力する。制御及び判定器１６３１は、ＦＨＴ変換器１６２９の出力を受信して一番可能性が高いＣＡ_ＩＣＨのシグネチャーを判定する。本発明の実施形態では、ＣＡ_ＩＣＨのシグネチャー構造に対してＷ-ＣＤＭＡ標準案で規定されたシグネチャーを使用してＵＥの受信器の構造を簡単にする。他の割当て方法は、下記に説明される。これは、ＣＤ_ＩＣＨに対するシグネチャーの一部を使用する方法よりさらに効率的である。
【０１３５】
前記新たな割当て方法で、長さが２Kである２K個のシグネチャーが発生される(ここで、２K個のシグネチャーが＋１/−１の符号と乗じられる場合、可能なシグネチャーの数は２K+1になることができる。)。しかし、全体シグネチャーをすべて使用することではなく、シグネチャー中の一部のみを使用すると、ＵＥの受信器の複雑さを減少させるために、より効率的にシグネチャーを割り当てる必要がある。前記すべてのシグネチャーのうち、Ｍ個のシグネチャーのみを使用すると仮定する。ここで、２L-1＜Ｍ≦２Lであり、１≦Ｌ≦Ｋである。このとき、長さ２KであるＭ個のシグネチャーは、長さ２Lのアダマール関数の各ビットを２K-L回だけ反復して伝送する形態に変換される。
【０１３６】
また、ＡＩＣＨを伝送するまた他の方法は、ＡＰに使用されるシグネチャーとは異なるシグネチャーを使用するものである。前記シグネチャーは、下記＜表６＞に示されている。
【０１３７】
本発明の第２実施形態では、下記＜表６＞に示すシグネチャーをそのまま使用し、ＵＥの受信器が低い複雑度でＣＡ_ＩＣＨを割り当てる。ＡＩＣＨシグネチャー間には直交性が保持される。従って、ＡＩＣＨに割り当てるシグネチャーを効率的に配置すると、ＵＥは、ＦＨＴ(Fast Hadamard Transform)などの方法を通じて容易にＣＤ_ＩＣＨを復調することができる。
【０１３８】
【表６】
2004312771.tif 000010
前記＜表６＞で、ｎ番目シグネチャーをＳｎと表示し、そして、ｎ番目シグネチャーに符号‘−１’を乗じることによって得られた値を−Ｓｎと表示する。本発明の第２実施形態によるＡＩＣＨシグネチャーは、次のように割り当てられる。
{Ｓ１、−Ｓ１、Ｓ２、−Ｓ２、Ｓ３、−Ｓ３、Ｓ１４、−Ｓ１４、
Ｓ４、−Ｓ４、Ｓ９、−Ｓ９、Ｓ１１、−Ｓ１１、Ｓ１５、−Ｓ１５}
もし、前述したＣＰＣＨの数が１６個より小さいと、ＵＥがＩＦＨＴを遂行できるように左から右へシグネチャーをＣＰＣＨに割り当てる。これにより、複雑度を最小化する。{１、２、３、１４、１５、９、４、１１}中で、左から２個、４個、８個のシグネチャーを選択すると、最終列を除いて各列のＡの数が−Ａの数と同一である。その後、各シンボルの手順を再配置(rearrangingまたはpermuting)し、前記再配置されたシンボルに任意のマスクを乗じることによって、前記シグネチャーは、ＩＦＨＴを遂行することができる直交符号に変換される。
【０１３９】
図１７は、本発明の第２実施形態によるシグネチャーを利用してＵＥの受信器の構造を示す。
【０１４０】
図１７を参照すると、ＵＥは、入力信号を２５６チップ区間の間逆拡散して、チャンネル補償したシンボルＸiを発生する。ＸiがＵＥの受信器に入力されるｉ番目シンボルを意味すると仮定する場合、位置シフタ１７２３はＸiを次のように再配置する。
Ｙ＝｛Ｘ15、Ｘ9、Ｘ10、Ｘ6、Ｘ11、Ｘ3、Ｘ7、Ｘ1
Ｘ13、Ｘ12、Ｘ14、Ｘ4、Ｘ8、Ｘ5、Ｘ2、Ｘ0｝
そして、乗算器１７２７は、再配置された値Ｙにマスク発生器１７２５で発生した次のようなマスクＭを乗じる。
Ｍ＝｛−１、−１、−１、−１、１、１、１、−１、１、−１、−１、１、１、１、−１、−１｝
すると、前記Ｓ１、Ｓ２、Ｓ３、Ｓ１４、Ｓ１５、Ｓ９、Ｓ４、及びＳ１１のシグネチャーはそれぞれＳ’１、Ｓ’２、Ｓ’３、Ｓ’１４、Ｓ’１５、Ｓ’９、Ｓ’４、及びＳ’１１のように変換される。
Ｓ’１  ＝１ １ １ １   １ １ １ １   １ １ １ １   １ １ １ １
Ｓ’２  ＝１ １ １ １   １ １ １ １  -１-１-１-１  -１-１-１-１
Ｓ’３  ＝１ １ １ １  -１-１-１-１  -１-１-１-１   １ １ １ １
Ｓ’１４＝１ １ １ １  -１-１-１-１   １ １ １ １  -１-１-１-１
Ｓ’１５＝１ １-１-１   １ １-１-１   １ １-１-１   １ １-１-１
Ｓ’９  ＝１ １-１-１   １ １-１-１  -１-１ １ １  -１-１ １ １
Ｓ’４  ＝１ １-１-１  -１-１ １ １  -１-１ １ １   １ １-１-１
Ｓ’１１＝１ １-１-１  -１-１ １ １   １ １-１-１  -１-１ １ １
前記から分かるように、入力シンボルの手順を再配置し、前記再配置されたシンボルに任意のマスクを乗じると、シグネチャーがＦＨＴを遂行することができる直交符号の形態に変換される。そして、長さ１６に対するＦＨＴを遂行する必要もなく、反復されたシンボルを加算してＦＨＴを遂行すると、受信器の複雑さをさらに減少させることができる。すなわち、５〜８個のシグネチャーが使用される場合（すなわち、９〜１６個のＣＰＣＨが使用される。）、２個のシンボルが反復される。従って、反復されるシンボルを加えると、長さ８に対してのみＦＨＴが遂行される。また、３〜４個のシグネチャーが使用される場合（すなわち、５〜８個のＣＰＣＨが使用される。）、４個のシンボルが反復されるので、前記反復されたシンボルを加えた後、ＦＨＴを遂行することができる。このような方式にて、既存のシグネチャーを効率的に配置することにより、受信器の複雑さを大幅に減少させることができる。
【０１４１】
図１７のＵＥの受信器は、逆拡散されたシンボルを再配置した後、前記再配置されたシンボルに特定のマスクＭを乗じる。しかし、先ず、逆拡散されたシンボルを特定のマスクＭと乗じてから再配置するとしても、同一の結果を得ることができる。この場合、マスクＭが異なる形態を有することを分かる。
【０１４２】
図１７に示す受信器の動作を説明すると、乗算器１７１１は、Ａ/Ｄ変換器(図示せず)の出力信号を受信し、前記受信された信号にパイロットチャンネルに割り当てたチャンネル区分コードＷPを乗じて前記受信信号を逆拡散する。チャンネル推定器１７１３は、前記逆拡散されたパイロット信号からダウンリンクチャンネルのサイズと位相を推定する。そして、乗算器１７１７は、前記受信信号にＡＩＣＨチャンネルのウォルシュ拡散符号を乗じ、累算器１７１９は、前記乗算器１７１７の出力を一定のシンボル区間(例えば、２５６チップ区間)の間に累算して逆拡散されたシンボルを出力する。復調の場合、逆拡散されたＡＩＣＨシンボルは、チャンネル推定器１７１３の出力の複素共役を行う複素共役器１７１５の出力と乗じられる。前記復調されたシンボルは、位置シフタ１７２３に入力されるが、反復されるシンボルが互いに近接するように入力シンボルを再配置する。そして、位置シフタ１７２３の出力は、乗算器１７２７によってマスク発生器１７２５から出力されるマスクと乗じられてＦＨＴ変換器１７２９に入力される。乗算器１７２７の出力を受信した後、ＦＨＴ変換器１７２９は、各シグネチャーに対する信号強度を出力する。制御及び判定器１７３１は、ＦＨＴ変換器１７２９の出力を受信して可能性が一番高いＣＡ_ＩＣＨのシグネチャーを判定する。
【０１４３】
図１７において、位置シフタ１７２３、マスク発生器１７２５、及び乗算器１７２７の位置を置き換えても同一の結果を得ることができる。そして、ＵＥの受信器が位置シフタ１７２３を使用して入力シンボルの位置を再配置しなくても、各シンボルが伝送される位置を予め約束して、ＦＨＴの遂行のとき、位置情報を使用することもできる。
【０１４４】
本発明によるＣＡ_ＩＣＨシグネチャー構造の実施形態を要約すると、長さが２Kである２K個のシグネチャーが発生される(ここで、２K個のシグネチャーが＋１/−１の符号と乗じられると、可能なシグネチャーの数は２K+1になることができる。)。しかし、全体シグネチャーをすべて使用するものではなく、シグネチャー中の一部のみを使用すると、ＵＥの受信器の複雑さを減少させるために、より効率的にシグネチャーを割り当てる必要がある。全体シグネチャーのうちＭ個のシグネチャーのみを使用すると仮定する。ここで、２L-1＜Ｍ≦２Lであり、１≦Ｌ≦Ｋである。このとき、長さが２KであるＭ個のシグネチャーが各シンボルの位置を再配置(permutation)した後、特定のマスクまたは排他的論理和の処理が各ビットに加算された場合、長さ２Lのアダマール関数の各ビットを２K-L回だけ反復して伝送する形態に変換される。従って、ＵＥの受信器で受信されたシンボルに特定のマスクを乗じて各シンボルの位置を再配置することにより、ＦＨＴを簡単に遂行できるようにすることにその目的がある。
【０１４５】
前記のようなＣＰＣＨチャンネルを割り当てるために使用する適切なシグネチャーを選択するだけではなく、アップリンクＣＰＣＨのデータチャンネル及び制御チャンネルを割り当て、アップリンクＣＰＣＨを制御するダウンリンク制御チャンネルを割り当てることも重要である。
【０１４６】
先ず、アップリンク共通チャンネルを割り当てる一番容易な方法は、ＵＴＲＡＮが電力制御情報を伝送するダウンリンク制御チャンネルとＵＥが制御メッセージを伝送するアップリンク共通制御チャンネルを一対一に対応させて割り当てる。前記のようにダウンリンク制御チャンネルとアップリンク共通制御チャンネルを一対一に割り当てる場合は、別に追加的なメッセージがなくても、一回のみ命令を伝送することにより、アップリンク共通制御チャンネル及びダウンリンク制御チャンネルをに割り当てることができる。すなわち、前記チャンネル割当て方法は、ＣＡ_ＩＣＨがダウンリンクチャンネル及びアップリンクチャンネルを指定する場合に提供される。
【０１４７】
二番目の方法は、ＵＥが伝送したＡＰのシグネチャー、ＡＰを伝送したアクセスチャンネルのスロット番号、そして、ＵＥが伝送したＣＤ_Ｐのシグネチャーなどの関数を利用してアップリンクチャンネルをマッピングさせる。例えば、アップリンク共通チャンネルをＣＤ_ＰのシグネチャーとＣＤ_Ｐが伝送された時点でのスロット番号に対応するアップリンクチャンネルに対応させることができる。すなわち、前記のようなチャンネル割当て方法において、ＣＤ_ＩＣＨは、アップリンクに使用されるチャンネルを割り当て、前記ＣＡ_ＩＣＨは、ダウンリンクに使用するチャンネルを割り当てる。このような方法にて、ＵＴＲＡＮがダウンリンクチャンネルを割り当てると、ＵＴＲＡＮの資源を最大に活用することができ、これにより、チャンネルの活用効率性を高める。
【０１４８】
ＵＴＲＡＮ及びＵＥは、ＵＥが伝送したＡＰのシグネチャーとＵＥが受信したＣＡ_ＩＣＨ、すなわちチャンネル割当てメッセージとを認識することができるので、前記２個の変数を利用してアップリンクＣＰＣＨチャンネルを割り当てる。ＵＴＲＡＮは、ＵＥにＣＰＣＨを柔軟に割り当てることができる。これら方法の原則は次のようである。前記ＡＰに使用されるシグネチャーは、ＵＥが要求するデータ伝送速度にマッピングされ、前記ＣＡ_ＩＣＨは、ＵＥが要求したデータ伝送速度を支援することができるＣＰＣＨチャンネルのうち１つにマッピングされる。このとき、前記ＡＰのシグネチャー数をＭ個、ＣＡ_ＩＣＨの個数をＮ個とすると、選択可能な場合の数はＭ×Ｎ個である。
【０１４９】
ここで、下記＜表７＞に示すように、ＡＰシグネチャーの番号がＭ＝３個であり、ＣＡ_ＩＣＨの番号がＮ＝４個と仮定する。
【０１５０】
【表７】
2004312771.tif 000011
前記＜表７＞において、ＡＰシグネチャーは、ＡＰ(１)、ＡＰ(２)、及びＡＰ(３)であり、前記ＣＡ_ＩＣＨによって割り当てられたチャンネル番号は、ＣＡ(１)、ＣＡ(２)、ＣＡ(３)、及びＣＡ(４)である。このとき、チャンネルを割り当てる場合、前記ＣＡ_ＩＣＨによってのみチャンネルを選択するようになると、利用可能のチャンネル数は４個である。すなわち、ＵＴＲＡＮがＵＥにＣＡ(３)を伝送し、これによって前記ＵＥがＣＡ(３)を受信すると、ＵＥは３番目チャンネルを割り当てる。しかし、ＵＥ及びＵＴＲＡＮがＡＰ及びＣＡ番号のシグネチャー番号を知っているので、これを組み合わせることができる。例えば、前記＜表７＞に示すようなＡＰ番号及びＣＡ番号を利用してチャンネルを割り当てる場合、前記ＵＥがＡＰ(２)を伝送し、ＵＴＲＡＮがＣＡ(３)を伝送すると、ＵＥは、チャンネル番号３を選択するのではなく、チャンネル番号７(２、３)を選択する。すなわち、前記ＡＰ=２、ＣＡ=３に該当するチャンネルは、前記＜表７＞から分かることができ、前記＜表７＞のような情報は、ＵＥ及びＵＴＲＡＮのすべてに貯蔵されている。従って、前記ＵＥ及びＵＴＲＡＮは、前記＜表７＞の第２行と第３列を選択すると、割り当てられたＣＰＣＨチャンネル番号が７であることを分かる。その結果、(２、３)に該当するＣＰＣＨのチャンネル番号は７になる。
【０１５１】
従って、前記のように、２個の変数を利用してチャンネルを選択する方法は、選択可能なチャンネル数を増加させる。ＵＥ及びＵＴＲＡＮは、上位階層の信号交換によって前記＜表７＞のような情報を有するか、または、式によって前記情報を計算することができる。すなわち、列ＡＰ番号と行ＣＡ番号を使用して互いに交差する地点と番号を判断することができる。
【０１５２】
このような動作を図１８及び図１９を参照して説明する。ＵＥの制御器１８２０及びＵＴＲＡＮの制御器１９２０は、前記＜表７＞のようなチャンネル割当て情報、または前述したような計算方法を利用することができる。図１８及び図１９の説明では、前記制御器１８２０及び１９２０が前記＜表７＞のような情報を含むと仮定する。
【０１５３】
先ず、ＵＥの制御器１８２０はＣＰＣＨを通じた通信が必要な場合、所望のデータ伝送速度に対応するＡＰシグネチャーを決定した後、前記決定されたＡＰシグネチャーにスクランブリングコードをチップ単位で乗じるプリアンブル発生器１８３１を通じて、前記決定されたＡＰシグネチャーを伝送する。すると、ＵＴＲＡＮは、前記ＡＰプリアンブルを受信してＡＰプリアンブルに使用したシグネチャーを確認する。前記受信されたシグネチャーが他のＵＥで使用されないと、ＵＴＲＡＮは、受信されたシグネチャーを利用してＡＰ_ＡＩＣＨを生成する。しかし、前記受信されたシグネチャーが他のＵＥで使用されていると、ＵＴＲＡＮは、前記受信されたシグネチャーの位相を反転して得られたシグネチャー値を利用してＡＰ_ＡＩＣＨを生成する。このとき、他のＵＥが異なるシグネチャーを使用したＡＰプリアンブルを受信すると、ＵＴＲＡＮは、前記受信されたシグネチャーが使用されたか否かを確認し、前記受信されたシグネチャーの位相反転、または同位相のシグネチャー値を利用してＡＰ_ＡＩＣＨを生成する。その後、ＵＴＲＡＮは、生成されたシグネチャーの値を加算してＡＰ_ＡＩＣＨ信号を生成し、これにより、各シグネチャーに対する状態を伝送することができる。
【０１５４】
伝送されたシグネチャーと同一のシグネチャーを使用するＡＰ_ＡＩＣＨを受信すると、ＵＥは、衝突検出のためのシグネチャー中の任意の一つを使用してＣＤ_Ｐを生成し、前記生成されたＣＤ_Ｐを伝送する。ＵＴＲＡＮは、ＵＥから前記ＣＤ_Ｐに含まれたシグネチャーを受信すると、前記ＣＤ_Ｐに使用されたシグネチャーと同一のシグネチャーを使用してＣＤ_ＩＣＨを伝送する。このとき、ＵＴＲＡＮがプリアンブル検出器１９１１を通じてＣＤ_Ｐを受信すると、ＵＴＲＡＮの制御器１９２０は、ＣＰＣＨの割当て要求を認識し、ＣＡ_ＩＣＨを生成してＵＥに伝送する。前述したように、前記ＣＤ_ＩＣＨとＣＡ_ＩＣＨは同時に伝送されることもでき、または別に伝送されることもできる。前記ＣＡ_ＩＣＨの生成動作を詳細に説明すると、ＵＴＲＡＮは、ＵＥが要求したデータ伝送速度に対応するスクランブリングコード中、使用されないスクランブリングコードを決定し、ＵＥが伝送したＡＰに使用されるシグネチャー、すなわち、前記＜表７＞の指定されたＣＡ_ＩＣＨシグネチャーを決定する。前記決定されたＣＡ_ＩＣＨシグネチャーと前記ＡＰに使用されるシグネチャーとの組合せは、前記ＣＰＣＨのチャンネル割当て情報である。ＵＴＲＡＮの制御器１９２０は、前記決定されたＣＡ_ＩＣＨシグネチャーと前記受信されたＡＰのシグネチャーとを結合してＣＰＣＨを割り当てる。また、ＵＴＲＡＮは、前記ＡＩＣＨ発生器１９３１を通じて前記決定されたＣＡ_ＩＣＨシグネチャー情報を受信した後ＣＡ_ＩＣＨを発生させる。前記ＣＡ_ＩＣＨは、フレーム形成器１９３３を通じてＵＥに伝送される。そして、前記ＣＡ_ＩＣＨシグネチャー情報を受信したＵＥは、前記ＡＰに使用されたシグネチャー及び前記受信されたＣＡ_ＩＣＨシグネチャーを利用して、前記のような方法にてＵＥが使用するＣＰＣＨを認識する。
【０１５５】
図１８は、本発明の実施形態によるアップリンクＣＰＣＨを利用してＵＴＲＡＮと通信するＵＥの送受信器の構造を示す。
【０１５６】
図１８を参照すると、ＡＩＣＨ復調器１８１１は、制御器１８２０から提供されるチャンネル指定のための制御メッセージ１８２２によって、ＵＴＲＡＮのＡＩＣＨ発生器から伝送されるダウンリンクのＡＩＣＨ信号を復調する。前記制御メッセージ１８２２は、受信されているダウンリンク信号がＡＰ_ＡＩＣＨ、ＣＤ_ＩＣＨ、及びＣＡ_ＩＣＨのうち１つであることを示す。前記ＡＩＣＨ復調器１８１１は、ＡＰ_ＡＩＣＨ復調器、ＣＤ_ＩＣＨ復調器、及びＣＡ_ＩＣＨ復調器を備えることができる。このような場合、前記制御器１８２０は、ＵＴＲＡＮから伝送されるＡＰ_ＡＩＣＨ、ＣＤ_ＩＣＨ及びＣＡ_ＩＣＨをそれぞれ受信することができるように、前記各復調器のチャンネルを指定する。また、前記ＡＰ_ＡＩＣＨ、ＣＤ_ＩＣＨ、及びＣＡ_ＩＣＨを一つの復調器または別の復調器で実現することができる。このような場合、前記制御器１８２０は、時分割された各ＡＩＣＨを受信するために、スロットを割り当てることによりチャンネルを指定することができる。
【０１５７】
データ及び制御信号処理器１８１３は、前記制御器１８２０を通じてダウンリンクチャンネルを指定し、前記指定されたチャンネルを通じて受信されたデータまたは制御信号（電力制御命令を含む。）を処理する。チャンネル推定器１８１５は、ダウンリンクを通じて前記ＵＴＲＡＮから受信した信号強度を推定することができ、前記受信されたデータの位相補償及び利得を制御することにより、前記データ及び制御信号処理器１８１３の復調を助ける。
【０１５８】
制御器１８２０は、ＵＥのダウンリンクチャンネル受信器及びアップリンクチャンネル送信器の全般的な動作を制御する。本発明の実施形態で、前記制御器１８２０は、ＵＴＲＡＮをアクセスする間、プリアンブル発生制御信号１８２６を利用してアクセスプリアンブルＡＰ及び衝突検出プリアンブルＣＤ_Ｐの発生を制御する。前記制御器１８２０は、アップリンク電力制御信号１８２４を利用してアップリンクの送信電力を制御し、ＵＴＲＡＮから伝送されるＡＩＣＨ信号を処理する。すなわち、前記制御器１８２０は、図３の３０１に示すように、プリアンブル発生器１８３１を制御してアクセスプリアンブルＡＰ及び衝突検出プリアンブルＣＤ_Ｐを発生させる。そして、ＡＩＣＨ復調器１８１１を制御して、図３の３０１に示すように発生されるＡＩＣＨ信号を処理する。
【０１５９】
プリアンブル発生器１８３１は、前記制御器１８２０の制御の下で、図３の３３１に示すようにプリアンブルＡＰ及びＣＤ_Ｐを生成する。フレーム形成器１８３３は、前記プリアンブル発生器１８３１から出力されるプリアンブルＡＰ及びＣＤ_Ｐと、アップリンクのパケットデータ及びパイロット信号とを受信してフレームデータを形成し、アップリンクを通じたパケットデータ及びパイロット信号を伝送する。前記フレーム形成器１８３３は、前記制御器１８２０から出力される電力制御信号によってアップリンクの送信電力を制御する。前記フレーム形成器１８３３は、ＵＴＲＡＮからＣＰＣＨが割り当てられた以後、電力制御プリアンブル及びデータのような他のアップリンク伝送信号１８３２を伝送することもできる。また、このような場合、ダウンリンクの送信電力を制御するために、アップリンクチャンネルを通じて伝送した電力制御命令語を伝送することもできる。
【０１６０】
図１９は、本発明の実施形態によるアップリンクＣＰＣＨ及びダウンリンクチャンネルを利用してＵＥと通信するためのＵＴＲＡＮの送受信器を示す。
【０１６１】
図１９を参照すると、ＡＩＣＨ検出器１９１１は、ＵＥから伝送されて図３の３３１に示すようなＡＰ及びＣＤ_Ｐを検出して制御器１９２０に出力する。データ及び制御信号処理器１９１３は、前記制御器１９２０の制御の下でアップリンクチャンネルを指定し、前記指定されたチャンネルを通じて受信したデータまたは制御信号を処理する。チャンネル推定器１９１５は、ダウンリンクを通じて前記ＵＥから受信された信号強度を推定して前記データ及び制御信号処理器１９１３の利得を制御する。
【０１６２】
前記制御器１９２０は、ＵＴＲＡＮのダウンリンクチャンネル送信器及びアップリンクチャンネル受信器の全般的な動作を制御する。前記制御器１９２０は、ＵＥによって発生したアクセスプリアンブルＡＰ及び衝突検出プリアンブルＣＤ_Ｐの検出を制御する。さらに、前記制御器１９２０は、プリアンブル選択制御命令語１９２２を利用して、前記ＡＰ、ＣＤ_Ｐ、及びチャンネル割当てメッセージに応答するＡＩＣＨ信号の発生を制御する。すなわち、前記ＡＰまたはＣＤ_Ｐがプリアンブル検出器１９１１を通じて検出されると、前記制御器１９２０は、ＡＩＣＨ発生制御命令１９２６を利用してＡＩＣＨ発生器１９３１を制御することにより、図３の３０１に示すようなＡＩＣＨ信号を発生させる。
【０１６３】
ＡＩＣＨ発生器１９３１は、制御器１９２０の制御の下で、前記プリアンブル信号に対する応答信号であるＡＰ_ＡＩＣＨ、ＣＤ_ＩＣＨ及びＣＡ_ＩＣＨを発生する。前記ＡＩＣＨ発生器１９３１は、ＡＰ_ＡＩＣＨ発生器、ＣＤ_ＩＣＨ発生器、及びＣＡ_ＩＣＨ発生器を備えることができる。このような場合、前記制御器１９２０は、図３の３０１に示すようなＡＰ_ＡＩＣＨ、ＣＤ_ＩＣＨ及びＣＡ_ＩＣＨをそれぞれ発生するように各発生器を指定する。また、前記ＡＰ_ＡＩＣＨ、ＣＤ_ＩＣＨ及びＣＡ_ＩＣＨは、一つの発生器または別の発生器で実現されることができる。前記ＡＰ_ＡＩＣＨ、ＣＤ_ＩＣＨ及びＣＡ_ＩＣＨが同一のＡＩＣＨ発生器から発生すると、前記制御器１９２０は、前記ＡＰ_ＡＩＣＨ、ＣＤ_ＩＣＨ、及びＣＡ_ＩＣＨを１つのフレーム内に伝送するように、前記ＡＰ_ＡＩＣＨ、ＣＤ_ＩＣＨ及びＣＡ_ＩＣＨにＡＩＣＨフレームの時分割されたスロットを割り当てることができる。
【０１６４】
フレーム形成器１９３３は、前記ＡＩＣＨ発生器１９３１から出力されるＡＰ_ＡＩＣＨ、ＣＤ_ＩＣＨ、及びＣＡ_ＩＣＨと、ダウンリンク制御信号を受信してフレームデータを形成する。前記フレーム形成器１９３３は、前記制御器１９２０から伝送した電力制御信号１９２４によってアップリンクの送信電力も制御する。また、ＵＥから受信したダウンリンクの電力制御命令が伝送されると、前記フレーム形成器１９３３は、ＵＥから受信した前記電力制御命令によって共通パケットチャンネルを制御するためのダウンリンクチャンネルの送信電力を制御することもできる。
【０１６５】
図２０は、ＵＥがＵＴＲＡＮに伝送する電力制御プリアンブルＰＣ_Ｐのスロット構造を示す。前記ＰＣ_Ｐは、０または８スロットの長さを有する。前記ＰＣ_Ｐの長さは、ＵＴＲＡＮとＵＥとの無線環境が良好であるので、アップリンクＣＰＣＨの初期電力を設定する必要がないか、またはシステム自体でＰＣ_Ｐを使用しない場合に０スロットになり、その以外の場合、ＰＣ_Ｐの長さは８スロットになることができる。図２０は、Ｗ-ＣＤＭＡ標準案で定義されたＰＣ_Ｐの基本構造を示す。前記ＰＣ_Ｐは、２個のスロット形態を有し、各スロットは１０ビットで構成される。図２０の参照番号２００１は、パイロットフィールドを示し、ＰＣ_Ｐのスロット形態によって８ビットまたは７ビットで構成される。参照番号２００３は、ＵＴＲＡＮに伝送される情報がある場合に使用される帰還情報(Feedback Information)フィールドを示し、０または１ビットの長さを有する。参照番号２００５は、電力制御命令語を伝送するフィールドを示す。このようなフィールドは、ＵＥがダウンリンクの送信電力を制御する場合に使用され、２ビットの長さを有する。
【０１６６】
ＵＴＲＡＮは、前記ＰＣ_Ｐのパイロットフィールド２００１を利用してＵＥの送信電力を測定した後、アップリンクＣＰＣＨが設定される場合に設定されたダウンリンク専用チャンネルを通じて電力制御命令語を伝送してアップリンクＣＰＣＨの初期送信電力を制御する。前記電力制御過程で、ＵＴＲＡＮは、ＵＥの送信電力が低いと判断されると、電力上昇命令語(power-up command)を伝送し、送信電力が高いと判断されると、電力下降命令語(power-down command)を伝送する。
【０１６７】
本発明の好適な実施形態では、前記電力制御の目的に加えて、ＣＰＣＨの設定を確認する目的でＰＣ_Ｐを使用する方法を提示する。前記ＣＰＣＨの設定を確認する理由は、下記の説明のようである。ＵＴＲＡＮがＵＥにチャンネル割当てメッセージを伝送した場合、ＵＴＲＡＮとＵＥとの無線環境が悪いか、または多重経路(multi-path)環境がよくないので、チャンネル割当てメッセージにエラーが発生することができる。このような場合、ＵＥは、エラーを有するチャンネル割当てメッセージを受信してＵＴＲＡＮが指定しないＣＰＣＨを誤って使用する。これにより、該当ＣＰＣＨを使用する他のＵＥとアップリンクで衝突を起こすことができる。このような衝突は、チャンネルの使用権を要求する従来技術でも、ＵＥがＵＴＲＡＮから伝送されたＮＡＫをＡＣＫで誤認して発生することができる。従って、本発明の好適な実施形態では、ＵＥがＵＴＲＡＮにもう一度チャンネルメッセージに対する確認を要求する方法を提示することにより、アップリンクＣＰＣＨを使用するとき信頼度を高めることができる。
【０１６８】
ＵＥがＵＴＲＡＮにＰＣ_Ｐを使用してチャンネル割当てメッセージまたはチャンネル要求メッセージを確認するように要求する前記方法は、電力制御に対するアップリンクの受信電力を測定するＰＣ_Ｐの本来の目的に影響を与えない。前記ＰＣ_Ｐのパイロットフィールドは、ＵＴＲＡＮが知っている情報であり、また、ＵＥからＵＴＲＡＮに伝送するチャンネル割り当て確認メッセージに対する値も、ＵＴＲＡＮが知っている値であるので、アップリンクの受信電力を測定するのに難しさはない。従って、ＵＴＲＡＮは、前記ＰＣ_Ｐを通じて伝送したＣＡ確認メッセージを検査することにより、ＵＥがチャンネル割当てメッセージを正常的に受信したか否かを確認することができる。本発明の実施形態において、ＵＴＲＡＮがアップリンクの受信電力を測定する過程で、ＵＴＲＡＮが知っているパイロットビットが復調されないと、ＵＴＲＡＮは、ＵＥに伝送した従来技術の場合に使用したチャンネル割当てメッセージまたはＡＣＫメッセージにエラーが発生したものと判断し、アップリンクＣＰＣＨと一対一に対応するダウンリンク専用チャンネルを通じてアップリンクの送信電力を減少させる電力下降命令語を連続して伝送する。前記電力下降命令語は、現在Ｗ-ＣＤＭＡ標準案では、１個の１０ｍｓフレームに対して１６回伝送されなければならないと規定されており、エラーが発生した時点から１０ｍｓ内で少なくとも１５ｄＢだけの送信電力が減少するので、他のＵＥに深刻な影響を与えない。
【０１６９】
図２１は、図２０のＰＣ_Ｐの生成構造を示す。図２１を参照すると、参照番号２１０１はＰＣ_Ｐを示し、図２０と同一の構造を有する。参照番号２１０３はチャンネル区分コードを示し、乗算器２１０２によってＣＰ_Ｐと乗じられ、ＰＣ_Ｐを拡散させる。チャンネル区分コード２１０３は、２５６チップの拡散率を有し、ＵＴＲＡＮから伝送されたＣＡメッセージによって決定された規則によって設定される。参照番号２１０５はＰＣ_Ｐフレームを示し、８スロットで構成され、各スロットは、２，５６０チップの長さを有する。参照番号２１０７は、ＰＣ_Ｐに使用されるＵＬ_スクランブリングコードを示す。乗算器２１０６は、前記ＵＬ_スクランブリングコード２１０７でＰＣ_Ｐフレーム２１０５を拡散させる。前記拡散されたＰＣ_Ｐフレームは、ＵＴＲＡＮに伝送される。
【０１７０】
図２２Ａは、前記ＰＣ_Ｐを利用して、ＵＥからＵＴＲＡＮにチャンネル割当て確認メッセージまたはチャンネル使用要求確認メッセージを伝送する方法を示す。図２２Ａにおいて、ＰＣ_Ｐ２２０１、チャンネル区分コード２２０３、ＰＣ_Ｐフレーム２２０５、及びＵＬ_スクランブリングコード２２０７は、図２１のＰＣ_Ｐ２１０１、チャンネル区分コード２１０３、ＰＣ_Ｐフレーム２１０５、及びＵＬ_スクランブリングコード２１０７と同一の構造及び動作を遂行する。また、乗算器２２０２及び２２０６も図２１の乗算器２１０２及び２１０６とそれぞれ同一の動作を遂行する。ＰＣ_Ｐを使用して、チャンネル割当て確認メッセージまたはチャンネル使用要求確認メッセージをＵＴＲＡＮに伝送するためには、ＰＣ_Ｐ２２０１のパイロットフィールドにＵＴＲＡＮから受信されたＣＡ_ＩＣＨのチャンネル番号またはシグネチャー番号を反復的に乗じて伝送する。図２２Ａの参照番号２２０９は、ＵＴＲＡＮからＵＥに伝送されたＣＡ_ＩＣＨで使用したシグネチャー番号またはＣＰＣＨチャンネル番号を含むＣＰＣＨ確認メッセージを示す。ここで、前記シグネチャー番号は、ＣＡ_ＩＣＨに使用されるシグネチャーがＣＰＣＨに一対一に対応する場合にＣＰＣＨ確認メッセージが使用され、前記ＣＰＣＨチャンネル番号は、多数のシグネチャーが１個のＣＰＣＨに対応する場合にＣＰＣＨ確認メッセージが使用される。前記ＣＰＣＨ確認メッセージ２２０９は、乗算器２２０８によってＰＣ_Ｐのパイロットフィールドを反復的に乗じて伝送する。
【０１７１】
図２２Ｂは、図２２Ａの方法を使用してＰＣ_Ｐを伝送する場合、ＵＴＲＡＮ内の多数のＵＥがＡＰ、ＣＤ_Ｐ、ＰＣ_Ｐ、及びＣＰＣＨメッセージ部に使用するアップリンクスクランブリングコードの構造を示す。前記ＰＣ_Ｐを利用してチャンネル割当て確認メッセージまたはチャンネル使用要求確認メッセージをＵＴＲＡＮに伝送するためには、ＵＴＲＡＮから受信したＣＡ_ＩＣＨのチャンネル数またはシグネチャー数をＣＰＣＨメッセージ部に使用されるスクランブリングコードに一対一にマッピングさせる。図２２Ｂの参照番号２２２１は、ＡＰに使用されるスクランブリングコードとして、ＵＴＲＡＮがＵＴＲＡＮ内のＵＥに放送チャンネルを通じて通報するスクランブリングコードまたはシステム全体内でＡＰ部分に同一に使用するスクランブリングコードである。ＣＤ_Ｐに使用されるスクランブリングコード２２２３は、スクランブリングコード２２２１と同一の初期値を有するスクランブリングコードであるが、異なるスタート点を有する。しかし、ＡＰとＣＤ_Ｐに使用されるシグネチャーグループが相互に異なる場合、ＡＰのスクランブリングコード２２２１と同一のスクランブリングコードを前記スクランブリングコード２２２３に使用する。参照番号２２２５は、ＰＣ_Ｐに使用されるスクランブリングコードとして、ＵＴＲＡＮがＵＥに通報するスクランブリングコードまたはシステム全体内でＰＣ_Ｐ部分に同一に使用するスクランブリングコードである。前記ＰＣ_Ｐ部分に使用されるスクランブリングコードは、前記ＡＰとＣＤ_Ｐ部分に使用したスクランブリングコードと同一の符号であることもでき、異なる符号であることもできる。参照番号２２２７、２２３７、及び２２４７は、ＵＴＲＡＮ内でＵＥ＃１、ＵＥ＃２、及びＵＥ＃ｋがＣＰＣＨを使用してＣＰＣＨメッセージ部を伝送する場合に使用するスクランブリングコードを示す。前記スクランブリングコード２２２７、２２３７、及び２２４７は、ＵＥから伝送したＡＰ、またはＵＴＲＡＮから伝送したＣＡ_ＩＣＨメッセージによって設定されることができる。ここで、‘ｋ’は、ＵＴＲＡＮ内でＣＰＣＨを同時に使用することができるＵＥの数、またはＵＴＲＡＮ内のＣＰＣＨ数を示す。
【０１７２】
図２２Ｂにおいて、ＵＴＲＡＮがＣＰＣＨに使用するアップリンクスクランブリングコードをＣＰＣＨチャンネルごとに、またはＵＥごとに割り当てない場合、前記メッセージ部に使用されるスクランブリングコードの数はＵＴＲＡＮ内でＣＰＣＨを同時に使用することができるＵＥの数、またはＵＴＲＡＮ内のＣＰＣＨ数より小さいことができる。
【０１７３】
図２３は、ＰＣ_Ｐを利用して、ＵＥからＵＴＲＡＮにチャンネル割当て確認メッセージまたはチャンネル使用要求確認メッセージを伝送する方法の他の例を示す。図２３において、ＰＣ_Ｐ２３０１、チャンネル区分コード２３０３、ＰＣ_Ｐフレーム２３０５、及びＵＬ_スクランブリングコード２３０７は、図２１のＰＣ_Ｐ２１０１、チャンネル区分コード２１０３、ＰＣ_Ｐフレーム２１０５、及びＵＬ_スクランブリングコード２１０７と同一の構造及び動作を遂行する。また、乗算器２３０２及び乗算器２３０６は、図２１の乗算器２１０２及び乗算器２１０６とそれぞれ同一の動作を遂行する。ＰＣ_Ｐを使用してチャンネル割当て確認メッセージまたはチャンネル使用要求確認メッセージをＵＴＲＡＮに伝送するためには、前記ＰＣ_Ｐフレーム２３０５にチップ単位でＣＰＣＨ確認メッセージ２３０９を乗じた後、スクランブリングコード２３０７で拡散させる。ここで、ＣＰＣＨ確認メッセージ及びスクランブリングコードにＰＣ_Ｐフレームを乗じる手順が逆になっても、同一の結果を得ることができる。前記ＣＰＣＨ確認メッセージは、ＵＴＲＡＮからＵＥに伝送したＣＡ_ＩＣＨで使用したシグネチャー番号またはＣＰＣＨチャンネル番号を含む。このとき、前記シグネチャー番号は、ＣＡ_ＩＣＨに使用されるシグネチャーがＣＰＣＨに一対一に対応する場合にＣＰＣＨ確認メッセージが使用される。そして、前記ＣＰＣＨチャンネル番号は、多数のシグネチャーが１個のＣＰＣＨに対応する場合にＣＰＣＨ確認メッセージが使用される。図２３の方法で、ＵＴＲＡＮ内のＵＥがスクランブリングコードを使用する環境は、図２２Ａ及び図２２Ｂの方法で提案された環境と同一である。
【０１７４】
図２４Ａは、ＰＣ_Ｐを利用して、ＵＥからＵＴＲＡＮにチャンネル割当て確認メッセージまたはチャンネル使用要求確認メッセージを伝送する方法のさらに他の例を示す。図２４Ａにおいて、ＰＣ_Ｐ２４０１、ＰＣ_Ｐフレーム２４０５、及びＵＬ_スクランブリングコード２４０７は、図２１のＰＣ_Ｐ２１０１、ＰＣ_Ｐフレーム２１０５、及びＵＬ_スクランブリングコード２１０７と同一の構造及び動作を遂行する。また、乗算器２４０２及び２４０６も図２１の乗算器２１０２及び２１０６とそれぞれ同一の動作を遂行する。前記ＰＣ_Ｐを利用して、チャンネル割当て確認メッセージまたはチャンネル使用要求確認メッセージをＵＴＲＡＮに伝送するためには、チャンネル区分コード２４０３は、ＵＥがＵＴＲＡＮから受信したＣＡ_ＩＣＨシグネチャーまたはＣＰＣＨチャンネル番号と一対一に対応し、前記チャンネル符号を使用してＰＣ_Ｐをチャンネル拡散させた後ＵＴＲＡＮに伝送する。図２４Ａの方法で、ＵＴＲＡＮ内のＵＥがスクランブリングコードを使用する環境は、図２２Ｂの方法で提案した環境と同一である。
【０１７５】
図２４Ｂは、ＣＡ_ＩＣＨシグネチャーまたはＣＰＣＨチャンネル番号と一対一に対応するＰＣ_Ｐチャンネルコードツリーの例を示す。前記チャンネルコードツリーは、Ｗ-ＣＤＭＡ標準案ではＯＶＳＦコードツリー(Orthogonal Variable Spreading Factor Code Tree)と言われ、前記ＯＶＳＦコードツリーは、拡散率による直交符号を定義する。
【０１７６】
図２４ＢのＯＶＳＦコードツリー２４３１で、ＰＣ_Ｐチャンネル区分コードとして使用するチャンネル区分コード２４３３は２５６の固定された拡散率を有し、ＰＣ_Ｐチャンネル区分コードとＣＡ_ＩＣＨシグネチャーまたはＣＰＣＨチャンネル番号を一対一に対応させる可能なマッピング(mapping)規則が多数ある。前記マッピング規則に対する一例に、拡散率２５６であるチャンネル区分コードのうち最下部分のチャンネル区分コードは、ＣＡ_ＩＣＨのシグネチャーまたはＣＰＣＨチャンネル番号と一対一に対応することもでき、最上部分のチャンネル区分コードは、チャンネル区分コードを変更させるか、または幾つのチャンネル区分コードをスキップすることにより、ＣＡ_ＩＣＨのシグネチャーまたはＣＰＣＨチャンネル番号と一対一に対応することもできる。図２４Ｂにおいて、‘ｎ’は、ＣＡ_ＩＣＨシグネチャーの数またはＣＰＣＨチャンネルの数になることができる。
【０１７７】
図２５Ａは、前記ＰＣ_Ｐを利用して、ＵＥからＵＴＲＡＮに伝送したチャンネル割当て確認メッセージまたはチャンネル使用要求確認メッセージを伝送する他の方法を示す。図２５Ａにおいて、ＰＣ_Ｐ２５０１、チャンネル符号２５０３、及びＰＣ_Ｐフレーム２５０５は、図２１のＰＣ_Ｐ２１０１、チャンネル区分コード２１０３、及びＰＣ_Ｐフレーム２１０５と同一の構造及び動作を遂行する。また、乗算器２５０２及び２５０６も図２１の乗算器２１０２及び２１０６とそれぞれ同一の動作を遂行する。前記ＰＣ_Ｐを利用して、チャンネル割当て確認メッセージまたはチャンネル使用要求確認メッセージをＵＴＲＡＮに伝送するためには、前記ＵＬ_スクランブリングコード２５０７は、ＵＴＲＡＮから受信したＣＡ_ＩＣＨのチャンネル番号またはシグネチャー番号に一対一に対応し、前記アップリンクスクランブリングコードでＰＣ_Ｐフレーム２５０５を拡散させて伝送する。前記ＵＥから伝送したＰＣ_Ｐフレームを受信すると、ＵＴＲＡＮは、ＰＣ_Ｐフレームに使用されたスクランブリングコードとＣＡ_ＩＣＨを通じて伝送したシグネチャーまたはＣＰＣＨチャンネル番号に一対一に対応するか否かを確認する。前記スクランブリングコードが前記シグネチャーまたはＣＰＣＨチャンネル番号に対応しないと、直ちに、ＵＴＲＡＮは、アップリンクＣＰＣＨと一対一に対応するダウンリンク専用チャンネルの電力制御命令語フィールドにアップリンクの送信電力を減少させる電力下降命令語を伝送する。
【０１７８】
図２５Ｂは、図２５Ａの方法を使用してＰＣ_Ｐを伝送する場合、ＵＴＲＡＮ内の多数のＵＥがＡＰ、ＣＤ_Ｐ、ＰＣ_Ｐ、及びＣＰＣＨメッセージ部に使用するアップリンクスクランブリングコードの構造を示す。図２５Ｂの参照番号２５２１は、ＡＰに使用されるスクランブリングコードとして、ＵＴＲＡＮによりＵＥに放送チャンネルを通じて通報するスクランブリングコード、またはシステム全体内でＡＰ部分に同一に使用するスクランブリングコードである。前記ＣＤ_Ｐに使用されるスクランブリングコード２５２３は、前記ＡＰに使用されるスクランブリングコード２５２１と同一の初期値を有するスクランブリングコードを使用するが、異なるスタート点を有する。しかし、ＡＰとＣＤ_Ｐに使用されるシグネチャーグループが相互に異なる場合は、ＡＰのスクランブリングコード２５２１と同一のスクランブリングコードは、スクランブリングコード２５２３に使用される。参照番号２５２５、２５３５、及び２５４５は、ＵＥ＃１、ＵＥ＃２、及びＵＥ＃ｋがＰＣ_Ｐを伝送する場合に使用されるスクランブリングコードを示し、このようなスクランブリングコードは、ＵＥがＵＴＲＡＮから受信したＣＡ_ＩＣＨのシグネチャーまたはＣＰＣＨチャンネルの番号と一対一に対応する。前記スクランブリングコードに対して、ＵＥは、ＰＣ_Ｐに使用されるスクランブリングコードを貯蔵することもでき、またはＵＴＲＡＮがＵＥに通報することもできる。前記ＰＣ_Ｐスクランブリングコード２５２５、２５３５、及び２５４５は、前記ＣＰＣＨメッセージ部で使用されるスクランブリングコード２５２７、２５３７、及び２５４７と同一のスクランブリングコードになることもでき、または一対一に対応するスクランブリングコードになることもできる。図２５Ｂにおいて、‘ｋ’はＵＴＲＡＮ内のＣＰＣＨの数を示す。
【０１７９】
図２６Ａ乃至図２６Ｃは、本発明の実施形態によるＵＥ内のＣＰＣＨチャンネルを割り当てる手順を示す。そして、図２７Ａ乃至図２７Ｃは、本発明の実施形態によるＵＴＲＡＮ内のＣＰＣＨチャンネルを割り当てる手順を示す。
【０１８０】
図２６Ａを参照すると、ステップ２６０１で、ＵＥはＣＰＣＨを通じて伝送されるデータを発生させると、ステップ２６０２で、ＣＳＩＣＨをモニタリングして使用可能な最大データ伝送速度に関する情報を獲得する。ステップ２６０２で、ＣＳＩＣＨを通じて伝送されることができる情報は、ＣＰＣＨが支援するデータ伝送速度が使用されることができるかに関する情報を含むことができる。ステップ２６０２で、ＵＴＲＡＮのＣＰＣＨ情報を獲得した後、ＵＥは、ステップ２６０３で、前記ＣＳＩＣＨを通じて獲得した情報及び伝送データの特性に基づいて適切なＡＳＣを選択し、前記選択されたＡＳＣ内に有効なＣＰＣＨ_ＡＰ下位チャンネルグループを任意に選択する。その後、ステップ２６０４で、ＵＥは、ダウンリンクフレームのＳＦＮとＣＰＣＨの下位チャンネルグループ番号とを利用して、ＳＦＮ＋１及びＳＦＮ＋２のフレームから有効なアクセススロットを選択する。前記アクセススロットを選択した後、ＵＥは、ステップ２６０５で、ＵＥが伝送するデータの伝送速度に対して適切なシグネチャーを選択する。ここで、ＵＥは、前記情報を伝送するためのシグネチャー中の一つを選択する。その後、ステップ２６０６で、所望の伝送フォーマット(Transport Format；ＴＦ)選択、存続検査及びＡＰの伝送のための正確な初期遅延(initial delay)を遂行し、ステップ２６０７で、ＡＰの反復伝送回数及び初期送信電力を設定した後、ステップ２６０８でＡＰを伝送する。前記ＡＰを伝送した後、ＵＥは、ステップ２６０９で前記伝送されたＡＰに応じてＡＣＫを待機する。ＵＴＲＡＮから伝送されたＡＰ_ＡＩＣＨを分析することにより、ＡＣＫ信号が受信されたか否かを判断することができる。ステップ２６０９でＡＣＫを受信できないと、ステップ２６３１で、ＵＥは、ステップ２６０７で設定したＡＰ反復伝送回数が超過されたか否かを検査する。ステップ２６３１で、前記設定されたＡＰ反復伝送回数が超過された場合、ステップ２６３２で、ＵＥは、上位階層にエラー発生システム応答を伝送してＣＰＣＨアクセス過程を中断し、エラー復旧過程を遂行する。ＡＰ反復伝送回数が超過されたか否かは、タイマを利用して検査することができる。ステップ２６３１でＡＰ反復伝送回数が超過されなかったら、ステップ２６３３で、ＵＥは、ＣＰＣＨ_ＡＰ下位チャンネルグループに定義されている新たなアクセススロットを選択し、ステップ２６３４で、前記ＡＰに使用されるシグネチャーを選択する。ステップ２６３４でシグネチャーを選択するとき、ＵＥは、ステップ２６０３で選択されたＡＳＣ内の有効なシグネチャー中で新たなシグネチャーを選択するか、またはステップ２６０５で選択されたシグネチャーを選択する。その後、ステップ２６３５で、ＵＥはＡＰの送信電力を再設定した後、ステップ２６０８を繰り返して遂行する。
【０１８１】
ステップ２６０９でＡＣＫを受信すると、ＵＥは、ステップ２６１０で、プリアンブルのシグネチャーグループからＣＤ_Ｐに使用される任意のシグネチャー及びＣＤ_Ｐを伝送するアクセススロットを選択する。前記ＣＤ_Ｐを伝送するアクセススロットは、ＵＥがＡＣＫを受信した後の任意の時点を示すこともでき、または固定された時点を示すこともできる。前記ＣＤ_Ｐに対するシグネチャー及びアクセススロットを選択した後、ＵＥは、ステップ２６１１で前記選択されたアクセススロットで前記選択されたシグネチャーを使用するＣＤ_Ｐを伝送する。
【０１８２】
前記ＣＤ_Ｐを伝送した後、ＵＥは、図２６Ｂのステップ２６１２で、ＣＤ_Ｐに対するＡＣＫ及びチャンネル割当てメッセージが受信されたか否かを決定する。ＵＥは、ＣＤ_ＩＣＨを通じてＡＣＫが受信されたか否かによって異なる動作を遂行する。ステップ２６１２で、ＵＥは、ＣＤ_Ｐに対するＡＣＫ及びチャンネル割当てメッセージに対する受信時間をタイマを使用して検査することができる。前記タイマによって設定された時間内にＡＣＫが受信されないか、またはステップ２６１２で、ＵＥが伝送したＣＤ_Ｐに対するＮＡＫを受信すると、ＵＥは、ステップ２６４１に進行してＣＰＣＨアクセス手順を中断する。ステップ２６４１で、ＵＥは、上位階層にエラー発生システム応答(error occurrence system response)を伝送してＣＰＣＨアクセル手順を中断し、エラー復旧過程を遂行する。
【０１８３】
しかし、ステップ２６１２でＣＤ_Ｐに対するＡＣＫが受信されると、ＵＥは、ステップ２６１３でＣＡメッセージを分析する。前記ＣＤ_Ｐに対するＡＣＫとＣＡメッセージは、図１６及び１７のＡＩＣＨの受信器を使用することにより、同時に検出及び分析されることができる。
【０１８４】
ステップ２６１４で、ＵＥは、ステップ２６１３で分析されたＣＡメッセージによって共通パケット物理チャンネルのメッセージ部に対するアップリンクスクランブリングコード及びアップリンクチャンネル区分コードを決定し、ＣＰＣＨの電力制御のために設定されたダウンリンク専用チャンネルのチャンネル区分コードを決定する。その後、ステップ２６１５で、ＵＥは、電力制御プリアンブルＰＣ_Ｐのスロット数が８または０であるかを確認する。ステップ２６１５で、前記ＰＣ_Ｐのスロット数が０であると、ＵＥは、ステップ２６１９を遂行してＵＴＲＡＮから伝送したダウンリンク専用チャンネルの受信を開始する。一方、前記ＰＣ_Ｐのスロット数が８であると、ＵＥは、ステップ２６１７を遂行する。ステップ２６１７で、ＵＥは、アップリンクスクランブリングコード、アップリンクチャンネル区分コード、及びＰＣ_Ｐに使用されるスロットタイプによって電力制御プリアンブルＰＣ_Ｐのフォーマットを行う。前記ＰＣ_Ｐは二つのスロットタイプを有する。前記ＰＣ_Ｐに対するスクランブリングコードとチャンネル区分コードを選択した後、ステップ２６１８で、ＵＥはＰＣ_Ｐを伝送し、同時にダウンリンク専用チャンネルを受信してＵＴＲＡＮから伝送したアップリンクの電力制御命令語によってアップリンク送信電力を制御し、ＵＴＲＡＮにダウンリンク電力制御命令語を伝送するためのダウンリンクの送信電力を測定する。その後、ステップ２６２０で、ＵＥは、ステップ２６１３で分析されたＣＡメッセージによってＰＣＰＣＨメッセージ部のフォーマットを行い、ステップ２６２１で、ＣＰＣＨメッセージ部の伝送を開始する。その後、ステップ２６２２で、ＵＥは、ＣＰＣＨ伝送が承認モード伝送であるか否かを確認する。ステップ２６２２で、ＣＰＣＨ伝送が承認モード(Acknowledgement mode)で伝送されないと、ＣＰＣＨメッセージ部の伝送が完了した後、ステップ２６２５を遂行してＣＰＣＨ伝送終了状態応答(transmission end status response)を上位階層に伝送し、ステップ２６２６で、ＣＰＣＨを通じてデータを伝送する過程を終了する。しかし、ステップ２６２２で、ＣＰＣＨ伝送が承認モード伝送であると、ステップ２６２３で、ＵＥは、ＣＰＣＨメッセージ部のＡＣＫ信号を受信するためのタイマを設定し、ステップ２６２４で、ＣＰＣＨメッセージ部の伝送中と伝送後に順方向アクセスチャンネル(ＦＡＣＨ)をモニタリングしてＵＴＲＡＮからＣＰＣＨメッセージ部に対するＡＣＫまたはＮＡＫが受信されたか否かを確認する。ＵＴＲＡＮからＡＣＫまたはＮＡＫの受信のときＦＡＣＨのみならず、ダウンリンク専用チャンネルも使用されることができる。ステップ２６２４で、ＵＥは、ＦＡＣＨを通じて伝送したＣＰＣＨメッセージ部に対するＡＣＫを受信できないと、ステップ２６５１では、ステップ２６２３で設定されたタイマが終了されたか否かを確認する。前記タイマが終了されなかったら、ＵＥは、ステップ２６２４に戻ってＵＴＲＡＮからのＡＣＫまたはＮＡＫの伝送をモニタリングする。しかし、前記タイマが終了されたら、ステップ２６５２で伝送失敗状態応答を上位階層に伝送し、エラー復旧過程を遂行する。しかし、ステップ２６２４で、ＵＥがＡＣＫを受信したら、ＣＰＣＨメッセージ部のＡＣＫを受信した後ステップ２６２５に進行して、ＣＰＣＨ伝送終了状態応答を上位階層へ伝送する。その後、ステップ２６２６で、ＵＥは、ＣＰＣＨを通じてデータを伝送する過程を終了する。以下、図２７Ａ乃至図２７Ｃを参照して、ＵＴＲＡＮがＣＰＣＨを割り当てる動作を詳細に説明する。
【０１８５】
図２７Ａのステップ２７０１で、ＵＴＲＡＮは、ＣＳＩＣＨを使用してＣＰＣＨによって支援される最大データ伝送速度に関する情報または前記伝送速度に従ってＣＰＣＨが使用可能であるか否かに関する情報を伝送する。ステップ２７０２で、ＵＴＲＡＮは、ＵＥから伝送されたＡＰを受信するためのアクセススロットをモニタリングする。前記アクセススロットをモニタリングする間、ステップ２７０３で、ＵＴＲＡＮは、前記ＡＰが検出されたか否かを判断する。ステップ２７０３で、ＡＰを検出できないと、ＵＴＲＡＮは、ステップ２７０２に戻って前記過程を反復する。
【０１８６】
一方、ステップ２７０３でＡＰを検出したら、ＵＴＲＡＮは、ステップ２７０４で２個以上のＡＰが検出または受信されたか否かを判断する。もし、ステップ２７０４で、２個以上のＡＰが検出されたら、ＵＴＲＡＮは、ステップ２７３１で前記検出されたＡＰのうち適切なＡＰを選択した後ステップ２７０５に進行する。一方、ステップ２７０４でただ一つのＡＰのみを受信し、前記受信されたＡＰの受信電力や受信されたＡＰのシグネチャーに含まれたＣＰＣＨに対する要求条件が適切であると、ＵＴＲＡＮはステップ２７０５を遂行する。ここで、前記“要求条件(requirement)”とは、ＵＥがＣＰＣＨに使用しようとするデータ伝送速度、または加入者が伝送するデータのフレーム数、または前記二つの要求条件の組合せを意味する。
【０１８７】
ステップ２７０４で一つのＡＰが検出されたか、またはステップ２７３１で適切なＡＰを選択した後であれば、ＵＴＲＡＮはステップ２７０５に進行して検出または選択されたＡＰに対するＡＣＫを伝送するＡＰ_ＡＩＣＨを生成した後、ステップ２７０６で生成されたＡＰ_ＡＩＣＨを伝送する。前記ＡＰ_ＡＩＣＨを伝送した後、ステップ２７０７で、ＵＴＲＡＮは、伝送されたＡＰを含むＵＥから伝送したＣＤ_Ｐを受信するアクセススロットをモニタリングする。前記ＣＤ_Ｐの受信及びアクセススロットのモニタリング過程でも、前記ＡＰを受信することができる。すなわち、ＵＴＲＡＮは、前記アクセススロットから前記ＡＰ、ＣＤ_Ｐ及びＰＣ_Ｐを検出することができ、前記検出されたプリアンブルに対する多数のＡＩＣＨを生成する。その結果、ＵＴＲＡＮは、前記ＣＤ_Ｐ及びＡＰを同時に受信することができる。本発明の実施形態は、図３に示したように、ＵＴＲＡＮが任意のＵＥが生成したＡＰを検出した後、ＣＰＣＨを割り当てる過程に焦点を合わせて説明される。従って、ＵＴＲＡＮが遂行した動作は、任意のＵＥから伝送したＡＰに対する、ＵＥが作った応答、伝送されたＡＰを含むＵＥから伝送したＣＤ_Ｐに対する応答、及び該当ＵＥから伝送したＰＣ_Ｐに対する応答の順に説明される。
【０１８８】
ステップ２７０８でＣＤ_Ｐを検出すると、ＵＴＲＡＮはステップ２７０９を遂行する。一方、ＣＤ_Ｐを検出できないと、ＵＴＲＡＮは、ステップ２７０７を遂行してＣＤ_Ｐの検出をモニタリングする。ＵＴＲＡＮは、２つのモニタリング方法を有する。１つの方法は、ＵＥがＡＰ_ＡＩＣＨの以後に固定された時間にＣＤ_Ｐを伝送すると、タイマが使用されることができ、他の方法は、ＵＥが任意の時点でＣＤ_Ｐを伝送すると、サーチャー(Searcher)が使用されることができる。ステップ２７０８でＣＤ_Ｐを検出すると、ＵＴＲＡＮは、ステップ２７０９で２個以上のＣＤ_Ｐが検出されたか否かを判断する。ステップ２７０９で２個以上のＣＤ_Ｐが検出されたら、ＵＴＲＡＮは、受信されたＣＤ_Ｐの中に適切なＣＤ_Ｐを選択して、ステップ２７１０でＣＤ_ＩＣＨ及びＣＡ_ＩＣＨを通じて伝送したチャンネル割当てメッセージを生成する。ステップ２７４１で、ＵＴＲＡＮは、前記受信されたＣＤ_Ｐの受信電力に基づいて適切なＣＤ_Ｐを選択することができる。ステップ２７０９で１個のＣＤ_Ｐが受信されたら、ＵＴＲＡＮは、ステップ２７１０に進行する。ステップ２７１０で、ＵＴＲＡＮは、ステップ２７４１で選択したＣＤ_Ｐまたはステップ２７０９で受信したＣＤ_Ｐを伝送したＵＥに伝送されるＣＡメッセージを生成する。その後、図２７Ｂのステップ２７１１で、ＵＴＲＡＮは、ステップ２７０８で検出されたＣＤ_Ｐに対するＡＣＫと、ステップ２７１０で生成したＣＡメッセージの伝送のためのＣＤ/ＣＡ_ＩＣＨを生成する。ＵＴＲＡＮは、図１３Ａ及び図１３Ｂを参照して説明した方法にて前記ＣＤ/ＣＡ_ＩＣＨを生成することができる。ＵＴＲＡＮは、ステップ２７１２で生成されたＣＡ/ＣＤ_ＩＣＨを図１４及び図１５を参照して説明した方法にて伝送する。
【０１８９】
前記ＣＤ/ＣＡ_ＩＣＨを伝送した後、ＵＴＲＡＮは、ステップ２７１３でアップリンクＣＰＣＨの送信電力を制御するためのダウンリンク専用チャンネル(ＤＬ_ＤＰＣＨ)を生成する。前記生成されたダウンリンク専用チャンネルは、ＵＥから伝送したアップリンクＣＰＣＨと一対一に対応することができる。ＵＴＲＡＮは、ステップ２７１４で生成したＤＬ_ＤＰＣＨを通じて伝送した命令を伝送し、ステップ２７１５で、ＵＥが伝送したＰＣ_Ｐを受信することにより、スロット数またはタイム情報を検査する。ステップ２７１５で、ＵＥが伝送したＰＣ_Ｐのスロット数またはタイム情報が‘０’であれば、ＵＴＲＡＮは、ステップ２７１９で、ＵＥが伝送したＰＣＰＣＨのメッセージ部の受信を開始する。一方、ＵＥが伝送したＰＣ_Ｐのスロット数またはタイム情報が‘８’であれば、ＵＴＲＡＮは、ステップ２７１６に進行する。ステップ２７１６では、ＵＴＲＡＮは、ＵＥから伝送したＰＣ_Ｐを受信して、ＰＣ_Ｐの送信電力を制御するための電力制御命令語を生成する。前記ＰＣ_Ｐの送信電力を制御する目的は、ＵＥが伝送したアップリンクＰＣＰＣＨの初期送信電力を適切に調整するためである。ＵＴＲＡＮは、ステップ２７１６で生成した電力制御命令語をステップ２７１３で生成したダウンリンク専用チャンネルのうち、ダウンリンク専用物理制御チャンネル(ＤＬ_ＤＰＣＣＨ)の電力制御命令語フィールドを通じて伝送する。その後、ＵＴＲＡＮは、ステップ２７１８でＰＣ_Ｐが完全に受信されたか否かを判断する。ＰＣ_Ｐの受信が終了されなかったら、ＵＴＲＡＮはステップ２７１７に戻す。一方、ＰＣ_Ｐの受信が終了されたら、ＵＴＲＡＮは、ステップ２７１９を遂行する。前記ＰＣ_Ｐの受信が終了されたか否かは、タイマを使用して８個のＰＣ_Ｐスロットが到着したか否かを検査することにより判断されることができる。
【０１９０】
ＵＴＲＡＮは、ステップ２７１８でＰＣ_Ｐの受信が終了されたことを確認すると、ステップ２７１９でアップリンクＰＣＰＣＨメッセージ部の受信をスタートし、ステップ２７２０でアップリンクＰＣＰＣＨメッセージ部の受信が終了されたことを判断する。ＰＣＰＣＨメッセージ部の受信が終了されなかったら、ＵＴＲＡＮは、連続してＰＣＰＣＨを受信する。一方、ＰＣＰＣＨの受信が終了されたら、図２７Ｃのステップ２７２１に進行する。ステップ２７２１で、ＵＴＲＡＮは、ＵＥがＰＣＰＣＨを承認モードで伝送するか否かを判断する。ＵＥがＰＣＰＣＨを承認モードで伝送する場合、ＵＴＲＡＮはステップ２７２２を遂行し、一方、承認モードで伝送しない場合、ステップ２７２４を遂行してＣＰＣＨ受信を終了する。ステップ２７２１で、ＵＥがＰＣＰＣＨを承認モードで伝送するか否かを判断する。ＵＴＲＡＮは、ステップ２７２２で受信されたＰＣＰＣＨメッセージ部にエラーがあるか否かを検査する。前記受信されたＰＣＰＣＨメッセージ部がエラーを有していると、ＵＴＲＡＮは、ステップ２７５１で順方向アクセスチャンネル(ＦＡＣＨ)を通じてＮＡＫを伝送する。一方、前記受信されたＰＣＰＣＨメッセージ部にエラーがないと、ステップ２７２３で順方向アクセスチャンネルを通じてＡＣＫを伝送した後、ステップ２７２４でＣＰＣＨの受信を終了する。
【０１９１】
図２８Ａ及び図２８Ｂは、本発明の他の実施形態によるＵＥでＣＰＣＨを割り当てる手順を示す。図２８Ａの“ＳＴＡＲＴ”は、図２６Ａの“Ａ”に連結される。図２９Ａ乃至図２９Ｃは、本発明の他の実施形態によるＵＴＲＡＮでＣＰＣＨを割り当てる手順を示す。ここで、図２９Ａの“ＳＴＡＲＴ”は、図２７Ａの“Ａ”に連結される。図２８Ａ乃至図２８Ｂ及び図２９Ａ乃至図２９Ｃは、図２２乃至図２６を参照して説明したＰＣ_Ｐを使用して安定したＣＰＣＨを設定する方法に対して、ＵＥとＵＴＲＡＮの動作をそれぞれ説明した図である。
【０１９２】
図２８Ａを参照すると、ステップ２８０１で、ＵＥは、ＣＤ_ＩＣＨ及びＣＡ_ＩＣＨがＵＴＲＡＮから受信されたか否かを確認する。ステップ２８０１で、ＣＤ_ＩＣＨ及びＣＡ_ＩＣＨを受信できないと、ＵＥは、ステップ２８２１で上位階層にエラー発生システム応答(system response)を伝送してＣＰＣＨアクセス手順(access procedure)及びエラー復旧過程を終了する。“前記ＣＤ_ＩＣＨ及びＣＡ_ＩＣＨを受信できない”とは、ＣＡ_ＩＣＨが受信されるとしても、ＣＤ_ＩＣＨに対するＡＣＫが受信されない場合と、一定時間の内にＵＴＲＡＮからＣＡ_ＩＣＨが受信されない場合とを含むことを意味する。このとき、前記“一定時間”とは、ＣＰＣＨアクセス手順を開始する時に予め設定される時間であり、タイマを設定して動作されることができる。
【０１９３】
これに反して、ステップ２８０１でＣＤ/ＣＡ_ＩＣＨが受信され、前記ＣＤ_ＩＣＨからＡＣＫが検出されたと判断されれば、ＵＥは、ステップ２８０２で、ＵＴＲＡＮから伝送したＣＡメッセージを分析する。ステップ２８０２で、ＣＡメッセージを分析した後、ＵＥは、ステップ２８０３に進行して前記分析されたＣＡメッセージに従ってＰＣＰＣＨメッセージ部のアップリンクスクランブリングコード、アップリンクチャンネル区分コード、及びアップリンクＣＰＣＨを制御するのに使用するダウンリンク専用チャンネルのチャンネル区分コードを確認する。
【０１９４】
その後、ステップ２８０４で、ＵＥは、ステップ２８０３で設定されたアップリンクスクランブリングコード及びアップリンクチャンネル区分コードを利用して、スロットタイプに従ってＰＣ_Ｐを構成する。このとき、本発明の実施形態で前記ＰＣ_Ｐを使用してＣＰＣＨの安定性及び信頼度を高める方法では、前記ＰＣ_Ｐスロットの長さまたはタイミング情報が常に８スロットで設定されることである。
【０１９５】
ステップ２８０５で、ＵＥは、ＵＴＲＡＮから受信されたＣＡメッセージの検証のために、ＰＣ_ＰにＣＡ確認メッセージ(Channel Assignment Confirmation Message)を挿入する。ＵＥは、前記ＰＣ_ＰにＣＡ確認メッセージを図２２乃至図２５を参照して説明した方法にて挿入することができる。図２２で使用される方法は、ＰＣ_ＰのパイロットビットにＵＥが受信したＣＡメッセージまたはシグネチャー番号を乗じて伝送する方法であり、図２３で使用される方法は、ＰＣ_ＰスロットにチップレベルでＵＥが受信したＣＡメッセージまたはシグネチャー番号を乗じて伝送する方法である。また、図２４で使用される方法は、ＵＥが受信したＣＡメッセージまたはシグネチャー番号に対応するチャンネル区分コードにＰＣ_Ｐをチャンネル化して伝送する方法であり、図２５で使用される方法は、ＵＥが受信したＣＡメッセージまたはシグネチャー番号に対応するスクランブリングコードにＰＣ_Ｐを拡散させた後ＵＴＲＡＮに伝送させる方法である。多重シグネチャーを使用してＣＡメッセージを伝送する場合、ＵＴＲＡＮは、ＵＥに割り当てたＣＰＣＨに対するＣＡメッセージを使用する。一つのシグネチャーを使用してＣＰＣＨを割り当てる場合、ＵＴＲＡＮは、ＣＡメッセージに対するシグネチャーを使用する。
【０１９６】
その後、ステップ２８０６で、ＵＥは、ステップ２８０５で生成されたＰＣ_ＰをＵＴＲＡＮに伝送し、ステップ２８０７で、ＵＴＲＡＮから伝送したＤＬ_ＤＰＣＨの受信を開始する。また、前記ＤＬ_ＤＰＣＨのパイロットフィールドを利用してダウンリンクの受信電力を測定し、前記測定された受信電力によってＰＣ_Ｐの電力制御命令語部にダウンリンクの送信電力を制御するための命令語を挿入する。
【０１９７】
ＰＣ_ＰをＵＴＲＡＮに伝送してＤＬ_ＤＰＣＨを受信する間、ＵＥは、ステップ２８０８でＵＥが分析したＣＡメッセージに対するエラー信号またはＣＰＣＨ解除を要求する特定のＰＣＢ(Power Control Bit)パターンがＵＴＲＡＮから受信されるか否かを検査する。ステップ２８０８で、前記分析されたＣＡにエラーが発生するかまたはＰＣＢパターンがＣＰＣＨ解除を示すと判断されると、ＵＥは、ステップ２８３１でＰＣ_Ｐの伝送を終了した後、ステップ２８３２で上位階層にＰＣＰＣＨの伝送中断状態応答を伝送してエラー復旧過程を遂行する。
【０１９８】
しかし、ステップ２８０８で、ＵＴＲＡＮからＣＡメッセージに対するエラー信号または特定のＰＣＢパターンが受信されないものと判断される場合、ステップ２８０９に進行して、前記分析されたＣＡメッセージに従ってＰＣＰＣＨメッセージ部を構成する。
【０１９９】
図２８Ｂのステップ２８１０に連続して、ＵＥは、ステップ２８０９で生成されたＰＣＰＣＨメッセージ部の伝送を開始する。一方、前記ＰＣＰＣＨメッセージ部を伝送する間、ＵＥは、図２８Ａのステップ２８０８と同一なステップ２８１１を遂行する。ステップ２８１１で、ＵＴＲＡＮからＣＡメッセージに対するエラー確認メッセージまたはチャンネル解除要求メッセージ(例えば、ＰＣＢパターン)を受信すると、ＵＥは、ステップ２８４１及びステップ２８４２を遂行する。ステップ２８４１で、ＵＥはＰＣＰＣＨメッセージ部の伝送を中断し、ステップ２８４２に進行して上位階層にＰＣＰＣＨ伝送中断状態応答を伝送した後にエラー復旧過程を遂行する。前記チャンネル解除要求メッセージには二つの異なる種類がある。チャンネル解除要求メッセージの第１タイプは、現在設定されたＣＰＣＨに対するＣＡメッセージの確認作業が遅延し、ＰＣＰＣＨの伝送が開始された後、ＵＴＲＡＮが現在設定されたＣＰＣＨと他のＵＥのＣＰＣＨと衝突が発生したことを分かるようになって伝送することである。チャンネル解除要求メッセージの第２タイプは、ＵＴＲＡＮからのＣＰＣＨを利用する他のＵＥで受信したＣＡメッセージにエラーがあるから、現在ＵＥがＵＴＲＡＮと通信しているＣＰＣＨに他のＵＥが伝送を開始し、ＵＴＲＡＮがこれを感知して現在正しく使用しているＵＥに他の使用者との衝突を示す衝突メッセージを伝送することである。いずれにしても、チャンネル解除メッセージを受信すると、ＵＴＲＡＮは、ＣＰＣＨを正しく使用するＵＥ及びエラーを有するＣＡメッセージを受信した他のＵＥにアップリンクＣＰＣＨを利用して中断するように指示する。
【０２００】
しかし、ステップ２８１１で、ＵＴＲＡＮからＣＡメッセージに対するエラー信号、またはチャンネル解除を要求する特定のＰＣＢパターンを受信しない場合、ＵＥはステップ２８１２に進行してＰＣＰＣＨメッセージ部を連続して伝送し、ステップ２８１３で前記ＰＣＰＣＨメッセージ部の伝送が終了されたか否かを判断する。前記ＰＣＰＣＨメッセージ部の伝送が終了されない場合、ステップ２８１２に戻して前述した動作を遂行し続ける。一方、前記ＰＣＰＣＨメッセージ部の伝送が終了されたら、ＵＥは、ステップ２８１４の動作を遂行する。
【０２０１】
ステップ２８１４で、ＵＥは承認モードで伝送されるか否かを確認する。前記承認モードで伝送されないと、ＵＥは、ＰＣＰＣＨメッセージ部の伝送を完了した後、ステップ２８１７を遂行してＰＣＰＣＨ伝送中止状態応答を上位階層に伝送した後、ＣＰＣＨを通じたデータ伝送過程を終了する。しかし、ステップ２８１４で承認モードで伝送されると、ＵＥは、ステップ２８１５でＣＰＣＨメッセージ部のＡＣＫを受信するためのタイマを設定する。その後、ＵＥは、ステップ２８１６でＣＰＣＨメッセージ部の伝送中と伝送後に順方向アクセスチャンネル(ＦＡＣＨ)をモニタリングしてＵＴＲＡＮからＣＰＣＨメッセージ部に対するＡＣＫまたはＮＡＫの伝送を確認する。ＵＴＲＡＮは、ＦＡＣＨのみならず、ダウンリンクチャンネルを通じてもＡＣＫまたはＮＡＫを伝送することができる。ステップ２８１６でＦＡＣＨを通じてＣＰＣＨメッセージ部に対するＡＣＫが受信されないと、ＵＥは、ステップ２８５１で、ステップ２８１５で設定されたタイマが終了されたか否かを確認する。ステップ２８１５でタイマが終了されなかったら、ＵＥは、ステップ２８１６に戻してＵＴＲＡＮからＡＣＫまたはＮＡＫの伝送をモニタリングする。一方、ステップ２８１５でタイマが終了されたら、ＵＥは、ステップ２８５２で、ＰＣＰＣＨ伝送失敗状態応答を上位階層に伝送してエラー復旧過程を遂行する。しかし、ステップ２８１６でＡＣＫを受信すると、ＵＥは、ステップ２８１７を遂行した後、ＣＰＣＨの伝送を終了する。
【０２０２】
以下、図２９Ａ乃至図２９Ｃを参照してＵＴＲＡＮの動作を説明する。ここで、図２９Ａの“ＳＴＡＲＴ”は図２７Ａの“Ａ”に連結される。
【０２０３】
図２９Ａのステップ２９０１で、ＵＴＲＡＮは、図２７Ａのステップ２７０８で検出されたＣＤ_Ｐに対するＡＣＫと、ステップ２７１０で生成されたＣＡメッセージを伝送するためのＣＤ/ＣＡ_ＩＣＨを生成する。前記ＣＤ/ＣＡ_ＩＣＨは、図１３Ａ及び図１３Ｂを参照して説明した方法にて生成されることができる。ステップ２９０２で、ＵＴＲＡＮは、ステップ２９０１で生成されたＣＡ/ＣＤ_ＩＣＨを図１４と図１５の方法を参照して説明した方法にて伝送する。前記ＣＤ/ＣＡ_ＩＣＨを伝送した後、ＵＴＲＡＮは、アップリンクＣＰＣＨの送信電力を制御するためのダウンリンク専用チャンネルを生成する。前記生成されるダウンリンク専用チャンネルは、ＵＥが伝送するアップリンクＣＰＣＨと一対一に対応している。ＵＴＲＡＮは、ステップ２９０３で生成したＤＬ_ＤＰＣＨをステップ２９０４で伝送し、ステップ２９０５で前記ＵＥが伝送したＰＣ_Ｐを受信し、前記受信されたＣＡメッセージに対する確認メッセージを分析する。ステップ２９０５で分析された結果に基づいて、ＵＴＲＡＮは、ステップ２９０６でＵＥが伝送したＣＡ確認メッセージとＵＴＲＡＮが伝送したＣＡメッセージとが一致するか否かを判断する。ステップ２９０６で一致すると判断されると、ＵＴＲＡＮはステップ２９０７を遂行し、一致しないと判断されると、ステップ２９２１に進行する。
【０２０４】
ＵＥは、ＰＣ_Ｐを利用してＵＴＲＡＮにＣＡメッセージを図２２乃至図２５を参照して説明した方法にて伝送することができる。図２２で使用される方法は、ＰＣ_ＰのパイロットビットにＵＥが受信したＣＡメッセージまたはシグネチャー番号を乗じて伝送する方法であり、図２３で使用される方法は、ＰＣ_ＰスロットにチップレベルでＵＥが受信したＣＡメッセージまたはシグネチャー番号を乗じて伝送する方法である。また、図２４で使用される方法は、ＵＥが受信したＣＡメッセージまたはシグネチャー番号に対応するチャンネル区分コードにＰＣ_Ｐをチャンネル化して伝送する方法であり、図２５で使用される方法は、ＵＥが受信したＣＡメッセージまたはシグネチャー番号に対応するスクランブリングコードにＰＣ_Ｐを拡散させてＵＴＲＡＮに伝送させる方法である。多重のシグネチャーを使用してＣＡメッセージを伝送する場合、ＵＴＲＡＮは、ＵＥに割り当てられたＣＰＣＨに対するＣＡメッセージを使用する。一つのシグネチャーを使用してＣＰＣＨを割り当てる場合、ＵＴＲＡＮは、ＣＡ確認メッセージに対するシグネチャーを使用する。
【０２０５】
図２９Ｂのステップ２９２１で、ＵＴＲＡＮは、ステップ２９０５で受信したＣＡ確認メッセージに対応するＣＰＣＨを他のＵＥが使用しているか否かを判断する。ステップ２９２１で他のＵＥが前記ＣＰＣＨを使用していないと判断されると、ＵＴＲＡＮはステップ２９２５を遂行する。ステップ２９２５で、ＵＴＲＡＮは、上位階層にＰＣＰＣＨ伝送中断状態応答を伝送した後、エラー復旧過程を遂行する。ＵＴＲＡＮが遂行する“エラー復旧過程”とは、現在ＵＥが使用しているダウンリンク専用チャンネルを通じてＣＰＣＨ伝送中断メッセージをＵＥに伝送するか、ＦＡＣＨを通じてＣＰＣＨ伝送中断メッセージをＵＥに伝送するか、またはＵＥと予め約束された特定のビットパターンを持続的に伝送することにより、ＵＥがＣＰＣＨの伝送を中断するように指示する方法を意味する。また、前記エラー復旧過程は、ＵＥが受信するＤＬ_ＤＰＣＨを通じてアップリンクの送信電力を減少させる命令をＵＴＲＡＮが持続的に伝送する方法も含まれることができる。
【０２０６】
ステップ２９２１で、ステップ２９０５で受信したＣＡ確認メッセージに対応するＣＰＣＨを他のＵＥが使用していると判断されると、ＵＴＲＡＮは、ステップ２９２２で、二つのＵＥが共通に使用しているＤＬ_ＤＰＣＨを通じて送信電力下降命令語を伝送する。その後、ステップ２９２３で、ＵＴＲＡＮは、ＦＡＣＨを通じて二つのＵＥにチャンネル解除メッセージまたは特定のＰＣＢパターンを伝送してチャンネルを解除する。前記チャンネル解除メッセージまたは特定のＰＣＢパターンを伝送するとき、ＦＡＣＨのみならず、ダウンリンク専用チャンネルも使用されることができる。ステップ２９２３を遂行した後、ＵＴＲＡＮは、ステップ２９２４でＵＥへのＤＬ_ＤＰＣＨの伝送を中断した後、ステップ２９２５でＣＰＣＨの受信を終了する。
【０２０７】
一方、ステップ２９０６で、ＵＥから受信したＣＡ確認メッセージがＵＴＲＡＮによって割り当てられたＣＡメッセージと一致すると、ＵＴＲＡＮはステップ２９０７を遂行する。ステップ２９０７で、ＵＴＲＡＮは、ＵＥが伝送したＰＣ_Ｐを受信してＰＣ_Ｐの送信電力を制御するための電力制御命令語を生成する。前記ＰＣ_Ｐの送信電力を制御する目的は、ＵＥが伝送したアップリンクＰＣＰＣＨの初期送信電力を適切に調整するためである。ステップ２９０８で、ＵＴＲＡＮは、ステップ２９０３で生成されたダウンリンク専用チャンネルのうち、ダウンリンク専用物理制御チャンネル(ＤＬ_ＤＰＣＣＨ)の電力制御命令語フィールドを通じて前記生成された電力制御命令語を伝送する。ＵＴＲＡＮは、ステップ２９０９でＰＣ_Ｐの受信が終了されたか否かを判断する。前記ＰＣ_Ｐの受信が終了されなかったら、ＵＴＲＡＮはステップ２９０８に戻し、前記ＰＣ_Ｐの受信が終了されたら、ステップ２９１０を遂行する。前記ＰＣ_Ｐの受信が終了されたか否かは、タイマを使用して８個のＰＣ_Ｐスロットが受信されたか否かを検査する方法で判断されることができる。ステップ２９０９でＰＣ_Ｐの受信が終了されると、ステップ２９１０でアップリンクＰＣＰＣＨのメッセージ部の受信を開始し、ステップ２９１１でアップリンクＰＣＰＣＨのメッセージ部の受信が終了されたか否かを判断する。もし、ＰＣＰＣＨメッセージ部の受信が終了されなかったら、ＵＴＲＡＮはＰＣＰＣＨを連続して受信し、ＰＣＰＣＨメッセージ部の受信が終了されたら、図２９Ｃのステップ２９２１を遂行する。ステップ２９１２で、ＵＴＲＡＮは、ＵＥがＰＣＰＣＨを承認伝送モードで伝送したか否かを判断する。ＵＥが承認伝送モードでＰＣＰＣＨを伝送した場合、ＵＴＲＡＮはステップ２９３１を遂行し、ＵＥが承認伝送モードでＰＣＰＣＨを伝送しなかったら、ステップ２９１５を遂行する。
【０２０８】
ステップ２９１２で、ＵＥがＰＣＰＣＨを承認伝送モードで伝送したら、ＵＴＲＡＮは、ステップ２９１３で受信されたＰＣＰＣＨのメッセージ部にエラーがあるか否かを検査する。前記受信されたＰＣＰＣＨメッセージ部にエラーがあると、ＵＴＲＡＮは、ステップ２９３１でＦＡＣＨを通じてＮＡＫを伝送する。前記受信されたＰＣＰＣＨメッセージ部にエラーがないと、ＵＴＲＡＮは、ステップ２９１４を遂行して前記ＦＡＣＨを通じてＡＣＫを伝送した後、ステップ２９１５でＣＰＣＨの受信を終了する。
【０２０９】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【図面の簡単な説明】
【０２１０】
【図１】従来技術による非同期式アップリンク共通チャンネルのうち、ＲＡＣＨを通じた通信信号の送受信を説明する図である。
【図２】従来技術によるダウンリンク及びアップリンクチャンネルの信号伝送手順を示す図である。
【図３】本発明の実施形態によるアップリンク共通チャンネルを設定するＵＥとＵＴＲＡＮとの間の信号フローを示す図である。
【図４Ａ】本発明の一実施形態によるＣＳＩＣＨチャンネルの構造を示す図である。
【図４Ｂ】本発明の一実施形態によるＣＳＩＣＨの生成構造を示す図である。
【図５】本発明の一実施形態によるＳＩビットを伝送するためのＣＳＩＣＨ符号器を示すブロック図である。
【図６】図５のＣＳＩＣＨ符号器に対応するＣＳＩＣＨ復号器を示すブロック図である。
【図７】本発明の一実施形態によるアクセスプリアンブルを伝送するために使用されるアクセススロットの構造を示す図である。
【図８Ａ】従来技術によるアップリンクスクランブリングコードの構造を示す図である。
【図８Ｂ】従来技術によるアップリンクスクランブリングコードの構造を示す図である。
【図９Ａ】本発明の一実施形態によるアップリンクスクランブリングコードの構造を示す図である。
【図９Ｂ】一つのＡＰスロットを生成する構造を示す図である。
【図１０Ａ】本発明の一実施形態による衝突検出プリアンブルのチャンネル構造及び生成構造を示す図である。
【図１０Ｂ】本発明の一実施形態による衝突検出プリアンブルのチャンネル構造及び生成構造を示す図である。
【図１１Ａ】本発明の一実施形態によるチャンネル割当て表示チャンネル(ＣＡ_ＩＣＨ)の構造及び生成構造を示す図である。
【図１１Ｂ】本発明の一実施形態によるチャンネル割当て表示チャンネル(ＣＡ_ＩＣＨ)の構造及び生成構造を示す図である。
【図１２】本発明の一実施形態によるＡＩＣＨ生成器を示す図である。
【図１３Ａ】本発明の一実施形態によるＣＡ_ＩＣＨを示す図である。
【図１３Ｂ】本発明の一実施形態によるＣＡ_ＩＣＨを示す図である。
【図１４】本発明の一実施形態による同一の拡散率を有する相互異なるチャンネル区分コードを割り当ててＣＤ_ＩＣＨ及びＣＡ_ＩＣＨを同時に伝送する方法を示す図である。
【図１５】本発明の他の実施形態によるＣＤ_ＩＣＨ及びＣＡ_ＩＣＨを同一のチャンネル区分コードで拡散して相互異なるシグネチャーグループを利用して拡散チャンネルを同時に伝送する方法を示す図である。
【図１６】本発明の一実施形態によるシグネチャー構造に対するＵＥのＣＡ_ＩＣＨ受信器を示す図である。
【図１７】本発明の他の実施形態による受信器の構造を示す図である。
【図１８】本発明の一実施形態によるＵＥの送受信器の構造を示す図である。
【図１９】本発明の一実施形態によるＵＴＲＡＮの送受信器の構造を示す図である。
【図２０】本発明の一実施形態による電力制御プリアンブルのスロット構造を示す図である。
【図２１】図２０に示したＰＣ_Ｐの構造を示す図である。
【図２２Ａ】本発明の実施形態によるＰＣ_Ｐを利用してＵＥからＵＴＲＡＮへチャンネル割当て確認メッセージまたはチャンネル使用要求確認メッセージを伝送する方法を示す図である。
【図２２Ｂ】図２２Ａで使用されるアップリンクスクランブリングコードの構造を示す図である。
【図２３】本発明の他の実施形態によるＰＣ_Ｐを利用してＵＥからＵＴＲＡＮへチャンネル割当て確認メッセージまたはチャンネル使用要求確認メッセージを伝送する方法を示す図である。
【図２４Ａ】本発明の一実施形態によるＰＣ_Ｐを利用してＵＥからＵＴＲＡＮへチャンネル割当て確認メッセージまたはチャンネル使用要求確認メッセージを伝送する方法を示す図である。
【図２４Ｂ】本発明の一実施形態によるＣＡ_ＩＣＨのシグネチャーまたはＣＰＣＨチャンネル番号に一対一に対応してＰＣ_Ｐチャンネル区分コードのツリー構造を示す図である。
【図２５Ａ】本発明の他の実施形態によるＰＣ_Ｐを利用してＵＥからＵＴＲＡＮへチャンネル割当て確認メッセージまたはチャンネル要求確認メッセージを伝送する方法を示す図である。
【図２５Ｂ】図２５Ａの方法を利用してＰＣ_Ｐを伝送する方法を示す図である。
【図２６Ａ】本発明の一実施形態によるＵＥで共通パケットチャンネルを割り当てる手順を示すフローチャートである。
【図２６Ｂ】本発明の一実施形態によるＵＥで共通パケットチャンネルを割り当てる手順を示すフローチャートである。
【図２６Ｃ】本発明の一実施形態によるＵＥで共通パケットチャンネルを割り当てる手順を示すフローチャートである。
【図２７Ａ】本発明の一実施形態によるＵＴＲＡＮで共通パケットチャンネルを割り当てる手順を示すフローチャートである。
【図２７Ｂ】本発明の一実施形態によるＵＴＲＡＮで共通パケットチャンネルを割り当てる手順を示すフローチャートである。
【図２７Ｃ】本発明の一実施形態によるＵＴＲＡＮで共通パケットチャンネルを割り当てる手順を示すフローチャートである。
【図２８Ａ】本発明の一実施形態によるＰＣ_Ｐを利用して安定したＣＰＣＨを設定してＵＥで遂行する手順を示すフローチャートである。
【図２８Ｂ】本発明の一実施形態によるＰＣ_Ｐを利用して安定したＣＰＣＨを設定してＵＥで遂行する手順を示すフローチャートである。
【図２９Ａ】本発明の一実施形態によるＰＣ_Ｐを利用して安定したＣＰＣＨを設定してＵＴＲＡＮで遂行する手順を示すフローチャートである。
【図２９Ｂ】本発明の一実施形態によるＰＣ_Ｐを利用して安定したＣＰＣＨを設定してＵＴＲＡＮで遂行する手順を示すフローチャートである。
【図２９Ｃ】本発明の一実施形態によるＰＣ_Ｐを利用して安定したＣＰＣＨを設定してＵＴＲＡＮで遂行する手順を示すフローチャートである。
【符号の説明】
【０２１１】
３０３  ＡＰ_ＡＩＣＨ
３０５  ＣＤ／ＣＡ_ＩＣＨ
３０７  アップリンク電力制御コマンドフィールド
３０９  パイロットフィールド
３３３，３３５  ＡＰ
３３７  ＣＤ_Ｐ
３３９  電力制御プリアンブル(ＰＣ_Ｐ)
３４１  制御部
３４３  データ部
５０１  反復器
５０３  復号器
６０１  相関度計算器
６０３  ＬＬＲ値計算器
６０５  ＬＬＲ値累算器
８０１，８０３，８１１，８１３，８１７，９０７，１００７，２１０７，２２０７，２３０７，２４０７，２５０７  ＵＬ_スクランブリングコード
８０５  ＰＣ_Ｐスクランブリングコード
８０７  メッセージスクランブリングコード
９０３  ＡＰ用シグネチャー
９０５  アクセスプリアンブル
９０６，１００６，１２０１〜１２１６，１４０２，１４１２，１４１６，１５０６，１６１１，１６１７，１６２１，１７１１，１７１７，１７２１，１７２７，２１０２，２１０６，２２０２，２２０６，２２０８，２３０６，２４０２，２５０２，２５０６  乗算器
１００３  シグネチャー
１００５  衝突検出プリアンブル(ＣＤ_Ｐ)
１１０７  ＣＰＣＨ状態表示チャンネル
１１０９，１４０３，１４１３，１５０７，２１０３，２２０３，２３０３，２４０３，２４３３，２５０３  チャンネル区分コード
１１１３，１４０７，１４１７，１５１０  ＤＬ_スクランブリングコード
１２２０  加算器
１３０１，１３１１  衝突検出表示部
１３０３，１３１３  ＣＳＩＣＨ部
１４０１，１５０５  衝突検出(ＣＤ_ＩＣＨ)部
１４０５  ＣＤ_ＩＣＨフレーム
１４１１，１５０１，１５０３  チャンネル割当て(ＣＡ_ＩＣＨ)部
１４１５  ＣＡ_ＩＣＨフレーム
１４０２，１４０６，１４１２，１４１６，１５０２，１５０４，１５０６，１５０８  加算器
１６１３，１７１３，１８１５，１９１５  チャンネル推定器
１６１５，１７１５  複素共役器
１６１９，１７１９  累算器
１６２９，１７２９  ＦＨＴ変換器
１６３１，１７３１  制御及び判定器
１７２３  位置シフタ
１７２５  マスク発生器
１８１１  ＡＩＣＨ復調器
１８１３，１９１３  データ及び制御信号処理器
１８２０，１９２０  制御器
１８２４  アップリンク電力制御信号
１８２６  プリアンブル発生制御信号
１８３１  プリアンブル発生器
１８３２  他のアップリンク伝送信号
１８３３，１９３３  フレーム形成器
１９１１  プリアンブル検出器
１９２２  プリアンブル選択制御コマンド
１９２４  電力制御コマンド
１９２６  ＡＩＣＨ発生制御コマンド
１９３１  ＡＩＣＨ発生器
１９３２  ダウンリンク制御信号
２００１  パイロットフィールド
２００３  フィードバック情報フィールド
２００５  伝送電力制御フィールド
２１０１  電力制御プリアンブル部
２２０１，２３０１，２４０１，２５０１  ＰＣ_Ｐ
２１０５，２２０５，２３０５，２４０５，２５０５  ＰＣ_Ｐフレーム
２２０９，２３０９  ＣＰＣＨ確認メッセージ
２２２１，２２２３，２２２５，２２２７，２２３７，２２４７，２５２１，２５２３，２５２５，２５２７，２５３５，２５３７，２５４５，２５４７  スクランブリングコード
２４３１  ＯＶＳＦコードツリー
２５２５，２５３５，２５４５  ＰＣ_Ｐスクランブリングコード
【図１】
2004312771.tif 000012
【図２】
2004312771.tif 000013
【図３】
2004312771.tif 000014
【図４Ａ】
2004312771.tif 000015
【図４Ｂ】
2004312771.tif 000016
【図５】
2004312771.tif 000017
【図６】
2004312771.tif 000018
【図７】
2004312771.tif 000019
【図８Ａ】
2004312771.tif 000020
【図８Ｂ】
2004312771.tif 000021
【図９Ａ】
2004312771.tif 000022
【図９Ｂ】
2004312771.tif 000023
【図１０Ａ】
2004312771.tif 000024
【図１０Ｂ】
2004312771.tif 000025
【図１１Ａ】
2004312771.tif 000026
【図１１Ｂ】
2004312771.tif 000027
【図１２】
2004312771.tif 000028
【図１３Ａ】
2004312771.tif 000029
【図１３Ｂ】
2004312771.tif 000030
【図１４】
2004312771.tif 000031
【図１５】
2004312771.tif 000032
【図１６】
2004312771.tif 000033
【図１７】
2004312771.tif 000034
【図１８】
2004312771.tif 000035
【図１９】
2004312771.tif 000036
【図２０】
2004312771.tif 000037
【図２１】
2004312771.tif 000038
【図２２Ａ】
2004312771.tif 000039
【図２２Ｂ】
2004312771.tif 000040
【図２３】
2004312771.tif 000041
【図２４Ａ】
2004312771.tif 000042
【図２４Ｂ】
2004312771.tif 000043
【図２５Ａ】
2004312771.tif 000044
【図２５Ｂ】
2004312771.tif 000045
【図２６Ａ】
2004312771.tif 000046
【図２６Ｂ】
2004312771.tif 000047
【図２６Ｃ】
2004312771.tif 000048
【図２７Ａ】
2004312771.tif 000049
【図２７Ｂ】
2004312771.tif 000050
【図２７Ｃ】
2004312771.tif 000051
【図２８Ａ】
2004312771.tif 000052
【図２８Ｂ】
2004312771.tif 000053
【図２９Ａ】
2004312771.tif 000054
【図２９Ｂ】
2004312771.tif 000055
【図２９Ｃ】
2004312771.tif 000056